(57)【要約】      （修正有）【課題】成分の大量同定が可能なイネ抽出物を、大量かつ、迅速に提供する。【解決手段】イネ抽出物は、イネ組織を粉砕して得た粉砕物を、メタノール、エタノール、プロパノール、水からなる群から選択される少なくとも1種の溶媒に浸漬して、上清を分取して得る。【効果】栄養学的知見を得ることが可能なイネの抽出物を提供し得るという有利な効果を奏する。また、サンプルの処理が簡便で、様々な物質が混在した状態であっても解析が可能である。【選択図】なし【特許請求の範囲】
【請求項１】
イネ組織を粉砕して得た粉砕物を、メタノール、エタノール、プロパノール、水からなる群から選択される少なくとも1種の溶媒に浸漬して、上清を分取して得ることを特徴とするイネ抽出物。
【請求項２】
前記イネ組織が、穂、葉、種子、培養細胞からなる群から選択される少なくとも1種である請求項1記載のイネ抽出物。
【請求項３】
請求項１又は2項に記載のイネ抽出物の構成成分及び/又は代謝成分を比較して、特異的品種か否かを識別する品種の識別方法。
【請求項４】
イネ組織を粉砕して得られた粉砕物を溶媒中に浸漬した後、上清を分取することを特徴とするイネ抽出物の調製方法。
【請求項５】
前記溶媒が、メタノール、エタノール、プロパノール、水からなる群から選択される少なくとも1種であることを特徴とする請求項4記載の方法。
【発明の詳細な説明】
【技術分野】
【０００１】
本発明は、イネ抽出物、その調製方法、及びイネ抽出物を利用した品種の識別方法に関し、特に、イネ組織を粉砕して得られるイネ抽出物、その調製方法、及びイネ抽出物を利用した品種の識別方法に関する。
【背景技術】
【０００２】
種々の植物エキスを利用して健康食品、健康飲料、医学、薬学、生物学など様々な分野において、製品化されている。このような植物のうち、イネは種々の国の主要な炭水化物源であり、その品種によって市場価格を異にする。
現在までに、イネ成分の解析例として、例えば、イネ葉のジャスモン酸の解析を行なったものがある(Shigeru Tamogami and Osamu Kodama. (1998). Quantification of amino acid conjugates of jasmonic acid in rice leaves by high-performance liquid chromatography-turboionspray tandem mass spectrometry. J. chromatogr. A. 882, 310-315.)。また、エリシター・傷害処理したイネ幼苗における12-oxo-phytodieonic acidとジャスモン酸の誘導についても報告されている（Randeep Rakwal et al. (2002). Octadecanoid signaling component "burst" in rice (Oryza sativa L.) seedling leaves upon wounding by cut and treatment with fungal elicitor chitosan. Biochem. Biophys. Res. Commun. 295, 1041-1045.）。また、ラベルしたGA53、GA44、GA19を注入したイネ幼苗におけるGA（ジベレリン）派生物の解析が知れれている（Masatomo Kobayashi et al. (2000). Gibberellin biosynthesis: metabolic evidence for three steps in the early 13-hydroxylation pathway of rice. Phytochemistry. 55, 317-321.）、また、除草剤bensulfuron-methyl（BSM）を処理したイネ幼苗を解析し、BSMの派生物を検出している例も知られている（Fan Deng and Kriton K. Hatzios. (2002). Characterization of cytochrome P450-mediated bensulfuron-methyl O-demethylation in rice. P
estic. Biochem. Physiol. 74, 102-115. ）、また、冠水ストレス解除時のアセトアルデヒドとエタノールの検出も知られている（Hiroyuki Tsuji et al. (2003) Induction of mitochondrial aldehyde dehydrogenase by submergence facilitates oxidation of acetaldehyde during re-aeration in rice. FEBS Letters, Volume 546, 369-373. ）
【０００３】
【非特許文献１】(Shigeru Tamogami and Osamu Kodama. (1998). Quantification of amino acid conjugates of jasmonic acid in rice leaves by high-performance liquid chromatography-turboionspray tandem mass spectrometry. J. chromatogr. A. 882, 310-315.
【非特許文献２】Randeep Rakwal et al. (2002). Octadecanoid signaling component "burst" in rice (Oryza sativa L.) seedling leaves upon wounding by cut and treatment with fungal elicitor chitosan. Biochem. Biophys. Res. Commun. 295, 1041-1045.
【非特許文献３】Masatomo Kobayashi et al. (2000). Gibberellin biosynthesis: metabolic evidence for three steps in the early 13-hydroxylation pathway of rice. Phytochemistry. 55, 317-321.）、
【非特許文献４】Fan Deng and Kriton K. Hatzios. (2002). Characterization of cytochrome P450-mediated bensulfuron-methyl O-demethylation in rice.  Pestic. Biochem. Physiol. 74, 102-115.
【非特許文献５】Induction of mitochondrial aldehyde dehydrogenase by submergence facilitates oxidation of acetaldehyde during re-aeration in rice. FEBS Letters, Volume 546, 369-373.
【発明の開示】
【発明が解決しようとする課題】
【０００４】
しかしながら、上述のいずれの技術においても、イネの抽出物及び/又は代謝物を大量、かつ迅速に確定することが不可能であり、抽出物自体の正確な評価、例えば、当該イネの抽出物の成分由来の優良品種であるかなどの評価を行なうことが困難であった。したがって、イネ抽出物及び当該イネ抽出物から成分を容易に同定することができれば、有用な品種の改良が容易になると共に、耐病性、耐塩性、耐低温ストレス性を増強する品種改良も容易となる。
【０００５】
そこで、本発明は、成分の大量同定が可能なイネ抽出物を、大量かつ、迅速に提供することを目的とする。
【課題を解決するための手段】
【０００６】
本発明のイネ抽出物は、イネ組織を粉砕して得た粉砕物を、メタノール、エタノール、プロパノール、水からなる群から選択される少なくとも1種の溶媒に浸漬して、上清を分取して得ることを特徴とする。
【０００７】
また、本発明のイネ抽出物の好ましい実施態様において、前記イネ組織が、穂、葉、種子、培養細胞からなる群から選択される少なくとも1種であることを特徴とする。
【０００８】
また、本発明の品種の識別方法は、請求項１又は2項に記載のイネ抽出物の構成成分及び/又は代謝成分を比較して、特異的品種か否かを識別することを特徴とする。
【０００９】
また、本発明のイネ抽出物の調製方法は、イネ組織を粉砕して得られた粉砕物を溶媒中に浸漬した後、上清を分取することを特徴とする。
【００１０】
また、本発明のイネ抽出物の調製方法の好ましい実施態様において、前記溶媒が、メタノール、エタノール、プロパノール、水からなる群から選択される少なくとも1種であることを特徴とする。
【発明の効果】
【００１１】
本発明のイネ抽出物によれば、栄養学的知見を得ることが可能なイネの抽出物を提供し得るという有利な効果を奏する。本発明のイネ抽出物によれば、サンプルの処理が簡便で、様々な物質が混在した状態であっても解析が可能である。解析に必要とする液量は極少量であり、さらに分子量が非常に近い物質の分離も可能である。
【００１２】
本発明の品種の識別方法によれば、本発明のイネ抽出物によって明らかにされた同定成分の比較分析により、作物の改良、種子の成分改良、品質の向上育種を達成することができ、また耐病性、耐塩性、耐低温ストレス性を有する品種を提供し得ることができるという有利な効果を奏する。
【００１３】
本発明のイネ抽出物の調製方法によれば、イネの抽出物、代謝物を、大量かつ、迅速に確定し得る方法を提供し得るという有利な効果を奏する。
【発明を実施するための最良の形態】
【００１４】
本発明のイネ抽出物は、イネ組織を粉砕して得た粉砕物を、メタノール、エタノール、プロパノール、水からなる群から選択される少なくとも1種の溶媒に浸漬して、上清を分取して得る。イネ抽出物は、イネ組織由来の抽出物である。ここで、イネとは特に限定されず、総てのイネを対象とする。イネ組織としては、代謝物の定量によって生長や分化に関与する物質の解析や、環境に対する反応を追究し得るという観点から、穂、葉、種子、培養細胞からなる群から選択される少なくとも1種を挙げることができる。特に、代謝物量の推定による栄養学的知見を提供し得るという観点からイネ組織としては、種子(胚乳)を挙げることができる。
【００１５】
また、溶媒としては、抽出物を得ることが可能であれば、特に限定されないが、測定物質が比較的低分子の極性物質であり、さらに安全性、コストという観点から、メタノールが望ましい。
【００１６】
また、本発明の品種の識別方法は、上記イネ抽出物の構成成分及び/又は代謝成分を比較して、特異的品種か否かを識別する。これは、本発明のイネ抽出物は、より大量の成分同定を提供し得るので、品種間による成分比較検討を行なうことによって、ある特定の優良品種に特異的な成分を見出すことができ、ひいては、当該成分を比較して、優良品種、種子等を作出しうる基礎データを提供できるからである。
【００１７】
したがって、本発明のイネ抽出物を利用して、耐病性、耐塩性、耐低温ストレス性などを有する特定優良品種を提供することも可能である。
【００１８】
次に、本発明のイネ抽出物の調製方法について説明する。本発明のイネ抽出物の調製方法は、イネ組織を粉砕して得られた粉砕物を溶媒中に浸漬した後、上清を分取する。この場合の溶媒は、特に限定されず、所望とする効果に対応して適宜溶媒を設定することができる。好ましい実施態様において、前記溶媒としては、メタノール、エタノール、プロパノール、水からなる群から選択される少なくとも1種である。測定物質が比較的低分子の極性物質であり、さらに安全性、コストという観点から、溶媒としては、メタノールを挙げることができる。
【００１９】
まず、イネ組織を準備する。イネ組織は、必要に応じて洗浄し、乾燥する。乾燥は十分に行なうのが好ましい。後の粉砕を均質に行なうためである。
【００２０】
次に、イネ組織を粉砕、磨砕する。粉砕、磨砕の方法は特に限定されず、ボールミル、ハンマーミル、ローラーミル、ロッドミル、サンプルミル、スタンプミル、ディスインテグレーター、乳鉢、冷却装置付きブレンダーなどの公知の粉砕手段を用いることができる。必要に応じて、液体窒素等の不活性ガス雰囲気中で行なっても良い。なお、磨際、粉砕時における発熱により、イネ組織の分解等が発生することも考えられることより、冷却装置付きブレンダーが好ましい。
【００２１】
また、浸漬は、緩やかな攪拌下で行なうことができる。各種溶媒に前記粉砕物を浸漬して各種溶液を得る。各種溶液について、溶液の状態に応じて攪拌を行い、場合によりそのまま溶液を放置しても良い。攪拌する場合には、特に限定されないが１〜２日間攪拌を持続させることができる。
【００２２】
その後、上清を分取することによりイネ抽出物を得ることができる。必要に応じて、細胞片を遠心分離などを利用して迅速に除去してもよい。また、必要に応じて、上清を蒸発乾固する。蒸発乾固は、エバポレータを用いて、40℃〜50℃の温浴上で行なうことができる。蒸発乾固することにより、イネ抽出物を長期間保存することができる。
【００２３】
イネ抽出物の成分
イネ組織中に含まれる成分は、イネ組織を極性の異なる溶媒を用いて抽出することにより、その物性により振り分けられる。したがって、使用した溶媒により、イネ抽出物の成分の種類及び含有量は異なる。
【００２４】
実施例１
100〜300 mgのイネ（Oryza sativa L. cv日本晴）（穂、種子・葉・培養細胞）を液体窒素中で磨砕し、内標を含む50％メタノールで生体内代謝物を抽出した。15,000 rpmで遠心して細胞片を除き、上清を限外ろ過（5 kDa以上を除去）した。得られた溶液を質量分析装置で解析した。
【００２５】
質量分析の測定条件は以下の通りである。
陰イオン分析ではPEGコーティングキャピラリーで電気泳動を行った後、フラグメンター電圧を100V、窒素ガス温度を３００℃に設定した質量分析装置を用いてNegative modeで測定した。陽イオン分析ではフューズドシリカキャピラリーで電気泳動を行い、同設定の質量分析装置を用いてPositive modeで測定した。
【００２６】
この結果を表1に示す。表1は、イネ培養細胞の有機酸解析(定量可能なものを示す)の結果を示す。
【００２７】
【表１】
2005265702.tif 000002
【００２８】
本発明者らはイネの抽出液から生体分子物質を大量に同定することに成功した。それらはヌクレオチド類、アミノ酸類、有機酸、糖などの代謝物であることが判明した。
要約すれば、イネのカルス（培養細胞）、葉、穂および種子胚乳などから代謝物を同定することにより、イネの成分分析が可能になる技術を提供することが可能となった。これにより、成分の比較を用いた作物の改良が可能になり種子の成分改良および品質の向上育種につながる事がわかった。さらに耐病性や耐塩性、耐低温ストレスを増強する品種改良につながることが判明した。
【００２９】
実施例２
次に、イネ組織として、イネ葉を用いることを除き、実施例１と同様の試験した。表2は、イネ葉の有機酸解析(定量可能なものを示す)の結果を示す。
【００３０】
【表２】
2005265702.tif 000003
【００３１】
実施例３
次に、イネ組織として、イネ種子を用いた以外は、実施例１と同様に試験した。
【００３２】
表３に、イネ種子のアミノ酸解析(定量可能なものを示す)の結果を示す。
【００３３】
【表３】
2005265702.tif 000004
【００３４】
実施例４
次に、イネ組織として、イネ葉の代謝物(物質の判定したものを示す)を用いて実施例１と同様に試験した。
得られた構成成分及び/又は代謝物を表4に示す。
【００３５】
［表４］
"(4R,5S)-4,5,6-Trihydroxy-2,3-dioxohexanoate"
"17alpha,20alpha-Dihydroxypregn-4-en-3-one"
"2,3-Dioxo-L-gulonate"
"2-Octaprenyl-3-methyl-5-hydroxy-6-methoxy-1,4-benzoquinone"
"3alpha,12alpha-Dihydroxy-5beta-cholanate"
"4-(1-D-Ribitylamino)-5-amino-2,6-dihydroxypyrimidine"
"5alpha-Androstane-3beta,17beta-diol"
"5alpha-Pregnane-3,20-dione"
"5beta-Pregnane-3,20-dione"
"7-O-(beta-D-apiofuranosyl-1,2-beta-D-glucosyl)-5,7,4'-trihydroxyflavone"
"alpha,alpha-Trehalose"
"Ergosta-5,7,22,24,(28)-tetraen-3beta-ol"
(R)-Malate
(S)-Malate
?,?-Caroten-2-one
?,?-Carotene-2,2'-diol; (2R,2'R)-form, Monoketone
?,?-Carotene-2,2'-dione
?,?-Carotene-3',6'-dione; (5'R)-form
?,?-Carotene-4,4'-dione
?,?Caroten-2-ol; 2-Ketone
?,?Caroten-4-one; (R)-form
?-Carotenone
?-Glutamylalbizziine; L-L-form
?-Glutamyl-S-allylthiocysteine; L-L-form
?-Sorigenin; 8-O-?-D-Glucopyranoside
?-Tocopherol; 3-Carboxypropanoyl
?,?-Trehalose
1(10),4-Germacradien-6-ol; (1(10)E,4E,6?)-form, 4-Hydroxycinnamoyl
1(15),8(19)-Trinervitadiene-2,3,9-triol; (2?,3?9?-form, 2,3-Di-Ac
1(15),8-Dolastadiene-4,6,14-triol; (4?,6?14?)-form, 4,6-Di-Ac
1(15),8-Dolastadiene-4,7,14-triol; (4?,7?,14?)-form, 4,7-Di-Ac
1(15),8-Dolastadiene-6,7,14-triol; (6S,7R,14S)-form, 6,7-Di-Ac
1-(2,3-Dihydro-2-furyl)-4-(thien-2-yl)but-1-en-3-yne
1-(2,6-Dihydroxyphenyl)-1-tetradecanone, 9CI; Mono-Me ether
1-(2-Hydroxy-6-methylphenyl)-3,7,11-trimethyl-3-vinyl-6,10-dodecadiene-1,5-dione
1-(2-Isopropyl-1-methylcyclobutyl)-4-methyl-4-nonene-1,8-dione
1-(3,4-Methylenedioxyphenyl)-1-tetradecene; (E)-form
1-(3,7-Dimethyl-2,6-octadienyl)-2,3,6,8-tetrahydroxyxanthone; (E)-form, ?5'-Isomer, 7'-hydroxy, 2-Me ether
1-(3,7-Dimethyl-2,6-octadienyl)-2,3,6,8-tetrahydroxyxanthone; (E)-form, 6',7'-Epoxy, 2-Me ether
1-(3-Furanyl)-4,8-dimethyl-7-nonene-3,4,5-triol; (3R,4R,5R)-form
1-(3-Furanyl)-6,7-dihydroxy-4,8-dimethyl-1-nonanone
1-(3-Hydroxyphenyl)-1-pentanol; (-)-form
1-(5'-Phosphoribosyl)-5-amino-4-imidazolecarboxamide
1,1,1,15,15,15-Hexachloro-3,12-pentadecadiyn-8-amine; (+)-form, Dechloro, N-Ac
1,10-Dihydroxy-11(13)-eremophilen-12,8-olide; (1?,8?,10?-form, 11?,13-Dihydro
1,15-Dihydroxy-11(13)-eudesmen-12,6-olide; (1?,6?-form, 11?,13-Dihydro
1,17-Diisothiocyanato-1,16-heptadecadiene; (Z,Z)-form, 1,2-Dihydro
1,19-Dihydroxy-14-methyl-2,6,10,13-phytatetraen-12-one; (2Z,6Z,10E,13E)-form
1,19-Dihydroxy-14-methyl-2,6,10,13-phytatetraen-12-one; (2Z,6Z,10E,13E)-form, ?14(21)-Isomer
1,2,3,14,20,22,25-Heptahydroxycholest-7-en-6-one; (1?,2?,3?,5?,14?20R,22R)-form
1,2,3,14,20,22,25-Heptahydroxycholest-7-en-6-one; (1?2?,3?,5?,14?20R,22R)-form
1,2,3,4,5,7-Hexahydroxy-6-methylanthraquinone; 2,3-Di-Me ether, 7-O-?L-rhamnopyranoside
1,2,3,4,5-Pentahydroxyanthraquinone; 1,2(or 3),4-Tri-Me ether
1,2,3,4-Tetrahydro-1,1,7,8-tetramethylphenanthrene
1,2,3,5,7-Pentahydroxy-6-methylanthraquinone; 2,3-Di-Me ether
1,2,3,5,8-Pentahydroxy-6-methylanthraquinone; 1,3-Di-Me ether
1,2,3,5,8-Pentahydroxy-7-methylanthraquinone; 1,3-Di-Me ether
1,2,3,5-Tetrahydroxy-6-hydroxymethylanthraquinone; 1,3-Di-Me ether
1,2,3,6,7,8-Hexahydroxyxanthone; 2,7-Di-Me ether
1,2,3,6,7-Pentahydroxyxanthone; 1,2,3-Tri-Me, 6,7-methylene ether
1,2,3,7,8-Pentahydroxy-6-methylanthraquinone; 1,2-Di-Me ether
1,2,3,7,8-Pentahydroxy-6-methylanthraquinone; 1,3-Di-Me ether
1,2,3,7,8-Pentahydroxy-6-methylanthraquinone; 2,3-Di-Me ether
1,2,3,7,8-Pentahydroxy-6-methylanthraquinone; 2,8-Di-Me ether
1,2,3,7,8-Pentahydroxy-6-methylanthraquinone; 2,8-Di-Me ether, 3-O-?-D-glucopyranoside
1,2,3,7,8-Pentahydroxyxanthone; 2,3-Methylene, 1,7,8-tri-Me ether
1,2,3-Trihydroxy-12-ursen-23-oic acid; (1?,2?,3?)-form
1,2,3-Trihydroxy-12-ursen-28-oic acid; (1?2?3?)-form
1,2,3-Trihydroxyanthraquinone; 3-O-[?L-Rhamnopyranosyl-(1?6)-?-D-glucopyranoside]
1,2,4,5-Tetrahydroxy-7-hydroxymethylanthraquinone; 2,5-Di-Me ether
1,2,4,5-Tetrahydroxy-7-hydroxymethylanthraquinone; 2,5-Di-Me ether, 4-O-?-D-glucopyranoside
1,2,5-Trihydroxy-6-methylanthraquinone, 8CI; 2-O-[?-D-Xylopyranosyl-(1?6)-?-D-glucopyranoside]
1,2,7-Trihydroxy-6-methylanthraquinone; O2-?-Primeveroside
1,2-Diacylglycerol 3-(6-deoxy-6-sulfo-?-D-glucopyranosides); 2-O-Hexadecanoyl-1-O-(9Z,12Z,15Z-octadecatrienoyl)glycerol 3-(6-deoxy-6-sulfo-?-D-glucopyranoside), 9CI-form
1,2-Diacylglycerol 3-(6-deoxy-6-sulfo-?D-glucopyranosides); 2-O-Hexadecanoyl-1-O-(9Z,12Z,15Z-octadecatrienoyl)glycerol 3-(6-deoxy-6-sulfo-?D-glucopyranoside), 9CI-form
1,2-Di-O-acylglycerols; !Glycerol 1-(5Z,8Z,11Z,14Z,17Z-eicosapentaenoate) 2-(6Z,9Z,12Z,15Zoctadecateraenoate), 3-O-?-D-Galactopyranoside (2R-)
1,2-Di-O-acylglycerols; !Glycerol 1-(9Z,12Z,15Z-octadecatrienoate) 2-hexadecanoate, 3-O-?-D-Galactopyranoside (2S-)
1,2-Di-O-acylglycerols; !Glycerol 1,2-di-(9Z,12Z,15Z-octadecatrienoate), 3-O-?-D-Galactopyranoside (2S-)
1,2-Di-O-acylglycerols; !Glycerol 1,2-di-(9Z,12Z,15Z-octadecatrienoate), 3-O-[?-D-Allopyranosyl-(1?6)-?D-glucopyranoside]
1,2-Di-O-acylglycerols; !Glycerol 1,2-di-(9Z,12Z-octadecadienoate), 3-O-?-D-Galactopyranoside
1,2-Di-O-acylglycerols; !Glycerol 2-(5,8,11,14,17-eicosapentaenoate) 1-(6,9,12,15-octadecatetraenoate), 3-O-[?D-Galactopyranosyl-(1?6)-?D-galactopyranoside]
1,2-Di-O-acylglycerols; !Glycerol 2-(9,12,15-octadecatrienoate) 1-hexadecanoate, 3-O-[?D-Galactopyranosyl-(1?6)-?-D-galactopyranoside]
1,2-Di-O-acylglycerols; !Glycerol 2-(9Z,12Z-octadecadienoate) 1-hexadecanoate, 3-O-[?D-Galactopyranosyl-(1?6)-?-D-galactopyranoside]
1,2-Diphenyl-4-[2-(phenylthio)ethyl]-3,5-pyrazolidinedione, 9CI
1,3,11-Trihydroxygorgost-5-en-18-al; (1?3?,11?-form, 18-Carboxylic acid
1,3,14-Trihydroxycard-20(22)-enolide; (1?,3?,5?,14?)-form, 3-O-[?-D-Glucopyranosyl-(1?2)-?L-rhamnopyranoside]
1,3,14-Trihydroxycard-20(22)-enolide; (1?,3?,5?,14?)-form, 3-O-[?-D-Glucopyranosyl-(1?4)-?L-rhamnopyranoside]
1,3,14-Trihydroxycard-20(22)-enolide; (1?,3?,5?,14?)-form, 3-O-?L-Rhamnopyranoside
1,3,23-Trihydroxy-12-oleanen-28-oic acid; (1?3?)-form
1,3,24-Trihydroxycycloart-25-en-28-oic acid; (1?3?,24R)-form
1,3,24-Trihydroxycycloart-25-en-28-oic acid; (1?3?,24S)-form
1,3,25-Trihydroxycycloart-23-en-28-oic acid; (1?3?,23E)-form, 25-Me ether
1,3,25-Trihydroxycycloart-23-en-28-oic acid; (1?3?,23Z)-form
1,3,4,5,6-Pentahydroxy-2-methylanthraquinone; 4,5-Di-Me ether
1,3,4,5,7-Pentahydroxy-2-methylanthraquinone; 4,7-Di-Me ether
1,3,4,6,7-Pentahydroxyxanthone; 1,3,4-Tri-Me, 6,7-methylene ether
1,3,5,10-Farnesatetraene-7,9-diol; (3E,5E)-form, 7-Me ether, 9-Angeloyl
1,3,5,10-Farnesatetraene-7,9-diol; (3Z,5E)-form, 7-Me ether, 9-angeloyl
1,3,5,6-Tetrahydroxy-2,4-diprenylxanthone; 7-Methoxy
1,3,5-Benzenetriol, 9CI; O-(6-O-3,4,5-Trihydroxybenzoyl-?-D-glucopyranoside)
1,3,5-Bisabolatriene-1,7,12,15-tetrol
1,3,6,7-Tetrahydroxyxanthone; 3,7-Di-Me ether, 6-Ac
1,3,6,9,12-Pentadecapentaen-14-yne; (3E,6Z,9Z,12E)-form
1,3,7,11-Cembratetraen-15-ol; (All-E)-form, Me ether, 3?,4?:11?,12?-diepoxide
1,3,7,11-Cembratetraen-16-ol; (1E,3E,7E,11E,15?)-form, Carboxylic acid, Me ester
1,3,7,11-Cembratetraene-13,14-diol; (1Z,3E,7E,13S,14R)-form, 11S,12R-Epoxide, 13,14-di-Ac
1,3,7-Trihydroxy-24-methylenecycloartan-28-oic acid; (1?3?,7?)-form
1,3,8-Trihydroxy-6-methylanthraquinone, 8CI; 3-O-?-D-Apiofuranoside, 1-O-?-D-glucopyranoside
1,3-Dihydroxy-24-methylenecycloartan-28-oic acid; (1?3?)-form, 1-Ac
1,3-Dihydroxy-24-methylenecycloartan-28-oic acid; (1?3?)-form, 1-Ketone
1,3-Dihydroxy-2-hydroxymethylanthraquinone; 3-O-[?-D-Xylopyranosyl-(1?6)-?-D-glucopyranoside]
1,4,5,7-Tetrahydroxy-2-(1-hydroxypropyl)anthraquinone
1,4-Dihydroxy-11(13)-eudesmen-12,6-olide; (1?,4?OH,6?-form, 11?,13-Dihydro
1,4-Dihydroxy-11(13)-eudesmen-12,6-olide; (1?,4?OH,6?-form, 11?13-Dihydro
1,4-Dihydroxy-11(13)-pseudoguaien-12-oic acid; (1?,4?5?10?-form
1,4-Dihydroxy-12,6-eudesmanolide; (1?,4?6?11?H)-form
1,4-Dihydroxy-12,6-eudesmanolide; (1?4?6?,11?H)-form
1,4-Epoxy-6-eudesmanol; (1?,4?,5?,6?,10?-form, 6-Cinnamoyl
1,6,10-Farnesatrien-3-ol; (S)-form, O-[?L-Rhamnopyranosyl-(1?4)-?L-rhamnopyranosyl-(1?2)-?-D-glucopyranoside]
1,6,10-Farnesatrien-3-ol; (S)-form, O-[?L-Rhamnopyranosyl-(1?4)-?L-rhamnopyranosyl-(1?6)-?-D-glucopyranoside]
1,6,9,12,15,18-Heneicosahexaene, 9CI, 8CI; (all-Z)-form, 6,7:12,13:15,16-Triepoxide
1,6,9,12,15,18-Heneicosahexaene, 9CI, 8CI; (all-Z)-form, 6,7:12,13:15,16-Triepoxide,18,19-dihydro
1,6,9,12,15,18-Heneicosahexaene, 9CI, 8CI; (all-Z)-form, 6,7:15,16-Diepoxide
1,6,9,12,15,18-Heneicosahexaene, 9CI, 8CI; (all-Z)-form, 9,10:15,16-Diepoxide
1,6-Cyclo-1,10-secoergosta-5,7,9,22-tetraen-3-ol, 9CI; (3?22E)-form
1,7-Nonadecadiene-2,3-dicarboxylic acid; (3?,7Z)-form
10,12-Epoxy-4,10-seco-2,13(15),17-spatatriene-5,10,12-triol; (5R,10S,12R,13(15)Z)-form, 10,12-Di-Me ether, 5-Ac
10,12-Octadecadienoic acid; (E,E)-form
10,17-Dihydroxyheptadecanoic acid
10,18-Dihydroxy-2,8-dolabelladien-6-one; (2E,8Z,10?-form, Di-Ac
10-Hydroperoxy-6-hydroxy-2,11-bisaboladien-1-one
10-Hydroxy-2,8-decadiene-4,6-diynoic acid; (Z,Z)-form, 8,9-Epoxide, Me ester
10-Methyl-6,9-heptadecadienoic acid; (Z,Z)-form
10-Octadecen-8-ynoic acid; (Z)-form
10-Octadecenoic acid; (E)-form
10-Octadecenoic acid; (Z)-form
10-Propyl-5,9-tridecadien-1-ol, 9CI; (E)-form, Ac
11-(4-Acetylphenyl)-17-hydroxy-17-(1-propynyl)estra-4,9-dien-3-one, 9CI
11,13(18)-Oleanadiene-3,16,23,28,30-pentol; (3?,16?)-form
11,14,17,20,23-Nonacosapentaenoic acid; (all-Z)-form
11,15(17)-Trinervitadiene-3,9,13-triol; (1?,3?8?,9?,13?-form, 3,13-Di-Ac
11,17-Dihydroxy-6-methyl-17-(1-propynyl)androsta-1,4,6-trien-3-one, 9CI
11-Cycloheptylundecanoic acid
11-Hexadecen-1-ol; (E)-form, Ac
11-Hexadecen-1-ol; (Z)-form, Ac
11-Hydroperoxy-6-hydroxy-2,9-bisaboladien-1-one
11-Hydroxy-?isomangostin
11-Octadecen-9-ynoic acid; (E)-form
11-Octadecenoic acid; (E)-form
11-Octadecenoic acid; (Z)-form
12,15-Epoxy-1,2-dinor-6,10-phytadien-3-one; (6E,10E)-form
12,15-Oleanadiene-3,21,22,24,28-pentol; (3?,21?22?-form
12,20-Dihydroxy-3,4-secodammara-4(28),24-dien-3-oic acid; 12?-form, 12-O-?-D-Xylopyranoside, Me ester
12,23-Epoxy-3,23-dihydroxy-24-methyllanost-8-en-26-oic acid; (3?12?,23?,24R,25?)-form
12a-Hydroxydolineone; (+)-form, Me ether
12a-Hydroxypachyrrhizone; (+)-form
12-Hydroxy-5,8,10,14,17-eicosapentaenoic acid; (5Z,8Z,10E,12S,14Z,17Z)-form, Me ester
12-Hydroxycarda-8,14,16,20(22)-tetraenolide; (5?,12?)-form
12-Octadecenoic acid; (E)-form
12-Oleanene-1,2,3,11-tetrol; (1?,2?3?,11?-form, 3-Ac
12-Oleanene-3,11,16,23,28-pentol; (3?,11?16?)-form, 11-Ketone
12-Oleanene-3,15,16,22,28-pentol; (3?,15?16?22?-form, 3-Ketone
12-Oleanene-3,16,21,22,24,28-hexol; (3?,16?21?,22?-form, 21-O-(3,4-Diangeloyl-?-D-fucopyranoside)
12-Oleanene-3,16,21,22,24,28-hexol; (3?,16?21?,22?-form, 21-O-(3,4-Diangeloyl-6-deoxy-?-D-glucopyranoside)
12-Oleanene-3,16,21,22,28-pentol; (3?,16?21?,22?-form, 22-Ketone
12-Oleanene-3,16,21,22,28-pentol; (3?,16?21?,22?-form, 28-Ac, 21-(3,4-di-O-angeloyl-?L-arabinopyranoside)
12-Oleanene-3,16,21,22,28-pentol; (3?,16?21?,22?-form, 28-Aldehyde
12-Oleanene-3,16,21,22,28-pentol; (3?,16?21?,22?-form, 3-Ketone
12-Oleanene-3,16,22,28-tetrol; (3?,16?22?-form, 16-Ac
12-Oleanene-3,16,28,29-tetrol; (3?,16?-form, 29-Carboxylic acid
12-Oleanene-3,16,28-triol; (3?,16?)-form, 3-O-?-D-Galactopyranoside
12-Oleanene-3,16,28-triol; (3?,16?)-form, 3-O-?-D-Glucopyranoside
12-Oleanene-3,22,24-triol; (3?,22?)-form, 22-O-?-D-Glucopyranoside
12-Oleanene-3,22,24-triol; (3?,22?)-form, 24-O-?-D-Glucopyranoside
12-Oleanene-3,22,24-triol; (3?,22?)-form, 3,24-Carbonate (cyclic ester)
12-Oleanene-3,6,16,28-tetrol; (3?,6?,16?-form, 16-Ac
12-Ursene-1,2,3,11-tetrol; (1?,2?3?,11?-form, 3-Ac
12-Ursene-2,3,11,20-tetrol; (2?3?,11?20?)-form, 3-Ac
12-Ursene-3,11-diol; (3?,11?-form, 11-Hydroperoxide, 12?,13?-epoxide, 3-Ac
13-(2-Cyclopentenyl)tridecanoic acid
13-(2-Cyclopentenyl)tridecanoic acid; (S)-form, 6,7-Didehydro
13-(2-Cyclopentenyl)tridecanoic acid; ?-form, 2',3'-Dihydro
13-(2-Cyclopentenyl)tridecanoic acid; ?-form, 4,5-Didehydro(Z-)
13-(2-Cyclopentenyl)tridecanoic acid; ?-form, 9,10-Didehydro
13,28-Epoxy-3,16,22-oleananetriol; (3?,13?,16?22?-form, 22-Ac
13,28-Epoxy-3,16-dihydroxy-30-oleanal; (3?,13?,16?-form, 16-Ketone, 30-di-Me acetal
13-Docosenoic acid; (Z)-form, Amide
13-Ethyl-4,17-dihydroxy-18,19-dinorpregn-4-en-3-one, 9CI
13-Hexadecen-11-yn-1-ol; (Z)-form, Ac
13-Hydroxy-3-cleroden-15-oic acid; (ent-13?)-form, Me ester
13-Hydroxy-9,11-octadecadienoic acid, 9CI; (9E,11E,13R)-form, Lactone
13-Hydroxy-9,11-octadecadienoic acid, 9CI; (9Z,11E,13S)-form, Lactone
13-Hydroxylupanine; O-(3,4-Dimethoxybenzoyl)
13-Methyl-3-oxo-20-ursen-28-oic acid
13-Octadecenoic acid; (Z)-form
13-Phenyltridecanoic acid, 8CI
14-(3,4-Methylenedioxyphenyl)-2-tetradecanol
14-(3-Furanyl)-3,7,11-trimethyl-7,11-tetradecadienoic acid, 9CI
14,15-Epoxy-8(17),12-labdadien-16-oic acid; (12E,14?)-form, Me ester
14-Desmethyllanosterol
14-Hydroxy-1,2-dinor-6,10,15-phytatrien-3-one; (6E,10E,14R)-form
14-Hydroxy-2,6,10-trimethyl-10-pentadecen-4-one
14-Hydroxy-2,6,10-trimethyl-10-pentadecen-4-one; 5,6-Didehydro
14-Labdene-3,6,8,12,13,20-hexol; (3?6?,8?12R,13S)-form, 3,6,8,12,20-Penta-Ac
14-Methyl-9,19-cyclocholest-24-en-3-ol; (3?,5?9?,14?-form
14-Methyl-9,19-cycloergost-24(28)-en-3-ol; (3?,5?9?,14?-form
14-Methyl-9,19-cycloergost-25-en-3-ol, 9CI; (3?,5?-form
14-Methylcholesta-8,24-dien-3-ol; (3?,5?14?-form
14-Methylergosta-9(11),24(28)-dien-3,7-diol; (3?5?7?-form
14-Methylergosta-9(11),24(28)-dien-3-ol, 9CI; (3?,5?14?-form
14-Serratene-3,21,24,30-tetrol; (3?,21?)-form, 24-Carboxylic acid
14-Serratene-3,21,30-triol; (3?,21?-form, 30-Aldehyde, 21-ketone, 3-Me ether
15,16-Dihydroxy-12-isocopalen-11-one; Di-Ac
15,16-Dinor-8(17)-labdene-3,13-diol; (3?,13?)-form
15,16-Epoxy-3,12-clerodadiene-15,16-diol; (ent-12Z,15?,16?)-form, Di-Ac
15,16-Epoxy-3-clerodene-15,18-diol; (ent-13R,15R)-form, 15-Me ether
15,16-Epoxy-3-clerodene-7,15,18-triol; (ent-7?,13?,15?)-form, 15-Me ether
15,16-Epoxy-4(18),12-clerodadiene-15,16-diol; (ent-12Z,15?,16?)-form, Di-Ac
15,17-Dihydroxy-12-isocopalen-16-al; Di-Ac
15,17-Dihydroxy-3,13-clerodadien-2-one; (5?8?13E)-form, Di-Ac
15,20-Dihydroxypregn-4-en-3-one; (15?20R)-form
15,20-Dihydroxypregn-4-en-3-one; (15?20R)-form, 20-O-[?-D-Glucopyranosyl-(1?4)-6-O-acetyl-?-D-glucopyranoside]
15,22-Dihydroxy-24-hopanoic acid; 15?form, 15-Ac
15-Beyerene-1,12,17-triol; (ent-1?,12?-form, 1,12-Di-Ac
15-Beyerene-1,12,17-triol; (ent-1?,12?-form, 1,17-Di-Ac
15-Hydroxy-16-kauren-19-oic acid; (ent-15?)-form, 2-Methylpropenoyl
15-Hydroxy-17-nor-8-labden-7-one; 13?-form, Ac
15-Hydroxypregnane-3,20-dione, 9CI; (5?,15?)-form
15-Kaurene-7,17,18-triol; (ent-7?-form, 7,17-Di-Ac
15-Nor-9,10-seco-5(10),8,11-labdatrien-14-oic acid
15-Octadecenoic acid; (E)-form
16,17,19-Kauranetriol; (ent-16?OH)-form, 19-Aldehyde, 16-Me ether
16,17-Dihydroxypregn-4-ene-3,20-dione, 9CI; (16?,17?OH)-form, 16,17-Acetonide
16,19-Kauranediol; (ent-16?OH)-form, 19-Carboxylic acid, 16-Me ether
16,23:16,24-Diepoxycycloart-7-ene-3,15,25-triol; (3?,15?23R,24S)-form, 3-O-?-D-Galactopyranoside
16,23;24,25-Diepoxy-23-hydroxycycloartan-3-one; (16?,23?OH,24?)-form, Me ether
16,24:20,24-Diepoxycycloartane-3,7,25-triol; (3?,7?,16?24R)-form
16-[[3-(4-Hydroxyphenyl)-1-oxo-2-propenyl]oxy]hexadecyl 16-[[3-(4-hydroxyphenyl)-1-oxo-2-propenyl]oxy]hexadecanoate, 9CI; (E,E)-form
16-[[3-(4-Hydroxyphenyl)-1-oxo-2-propenyl]oxy]hexadecyl 16-[[3-(4-hydroxyphenyl)-1-oxo-2-propenyl]oxy]hexadecanoate, 9CI; (Z,Z)-form
16-Hydroxy-11-kauren-19-oic acid; (ent-16?)-form, Me ester
16-Hydroxy-3,13-clerodadien-15,16-olide; (ent-16R)-form, Me ether
16-Hydroxy-8-tricosene-4,6,17,19-tetraynoic acid; (8E,16S)-form
16-Hydroxypregn-4-en-3-one, 9CI
16-Hydroxypregn-4-en-3-one, 9CI; 16?form
16-Hydroxypregnane-3,20-dione, 9CI; (5?,16?-form
16-Hydroxypregnane-3,20-dione, 9CI; (5?16?-form
16-Kauren-19-ol; ent-form, 19-Carboxylic acid, Me ester
16-Kaurene-3,19-diol; (ent-3?)-form, 19-Succinoyl ester
16-Methyl-6,9,12-heptadecatrienoic acid
16-Methyl-6,9-heptadecadienoic acid
16-Methyl-6-heptadecenoic acid; (Z)-form
16-Methyl-8-heptadecenoic acid; (Z)-form
16-Methyl-9,12-heptadecadienoic acid
16-Octadecenoic acid; (E)-form
17-(2-Furanyl)-3,7,9-heptadecatrien-6-ol; (3E,6?,7E,9E)-form
17,18:18,19-Diepoxy-1(9),6,13-xenicatrien-19-ol; Me ether
17,18-Epoxy-1(19),7,10,12-xenicatetraene-6,14,17-triol; (6?7Z,10Z,12E,17?-form, 14-Deoxy, 17-Me ether
17,19-Kauranediol; (ent-16?)-form, 17-Carboxylic acid, 19-aldehyde, Me ester
17,20-Epoxy-23-methylergost-5-ene-3,22-diol; (3?,17?,20R,22?,23?,24?)-form
17,20-Epoxy-23-methylergost-5-ene-3,22-diol; (3?,17?,20R,22?,23?,24?)-form, Di-Ac
17alpha-Hydroxypregnenolone
17beta-Hydroxyandrostan-3-one
17-Hydroperoxy-28-nor-3-friedelanone; 17?form
17-Hydroxy-28-nor-3-friedelanone; 17?-form
17-Hydroxy-28-nor-3-friedelanone; 17?-form, 25-Hydroxy
17-Hydroxy-7,17-dimethylandrost-4-en-3-one, 9CI, 8CI; (7?,17?OH)-form
17-Hydroxyandrost-4-en-3-one; 17?-form, 17-(3-Oxododecanoyl)
17-Hydroxyandrostan-3-one; (5?,17?)-form
17-Octadecen-9-ynoic acid
18-Fluoro-9-octadecenoic acid; (Z)-form, 9,10-Epoxide
18-Hydroxy-15-nor-8(17),12-labdadien-14-al; (12E)-form
18-Hydroxyoctadecanoic acid, 9CI; Lactone
19,28-Epoxy-24-noroleanane; 19?-form
19-Hydroxy-15,16-dinor-8(17)-labden-13-one
19-Hydroxy-30-nor-22-hopanone; 19?form
19-Nor-3,5-clerodadien-15-ol; (ent-13?)-form, 15-Carboxylic acid
19-Nor-8(17),13-labdadien-15-oic acid; (13E)-form
19-Norstigmasta-5,22-dien-3-ol; (3?,22E,24S)-form
1-alpha-D-Galactosyl-myo-inositol
1-De-L-lysine-2-[N2(2,6-diaminohexyl)-L-lysine]neuromedin N (pig spinal cord), 9CI
1-Ethyl-4-(4-fluorophenyl)-3-[4-(methylsulfonyl)phenyl]-5-(trifluoromethyl)-1H-pyrazole, 9CI
1'-Ethyl-6,7-dihydro-5-[[2'-methyl-4'-(5-methyl-1,3,4-oxadiazol-2-yl)[1,1'-biphenyl]-4-yl]carbonyl]spiro[2H-furo[2,3-f]indole-3(5H),4'-piperidine], 9CI
1-Hydroxy-2,5,10-nonadecatrien-4-one; (2E,5E,10Z)-form, Ac
1-Hydroxy-2,5,10-nonadecatrien-4-one; (2E,5E,10Z)-form, Aldehyde
1-Hydroxy-2,5,12-nonadecatrien-4-one; (2E,5E,12Z)-form, Ac
1-Hydroxy-2,5,12-nonadecatrien-4-one; (2E,5E,12Z)-form, Aldehyde
1-Hydroxy-2,5,14-nonadecatrien-4-one; (2E,5E,14Z)-form, Ac
1-Hydroxy-2,5,14-nonadecatrien-4-one; (2E,5E,14Z)-form, Aldehyde
1-Hydroxy-2,6,10,14-phytatetraen-19-oic acid; (2E,6E,10E)-form, Me ether
1-Hydroxystigmast-4-en-3-one; (1?,24S)-form
1-Isopropyl-4,6-dimethylnaphthalene
1-O-?D-Glucopyranosyl-D-fructose, 9CI
1-Phenyl-1,3-pentadecanedione
2-(1,3-Benzodioxol-5-yl)-5,6-dimethoxy-4H-furo[2,3-h]-1-benzopyran-4-one, 9CI
2-(3,4-Dihydroxyphenyl)-5-hydroxy-4H-furo[2,3-h]-1-benzopyran-4-one, 9CI; 5-Me, 3',4'-methylene ether
2-(3,4-Dihydroxyphenyl)ethanol; 3'-Me ether, 1-O-octacosanoyl
2-(3,7-Dimethyl-2,6-octadienyl)-6-(3-methyl-2-butenyl)-1,3,5-benzenetriol; (E)-form, 5-Me ether, 1-Ac
2-(4-Ethylphenyl)-4-phenyl-1-butene
2-(7-Hexadecenyl)-3-methyl-2-butenedioic acid, 9CI
2-(8-Cyclohexyloctyl)-3-hydroxy-1,4-naphthoquinone, 8CI
2-(9-Decenyl)-2-pentenedioic acid, 9CI
2,16-Dihydroxy-8(17),13-labdadien-15-oic acid; (ent-2?13Z)-form, 15?16-Lactone, 2-Me ether
2,2',3,3'-Tetrahydroxy-?,?-carotene-4,4'-dione; 4'-Deoxo, 2'-deoxy
2,2,7,7-Tetramethyl-1,6-dioxaspiro[4.4]nona-3,8-diene
2,3,11,14,20,22,25-Heptahydroxycholest-7-en-6-one; (2?,3?,5?,11?14?20R,22R)-form
2,3,14,16,20,22,25-Heptahydroxycholest-7-en-6-one; (2?,3?,5?,14?16?,20R,22R)-form
2,3,14,19,20,22,25-Heptahydroxycholest-7-en-6-one
2,3,14,19,20,22,25-Heptahydroxycholest-7-en-6-one; (2?,3?,5?,20R,22R)-form
2,3,14,20,22,23,25-Heptahydroxycholest-7-en-6-one; (2?,3?,5?,14?20R,22R,23S)-form
2,3,14,20,22,24,25-Heptahydroxycholest-7-en-6-one; (2?,3?,5?,14?22R,24R)-form
2,3,14,20,22,24,25-Heptahydroxycholest-7-en-6-one; (2?,3?,5?,14?22R,24S)-form
2,3,14,20,22,25,26-Heptahydroxycholest-7-en-6-one
2,3,14,20,22,25,26-Heptahydroxycholest-7-en-6-one; (2?,3?,5?,20R,22R)-form
2,3,14,20,22,25,26-Heptahydroxycholest-7-en-6-one; (2?,3?5?,20R,22R)-form
2,3,16-Trihydroxy-12-oleanen-28-oic acid; (2?,3?,16?-form
2,3,18-Trihydroxy-12-oleanen-28-oic acid; (2?3?,18?)-form
2,3,19-Trihydroxy-12-oleanen-28-oic acid; (2?3?,19?-form
2,3,19-Trihydroxy-12-oleanen-29-oic acid; (2?3?,19?
2,3,19-Trihydroxy-12-ursen-28-oic acid; (2?,3?,19?-form
2,3,19-Trihydroxy-12-ursen-28-oic acid; (2?3?,19?-form
2,3,19-Trihydroxy-12-ursen-28-oic acid; (2?3?,19?-form, 2-Ketone, ?-D-glucopyranosyl ester
2,3,19-Trihydroxy-12-ursen-28-oic acid; (2?3?19?-form
2,3,19-Trihydroxy-12-ursen-28-oic acid; (2?3?19?-form, 2,3-O-Isopropylidene
2,3,19-Trihydroxy-12-ursen-28-oic acid; (2?3?19?-form, Me ester
2,3,21-Trihydroxy-12-oleanen-28-oic acid; (2?3?,21?)-form
2,3,22-Stictanetriol; (2?3?,22?-form, 22-Ketone, 2,3-di-Ac
2,3,23-Trihydroxy-11,13(18)-oleanadien-28-oic acid; (2?,3?)-form, 3-O-?-D-Glucopyranoside
2,3,23-Trihydroxy-12,18-ursadien-28-oic acid; (2?3?)-form, ?-D-Glucopyranosyl ester
2,3,23-Trihydroxy-12,19-ursadien-28-oic acid; (2?3?)-form, ?-D-Glucopyranosyl ester
2,3,23-Trihydroxy-12-oleanen-28-oic acid; (2?,3?)-form
2,3,23-Trihydroxy-12-oleanen-28-oic acid; (2?3?)-form
2,3,23-Trihydroxy-12-oleanen-28-oic acid; (2?3?)-form, 2-Me ether
2,3,23-Trihydroxy-12-oleanen-28-oic acid; (2?3?)-form, Me ester
2,3,23-Trihydroxy-12-oleanen-28-oic acid; (2?3?-form
2,3,23-Trihydroxy-12-ursen-28-oic acid; (2?,3?)-form
2,3,23-Trihydroxy-12-ursen-28-oic acid; (2?3?)-form
2,3,23-Trihydroxy-12-ursen-28-oic acid; (2?3?-form
2,3,23-Trihydroxy-20(29)-lupen-28-oic acid; (2?3?)-form
2,3,24-Trihydroxy-12-oleanen-28-oic acid; (2?,3?)-form
2,3,24-Trihydroxy-12-oleanen-28-oic acid; (2?3?)-form
2,3,24-Trihydroxy-12-oleanen-28-oic acid; (2?3?-form
2,3,24-Trihydroxy-12-ursen-28-oic acid; (2?3?)-form
2,3,24-Trihydroxy-12-ursen-28-oic acid; (2?3?-form
2',3,3',4,4'-Pentahydroxychalcone; (E)-form, 4'-O-(6-O-Acetyl-?-D-glucopyranoside)
2',3,4',5,5',7-Hexahydroxyflavanone
2',3,4',5,7-Pentahydroxyflavone; 2',4'-Di-Me ether
2,3',4',5,7-Pentahydroxyisoflavone; 3',5-Di-Me ether
2,3',4'-Trihydroxyacetophenone, 8CI; 2-O-(3,4-Dihydroxy-E-cinnamoyl)
2,3,5,11,14,20,22-Heptahydroxycholest-7-en-6-one
2,3,5,11,14,20,22-Heptahydroxycholest-7-en-6-one; (2?,3?,5?,11?20R,22R)-form
2,3,5,14,20,22,24-Heptahydroxycholest-7-en-6-one; (2?,3?,5?,20R,22R,24S)-form
2,3,5,14,20,22,25-Heptahydroxycholest-7-en-6-one, 9CI; (2?,3?,5?,14?20R,22R)-form
2,3,5,14,20,22,25-Heptahydroxycholest-7-en-6-one, 9CI; (2?3?5?,14?20R,22R)-form
2,3,5,14,20,22,26-Heptahydroxycholest-7-en-6-one; (2?,3?,5?,14?20R,22R,25R)-form
2',3,5,5',7-Pentahydroxyflavone; 5',7-Di-Me ether
2',3',5,6,7-Pentahydroxyisoflavone; 2',5-Di-Me ether
2',3',5,6,7-Pentahydroxyisoflavone; 2',7-Di-Me ether
2',3',5,7,8-Pentahydroxyflavone; 7,8-Di-Me ether, 3'-O-?-D-glucopyranoside
2',3',5,7,8-Pentahydroxyisoflavone; 2',7-Di-Me ether
2,3,6a,8,9-Pentahydroxypterocarpan; 2-Me, 8,9-methylene ether
2,3,6a,8,9-Pentahydroxypterocarpan; 3-Me, 8,9-methylene ether
2,3,6-Trihydroxy-12-oleanen-28-oic acid; (2?3?,6?)-form
2,3,6-Trihydroxy-12-ursen-28-oic acid; (2?3?,6?)-form
2,3,6-Trihydroxy-20(29)-lupen-28-oic acid; (2?3?,6?)-form
2,3-Dihydro-3,5-dihydroxy-2-methylnaphthoquinone
2,3-Dihydroxy-?,?-caroten-4-one; (2R*,3S*)-form
2,3-Dihydroxy-?,?-caroten-4-one; (2R,3R)-form
2,3-Dihydroxy-12-oleanen-28-oic acid; (2?3?)-form, 2-Me ether, 3-Ac, Me ester
2,3-Dihydroxy-23-oxo-12-oleanen-28-oic acid; (2?3?)-form, 3-O-?-D-Glucopyranoside
2,3-Dihydroxy-4(18)-cleroden-15-oic acid; (ent-2?,3?13?)-form, Me ester
2,3-Dihydroxypregn-17(20)-en-16-one; (2?,3?,5?17(20)E)-form
2,3-Dihydroxypregn-17(20)-en-16-one; (2?,3?,5?17(20)Z)-form
2,3-Dihydroxypregnan-16-one; (2?3?,5?-form
2',4',5,5',6-Pentahydroxyflavone; 2',6-Di-Me ether
2',4',5,5',7-Pentahydroxyflavone; 4',5'-Di-Me ether
2',4',5,5',7-Pentahydroxyflavone; 5,7-Di-Me ether
2',4',5,5',7-Pentahydroxyisoflavanone; (?)-form, 4',5'-Methylene, 2'-Me ether
2',4',5,5',7-Pentahydroxyisoflavone; 4',5'-Di-Me ether
2',4',5',6,7-Pentahydroxyisoflavone; 4',6-Di-Me ether, 2'-O-?-D-glucopyranoside
2',4',5',7-Tetrahydroxyisoflavene; 2'-Me, 4',5'-methylene ether, 7-O-(6-O-malonyl-?-D-glucopyranoside)
2,4,6-Decatrienoic acid; (2E,4E,6Z)-form, Me ester
2,4,6-Decatrienoic acid; (2E,4Z,6Z)-form, Me ester
2,4-Dihydroxy-11(13)-eudesmen-12-oic acid; (2?,4?-form
2,4-Dihydroxy-11(13)-eudesmen-12-oic acid; (2?4?-form
2,4-Dihydroxy-12,8-pseudoguaianolide; (1?2?4?,5?,8?,10?11?H)-form
2',5,5',6,7-Pentahydroxyisoflavone; 5',6-Di-Me ether
2',5,5',7,8-Pentahydroxyflavone; 7,8-Di-Me ether
2',5,6,6',7-Pentahydroxyflavone; 6,7-Di-Me ether, 2'-O-?-D-glucopyranoside
2',5,6',7,8-Pentahydroxyflavone; 2',8-Di-Me ether
2',5,6,7,8-Pentahydroxyflavone; 6,8-Di-Me ether
2',5,6,7,8-Pentahydroxyflavone; 7,8-Di-Me ether
2',5,6',7,8-Pentahydroxyflavone; 7,8-Di-Me ether
2',5,6',7,8-Pentahydroxyflavone; 7,8-Di-Me ether, 2'-O-?-D-glucopyranoside
2,5-Dihydroxy-3-methyl-6-(10-pentadecenyl)-1,4-benzoquinone; (Z)-form, 2-Ac
2,5-Dihydroxy-3-methyl-6-(10-pentadecenyl)-1,4-benzoquinone; (Z)-form, 5-Ac
2,6,10,15,19,23-Hexamethyl-2,6,10,12,14,18,22-tetracosaheptaene; 10,11,12,13-Tetrahydro, 10,11-dihydroxy, 14,15-epoxide, 11-O-?-D-mannopyranoside
2,6-Diamino-3a,4,9,10-tetrahydro-10-hydroxy-1H,8H-pyrrolo[1,2-c]purine-4-methanol, 9CI; 9?-Hydroxy, 11-Ac, 9-sulfate
2,7-Dolabelladiene-6,10,18-triol; (2E,7Z,10?-form, 6-Ketone, di-Ac
2,8,10-Pentadecatriene-4,6-diyne, 8CI; (all-E)-form
2,9,12-Octadecatrienoic acid; (2E,9Z,12Z)-form
2,9:3,16-Diepoxy-7(19)-asbestinene-4,11-diol; (4?,11?)-form, 4-Ketone, 11-butanoyl
2-[2-(2,4-Dihydroxy-6-methylbenzoyl)-3-hydroxybenzyl]-6-hydroxy-4H-1-pyran-4-one; 5'-Hydroxy
20,24-Epoxy-3,16,25-trihydroxycycloartan-12-one; (3?,16?,20R,24S)-form
20,24-Epoxy-3,16,25-trihydroxycycloartan-6-one; (3?,16?,20R,24S)-form
20,24-Epoxy-3,25-dihydroxy-5-cucurbiten-11-one; (3?,20S,24S)-form, 16?-Hydroxy
20,24-Epoxy-6,16,25-trihydroxycycloartan-3-one; (6?16?,20R,24S)-form
20,24-Epoxy-6,25-dihydroxycycloartane-3,16-dione; (6?20R,24S)-form, 6-O-?-D-Glucopyranoside
20,24-Epoxydammarane-3,6,12,25-tetrol; (3?,6?12?,20S,24S)-form, 6-O-[?L-Rhamnopyranosyl-(1?2)-6-O-acetyl-?-D-glucopyranoside]
20alpha-Hydroxy-4-pregnen-3-one
20-Hydroxy-30-norursan-3-one; 20?form
20-Hydroxypregn-4-en-3-one; (20R)-form
20-Hydroxypregn-4-en-3-one; (20S)-form
20-Lycopenal; (13Z)-form
21,22-Epoxy-3-hydroxy-12-oleanen-28-oic acid; (3?,21?,22?)-form, Me ester
21,24-Epoxy-2-hydroxy-24-methyllanosta-1,9(11)-dien-3-one; (20?,24?)-form
21-Hydroxy-13-serratene-3,15-dione; 21?form, Me ether
21-Hydroxy-29-nor-22-hopanone; 21?-form
22,28-Dihydroxy-23-hopanoic acid; 28-Ac
22,29,30-Trinor-21-hopanol; 21?-form, Ac
22,29-Epoxy-30-norhopan-13-ol; (13?,22?)-form
22-Hydroxy-30-nor-21-gammaceranone; 22?-form
22-Methylcholesta-5,23-dien-3-ol; (3?,22?)-form
22-Methylenecholest-5-en-3-ol
22-Methylenecholest-5-en-3-ol; 3?-form
23,24-Methylenecholesterol; (23R,24R)-form
23,25-Cyclostigmast-5-en-3-ol; (3?,23S,24S)-form
23-Demethylgorgosterol
23-Ethyl-24,26-cyclocholest-5-en-3-ol; (3?,23R,24S,25S)-form
23-Ethylcholesta-11,23-dien-3-ol; (3?,5?23E)-form
23-Methyl-24,26-cyclocholest-5-en-3-ol; (3?,23R,24R,25S)-form
23-Methyl-27-norergosta-5,25-dien-3-ol
23-Methyl-27-norergosta-5,25-dien-3-ol; (3?,23R,24S)-form
23-Methylcholesta-5,22-dien-3-ol; (3?,22?)-form
23-Methylergost-16-ene-3,5,6,20-tetrol; (3?,5?6?,20R,23?,24?)-form
23-Methylergost-22-en-3-ol; (3?,5?22E,24R)-form, 7,8-Didehydro
23-Methylergosta-5,17(20)-dien-3-ol, 9CI; (3?,17(20E),23R,24R)-form
23-Methylergosta-5,17(20)-diene-3,22,25-triol; (3?,17(21)E,22S,23S,24S)-form
23-Methylergosta-5,17(20)-diene-3,22,25-triol; (3?,17(21)E,22S,23S,24S)-form, 22-Deoxy, 28-hydroxy
23-Methylergosta-5,22-dien-3-ol; (3?,22E,24?)-form
23-Methylergosta-5,22-diene-3,7-diol; (3?,7?24R)-form
23-Methylergosta-7,22-diene-3,5,6-triol; (3?,5?6?,22E,24R)-form
23-Norgorgost-5-ene-1,3,11-triol; (1?3?,11?-form
23-Norgorgost-7-ene-3,5,6-triol; (3?,5?6?,22R,23R,24R)-form
24,25-Epoxy-16,24-dihydroxy-20,24-dimethyl-12-scalaranone; (16?,24?)-form, 24-Me ether, 16-Ac
24,25-Epoxy-29-norcycloartan-3-ol
24,25-Epoxy-29-norcycloartan-3-ol; 3?-form
24,26-Dimethylcholest-5-en-3-ol; (3?,24S,25S)-form, 25,26-Didehydro
24,26-Dimethylcholesta-5,25-dien-3-ol; (3?,24S,25E)-form
24,26-Dimethylcholesta-5,25-dien-3-ol; (3?,24S,25Z)-form
24-Hydroperoxystigmasta-5,28-dien-3-ol; (3?,24?)-form
24-Methylcholesta-5,22-dien-3-ol; (3?,22E,24R)-form
24-Methylcholesta-5,22-dien-3-ol; (3?,22E,24R)-form, 3-Ketone
24-Methylcholesta-5,22-dien-3-ol; (3?,22E,24S)-form
24-Methylene-28,29-dinorcycloartane-3,4,6-triol; (3?,4?6?-form
24-Methylergosta-5,25-dien-3-ol; 3?-form
24-Nor-5-oleanen-3-ol; (3?,4?)-form
25-Methyl-24-methylenecholest-5-en-3-ol; 3?-form
25-Methylergosta-7,24(28)-dien-3-ol, 9CI; (3?,5?-form
25-Nor-9(11)-friedelen-3-ol; 3?form
26,27-Cyclo-24,26-dimethylcholest-5-ene-3,7-diol; (3?,7?24R,25R,26R)-form
26,27-Dimethyl-9,10-secocholesta-5,7,10(19)-triene-3,25-diol
26-Methylergosta-5,24(28)-dien-3-ol
26-Methylergosta-5,24(28)-dien-3-ol; (3?,25S)-form
26-Methylergosta-5,26-dien-3-ol
26-Methylergosta-5,26-dien-3-ol; (3?,24R)-form
26-Nor-14-friedelen-3-ol; 3?-form
27-Norergosta-5,22-dien-3-ol; (3?,22E,24S)-form, Me ether
27-Norstigmasta-5,22,25-trien-3-ol; (3?,22E,24?)-form
28-Nor-12,17-lupadiene-3,16-diol; (3?,16?-form, 3-Ac
28-Nor-12,20(30)-ursadiene-3,17-diol; (3?,18?-form, 3-Ac
28-Nor-12-oleanen-3-ol; 3?-form
28-Nor-12-oleanene-3,17-diol; (3?,17?)-form
28-Nor-12-ursen-3-ol; 3?-form
28-Nor-20(29)-lupene-3,17-diol; (3?,17?)-form
29-Norcycloart-23-ene-3,25-diol
29-Norcycloart-23-ene-3,25-diol; (3?,23E)-form
29-Norcycloart-24-en-3-ol; 3?-form
29-Norcycloart-24-en-3-ol; 3?-form, 24,25-Epoxide
29-Norcycloarta-3,24-dien-23-one
29-Norcycloarta-3,24-dien-23-one; Tetrahydro
29-Norcycloartan-3-ol; 3?-form, 24,25-Didehydro
29-Norcycloartan-3-ol; 3?-form, Ketone
29-Norlanosta-8,23-diene-3,25-diol; (3?,23E)-form, 25-Hydroperoxide
29-Norlanosta-8,24-diene-1,2,3-triol; (1?2?3?)-form
29-Norlanosta-8,25-diene-3,24-diol; (3?,24?)-form, 24-Hydroperoxide
29-Norlanosterol
2-Acetyl-1,3,6,8-tetrahydroxyanthraquinone; 1'R-Alcohol, 1'-Me ether
2-Amino-3-azidopropanoic acid; (S)-form
2-Amino-3-pyridinethiol, 9CI
2-Amino-6-octadecene-1,3,4-triol; (2?,3?,4?,6?)-form, N-(2-Hydroxydocosanoyl), 1-O-?-D-glucopyranoside
2-Amino-6-octadecene-1,3,4-triol; (2S,3S,4R,6E)-form, N-(2R-Hydroxytetracosanoyl)
2-Amino-8-octadecene-1,3,4-triol, 9CI; (2S,3S,4R,8E)-form
2-Amino-8-octadecene-1,3,4-triol, 9CI; (2S,3S,4R,8Z)-form, N-(2R-Hydroxydocosanoyl), 1-O-?-D-glucopyranoside
2-Amino-8-octadecene-1,3,4-triol, 9CI; (2S,3S,4R,8Z)-form, N-(2R-Hydroxytetracosanoyl), 1-O-?-D-glucopyranoside
2-C-Hydroxymethylribose; D-Furanose-form, 5-O-(3,4,5-Trihydroxybenzoyl)
2-Cyclohexyl-5,9-dimethyl-4,8-decadienoic acid
2-Dehydro-3-deoxy-D-glucarate
2-Demethylvitamin K2(30)
2'-Deoxyribofuranosylguanine; ?-D-form
2-Docosyl-3,6-dihydroxy-5-methyl-1,4-benzoquinone
2-Galloylglucose
2-Heptadecyl-6-hydroxybenzoic acid, 9CI; 4-Hydroxy
2-Hydroxy-14,15-dinor-7-labden-13-one; 2?form
2-Hydroxy-3-cleroden-15-oic acid; (ent-2?,5?,10?13?)-form, Me ether
2-Hydroxy-3-cleroden-15-oic acid; (ent-2?5?,10?13?)-form, Me ether
2-Hydroxy-4-(trifluoromethyl)benzoic acid, 9CI; Ac
2-Hydroxy-6-pentadecyl-1,4-benzoquinone
2-Hydroxy-7-isopropyl-4-methyl-10-oxo-5-undecen-4-olide; (2R,4S,5E,7S)-form
2-Isopropyl-4,8-dimethylazulene
2-Isopropyl-5-methyl-1,4-benzenediol; 2-Me ether
2-Isopropyl-5-methyl-1,4-benzenediol; 5-Me ether
2-O-?-D-Galactofuranosyl-D-galactose, 9CI
2-O-?-D-Galactofuranosyl-D-mannose, 9CI
2-O-?-D-Glucopyranosyl-D-galactose, 9CI
2-O-?-D-Glucopyranosyl-D-glucose, 9CI
2-O-?-D-Mannopyranosyl-D-mannose, 8CI
2-O-?D-Galactopyranosyl-D-galactose, 9CI
2-O-?D-Galactopyranosyl-D-mannose, 9CI, 8CI
2-O-?D-Glucopyranosyl-D-galactose, 9CI, 8CI
2-O-?D-Glucopyranosyl-D-glucose, 9CI, 8CI
2-O-?D-Glucopyranosyl-D-mannose, 8CI
2-O-?D-Mannopyranosyl-D-mannose, 9CI, 8CI
2-O-?D-Mannopyranosyl-L-gulose, 9CI
2-O-?D-Mannopyranosyl-myo-inositol
3-(15-Hexadecynylidene)dihydro-4-hydroxy-5-methyl-2(3H)-furanone; (3E,4R,5S)-form
3-(15-Hexadecynylidene)dihydro-4-hydroxy-5-methyl-2(3H)-furanone; (3E,4R,5S)-form, 15',15',16',16'-Tetrahydro
3-(15-Hexadecynylidene)dihydro-4-hydroxy-5-methyl-2(3H)-furanone; (3E,4R,5S)-form, 15',16'-Dihydro
3-(15-Hexadecynylidene)dihydro-4-hydroxy-5-methyl-2(3H)-furanone; (3E,4S,5S)-form
3-(15-Hexadecynylidene)dihydro-4-hydroxy-5-methyl-2(3H)-furanone; (3E,4S,5S)-form, 15',15',16',16'-Tetrahydro
3-(15-Hexadecynylidene)dihydro-4-hydroxy-5-methyl-2(3H)-furanone; (3E,4S,5S)-form, 15',16'-Dihydro
3-(15-Hexadecynylidene)dihydro-4-hydroxy-5-methyl-2(3H)-furanone; (3Z,4R,5S)-form
3-(15-Hexadecynylidene)dihydro-4-hydroxy-5-methyl-2(3H)-furanone; (3Z,4R,5S)-form, 15',15',16',16'-Tetrahydro
3-(15-Hexadecynylidene)dihydro-4-hydroxy-5-methyl-2(3H)-furanone; (3Z,4R,5S)-form, 15',16'-Dihydro
3-(15-Hexadecynylidene)dihydro-4-hydroxy-5-methyl-2(3H)-furanone; (3Z,4S,5S)-form
3-(15-Hexadecynylidene)dihydro-4-hydroxy-5-methyl-2(3H)-furanone; (3Z,4S,5S)-form, 15',16'-Dihydro
3-(15-Hexadecynylidene)dihydro-4-hydroxy-5-methyl-2(3H)-furanone; (3Z,4S,5S)-form, 15',16'-Tetrahydro
3-(15-Hydroxyhexadecyl)-4-methyl-2,5-furandione; (S)-form
3-(2-Methoxy-4,5-methylenedioxyphenyl)propenal
3-(3,4,5-Trihydroxyphenyl)-2-propen-1-ol; (E)-form, Aldehyde, 3'-Me, 4',5'-methylene ether
3-(3,4,5-Trihydroxyphenyl)-2-propenal, 9CI; (E)-form, 3,4-Methylene, 5-Me ether
3-(3,4-Difluorophenoxy)-5-methyl-4-[4-(methylsulfonyl)phenyl]-5-(2,2,2-trifluoroethyl)-2(5H)-furanone, 9CI
3-(3,4-Dihydroxybenzylidene)-5,6,7-trihydroxy-4-chromanone; (Z)-form, 6-Me ether
3-(3,4-Dihydroxybenzylidene)-5,7,8-trihydroxy-4-chromanone; (Z)-form, 7-Me ether
3-(3,4-Dihydroxybenzylidene)-5,7,8-trihydroxy-4-chromanone; (Z)-form, 8-Me ether
3-(3,4-Dihydroxyphenyl)-1-propanol; 1-O-Eicosanoyl
3-(3,4-Dihydroxyphenyl)-2-propenoic acid, 9CI; (E)-form, Triacontyl ester
3-(3,4-Dihydroxyphenyl)-2-propenoic acid, 9CI; (E)-form, Vinyl ester
3-(4-Hydroxy-3-methoxyphenyl)-2-propenoic acid, 9CI; (E)-form, Heptacosyl ester
3-(4-Hydroxyphenyl)-2-propenoic acid, 9CI; (E)-form, Eicosyl ester
3-(4-Hydroxyphenyl)-2-propenoic acid, 9CI; (E)-form, O-[4-Hydroxy-E-cinnamoyl-(?6)-2,4-di-O-acetyl-?-D-glucopyranoside]
3-(4-Hydroxyphenyl)-2-propenoic acid, 9CI; (E)-form, O-[4-Hydroxy-E-cinnamoyl-(?6)-2-O-acetyl-?-D-glucopyranoside]
3-(4-Hydroxyphenyl)-2-propenoic acid, 9CI; (Z)-form, Eicosyl ester
3-(7-Hexadecenyl)-3,4-dihydro-4-hydroxy-5-methyl-2(5H)-furanone; (3R,4S,5S,7'Z)-form
3-(7-Hexadecenyl)-4-hydroxy-5-methylene-2(5H)-furanone; (Z)-form
3-(7-Hexadecenyl)-4-methyl-2,5-furandione, 9CI; (Z)-form
3,11,12-Trihydroxy-1(10)-spirovetiven-2-one
3,11,13-Trihydroxy-12-oleananone; (3?,11?13?)-form, 3-Ac
3,11,14,19-Tetrahydroxycard-20(22)-enolide; (3?,5?,11?-form, 3-O-[?-D-Glucopyranosyl-(1?4)-2,6-dideoxy-?-D-ribo-hexopyranoside]
3,11,14-Trihydroxycard-20(22)-enolide; (3?,5?,11?,14?)-form, 3-O-?-L-Rhamnopyranoside
3,11,14-Trihydroxycard-20(22)-enolide; (3?,5?,11?14?)-form, 3-O-(6-Deoxy-D-gulopyranoside)
3,11,14-Trihydroxycard-20(22)-enolide; (3?,5?,11?14?)-form, 3-O-[?-D-Glucopyranosyl-(1?4)-6-deoxy-?-D-gulopyranoside]
3,11,14-Trihydroxycard-20(22)-enolide; (3?,5?,11?14?)-form, 3-O-[?-D-Glucopyranosyl-(1?4)-?L-rhamnopyranoside]
3,11,14-Trihydroxycard-20(22)-enolide; (3?,5?,11?14?)-form, 3-O-[?L-Allopyranosyl-(1?4)-6-deoxy-?-D-gulopyranoside]
3,11,14-Trihydroxycard-20(22)-enolide; (3?,5?,11?14?)-form, 3-O-?L-Rhamnopyranoside
3,11,14-Trihydroxycard-20(22)-enolide; (3?,5?11?,14?)-form, 3-O-?L-Rhamnopyranoside
3,11,14-Trihydroxycard-20(22)-enolide; (3?,5?11?14?)-form, 3-O-?L-Rhamnopyranoside
3,11,20-Trihydroxy-24-dammarene-2,23-dione; (3?,11?20R)-form
3,11,23-Trihydroxy-20(29)-lupen-28-oic acid; (3?11?
3,11,30-Trihydroxy-12-ursen-28-oic acid; (3?,11?-form, 11-Me ether
3,11-Dihydroxy-1,6,9-farnesatrien-8-one; 11-Hydroperoxide
3,11-Dihydroxy-12-ursen-28-oic acid; (3?,11?-form, 11-Me ether, 3-Ac, Me ester
3,11-Dihydroxy-7-drimen-6-one; (3?,5?9?,10?)-form, 7?,8?-Epoxy
3,11-Dihydroxy-8(12)-drimen-13-oic acid; 3?-form
3,11-Dihydroxystigmast-7-en-6-one
3,12,14,16-Tetrahydroxycard-20(22)-enolide; (3?,5?,12?,14?,16?)-form, 3-O-Digitoxoside
3,12-Cyathadiene-11,14,15-triol; (11?14?)-form, 11,15-Di-Ac
3,12-Dihydroxy-24-methyl-23-oxolanost-8-en-26-oic acid; (3?,12?,24R,25?)-form
3,12-Dihydroxycholan-24-oic acid; (3?,5?,12?)-form
3,12-Dihydroxycholan-24-oic acid; (3?,5?,12?-form
3,12-Dihydroxycholan-24-oic acid; (3?5?,12?-form
3,12-Dihydroxycholan-24-oic acid; (3?5?12?-form
3,13(16),14-Clerodatrien-18-oic acid; (ent-5?-form, Me ester
3,13,15-Trihydroxy-12-oleananone; (3?,13?,15?-form, 3-Ac
3,13-Clerodadiene-15,18-diol; (ent-13E)-form, 15-Carboxylic acid, Me ester
3,14,16-Trihydroxycard-20(22)-enolide; (3?,5?,14?,16?)-form, 3-O-?-L-Rhamnopyranoside
3,14,16-Trihydroxycard-20(22)-enolide; (3?,5?,14?,16?)-form, 3-O-[?-D-Glucopyranosyl-(1?4)-?L-rhamnopyranoside]
3,14,16-Trihydroxycard-20(22)-enolide; (3?,5?,14?,16?)-form, 3-O-Fucoside
3,14,16-Trihydroxycard-20(22)-enolide; (3?,5?,14?,16?)-form, 3-O-?L-Rhamnopyranoside
3,14,16-Trihydroxycard-20(22)-enolide; (3?,5?,14?,16?)-form, Glycoside
3,14,19-Trihydroxycard-20(22)-enolide; (3?,5?,14?)-form, 3-O-(6-Deoxy-?-D-glucopyranoside)
3,14,19-Trihydroxycard-20(22)-enolide; (3?,5?,14?)-form, 3-O-[?-D-Glucopyranosyl-(1?4)-6-deoxy-?-D-glucopyranoside]
3,14,19-Trihydroxycard-20(22)-enolide; (3?,5?,14?)-form, 3-O-[?-D-Glucopyranosyl-(1?4)-?L-rhamnopyranoside]
3,14,19-Trihydroxycard-20(22)-enolide; (3?,5?,14?)-form, 3-O-?L-Rhamnopyranoside
3,14,19-Trihydroxycard-20(22)-enolide; (3?,5?14?)-form, 3-O-(6-Deoxy-?-D-allopyranoside)
3,14,19-Trihydroxycard-20(22)-enolide; (3?,5?14?)-form, 3-O-[?-D-Glucopyranosyl-(1?4)-6-deoxy-?-D-allopyranoside]
3,14,19-Trihydroxycard-20(22)-enolide; (3?,5?14?)-form, 3-O-Rhamnoside
3,14-Dihydroxy-7-drimen-12,11-olide; (ent-3?)-form, 7,8?-Dihydro
3,14-Dihydroxybufa-20,22-dienolide; (3?,5?,14?)-form
3,14-Dihydroxycard-20(22)-enolide; (3?,5?,14?,17?)-form, 3-O-?-D-Allopyranoside
3,14-Dihydroxycard-20(22)-enolide; (3?,5?,14?,17?)-form, 3-O-?-D-Glucopyranoside
3,14-Dihydroxycard-20(22)-enolide; (3?,5?14?,17?)-form, 3-O-?-D-Allopyranoside
3,14-Dihydroxycard-20(22)-enolide; (3?,5?14?,17?)-form, 3-O-?-D-Glucopyranoside
3,14-Dihydroxycard-20(22)-enolide; (3?,5?14?,17?)-form, 3-O-[?-D-Glucopyranosyl-(1?2)-?-D-glucopyranoside]
3,14-Dihydroxycard-20(22)-enolide; (3?,5?14?,17?)-form, 3-O-[?-D-Glucopyranosyl-(1?4)-?-D-glucopyranoside]
3,14-Dihydroxycard-20(22)-enolide; (3?,5?14?,17?-form, 3-O-[?-D-Glucopyranosyl-(1?2)-?-D-glucopyranoside]
3,14-Dihydroxycard-20(22)-enolide; (3?5?14?17?)-form, 3-O-[?-D-Glucopyranosyl-(1?6)-?-D-glucopyranoside]
3,15,16-Trihydroxy-12-oleanen-28-oic acid; (3?,15?16?-form
3,15,26-Trihydroxylanosta-8,24-dien-21-oic acid; (3?,15?24Z)-form
3,15-Dihydroxy-24-methylenelanost-8-en-21-oic acid; (3?,15?-form, 15-Ac
3,15-Dihydroxy-24-methylenelanosta-7,9(11)-dien-21-oic acid; (3?,15?-form
3,15-Dihydroxypregnan-20-one, 9CI; (3?5?,15?)-form
3,15-Dihydroxypregnan-20-one, 9CI; (3?5?15?)-form
3,16,20,21-Tetrahydroxy-28-lupanoic acid; (3?,16?,21?)-form, 28?21 Lactone
3,16,20-Taraxastanetriol; (3?,16?,20?)-form, 3-O-?-D-Glucopyranoside
3,16,21-Trihydroxy-12-oleanen-28-oic acid; (3?,16?21?)-form
3,16,23-Trihydroxy-12-oleanen-28-oic acid; (3?,16?-form
3,16,28-Trihydroxy-12-oleanen-30-oic acid; (3?,16?-form
3,16-Dihydroxy-24-methylenelanost-8-en-21-oic acid; (3?,16?-form, 3-Ac
3,16-Dihydroxy-24-methylenelanosta-7,9(11)-dien-21-oic acid; (3?,16?-form
3,16-Dihydroxy-24-methylenelanosta-7,9(11)-dien-21-oic acid; (3?16?-form
3,16-Dihydroxy-24-methyllanosta-8,25-dien-21-oic acid; (3?16?24?)-form, 3-Ac
3,16-Dihydroxypregn-5-en-20-one, 9CI; (3?,16?)-form
3,16-Dihydroxypregn-5-en-20-one, 9CI; (3?,16?-form
3,16-Dihydroxypregnan-20-one, 9CI; (3?,5?16?)-form
3,16-Dihydroxypregnan-20-one, 9CI; (3?,5?16?-form
3,16-Dihydroxypregnan-20-one, 9CI; (3?5?,16?-form
3,16-Dihydroxypregnan-20-one, 9CI; (3?5?16?-form
3,17-Dihydroxypregnan-20-one; (3?,5?17?-form
3,19,23-Trihydroxy-12-oleanen-28-oic acid; (3?,19?-form
3,19,23-Trihydroxy-12-ursen-28-oic acid; (3?,19?-form
3,19,24-Trihydroxy-12-oleanen-28-oic acid; (3?,19?-form
3,19,24-Trihydroxy-12-ursen-28-oic acid; (3?,19?-form
3,19,24-Trihydroxy-12-ursen-28-oic acid; (3?19?-form
3,20,21,22-Tetrahydroxy-28-lupanoic acid; (3?,21?,22?)-form, 28?21 Lactone
3,20,21,24-Tetrahydroxy-14-serraten-16-one; (3?20?,21?)-form
3,20,23,27-Tetrahydroxy-28-taraxastanoic acid; (3?,20?)-form, 28?20 Lactone
3,20,28-Taraxastanetriol; (3?,20?)-form, 3-O-?-D-Glucopyranoside
3,20-Dihydroxypregnan-11-one; (3?5?,20S)-form
3,21,23-Trihydroxy-12-oleanen-28-oic acid; (3?,21?)-form
3,21,24-Trihydroxy-12-oleanen-29-oic acid; (3?,21?-form
3,21,30-Trihydroxy-12-oleanen-28-oic acid; (3?,21?)-form
3,21-Dihydroxypregn-4-en-20-one, 9CI; 3?form
3,21-Dihydroxypregn-5-en-20-one; 3?-form
3,21-Dihydroxypregnan-20-one; (3?5?)-form
3,22,23-Trihydroxystigmastan-6-one; (3?,22R,23R,24S)-form
3,22,23-Trihydroxystigmastan-6-one; (3?22R,23R,24S)-form
3,22,24-Trihydroxy-12-oleanen-29-oic acid; (3?,22?)-form
3,22-Dihydroxy-12-oleanen-28-oic acid; (3?,22?-form, 3-O-?-D-Glucuronopyranoside
3,22-Dihydroxy-12-oleanen-29-oic acid; (3?,22?-form, 3-Ketone, Me ester
3,22-Dihydroxy-12-ursen-30-oic acid; (3?,22?-form, 3-Ketone, Me ester
3,22-Dihydroxy-29-hopanoic acid; (3?,22?)-form, 3-Ac, Me ester
3,23,24-Trihydroxy-12-oleanen-28-oic acid; 3?-form
3,23,29-Trihydroxy-12-oleanen-28-oic acid; 3?-form
3,23,29-Trihydroxy-12-oleanen-28-oic acid; 3?form
3,23-Dihydroxy-12-oleanene-28,30-dioic acid; 3?-form, 3-O-?-D-Xylopyranoside, 30-Me ester
3,23-Dihydroxy-4,4,17-trimethylcholesta-8,14,24-trien-26-oic acid; (3?23?,24E)-form, Me ester
3,24,29,30-Tetrahydroxy-12-oleanen-22-one; 3?-form
3,24-Dihydroxy-11,13(18)-oleanadien-30-oic acid; 3?-form, Me ester
3,25-Epoxy-6-oleanene-13,16,27,28-tetrol; (3?,13?,16?)-form
3,27-Dihydroxy-20(29)-lupen-28-oic acid; 3?form, 3-Ac, Me ester
3,28-Dihydroxy-12,20-ursadien-23-oic acid; 3?-form, Me ester
3,3',4,4',5',7-Hexahydroxy-2,7'-cycloligna-7,7'-dien-9',9-olide; 3',4-Di-Me ether
3,3',4,4',7-Pentahydroxy-2,7'-cycloligna-7,7'-dien-9',9-olide; 3',4'-Methylene, 3,7-di-Me ether
3,3',4,4',7-Pentahydroxy-2,7'-cycloligna-7,7'-dien-9',9-olide; 3',4'-Methylene, 7-Me ether
3,3',4',5,5',7-Hexahydroxyflavanone; (2R,3R)-form
3,3',4',5,5',7-Hexahydroxyflavanone; (2R,3S)-form
3,3',4',5,5',7-Hexahydroxyflavanone; (2RS,3RS)-form
3,3',4',5,5',7-Hexahydroxyflavanone; (2S,3S)-form
3,3',4',5,5',7-Hexahydroxyflavylium(1+); 3',5-Di-Me ether
3,3',4',5,5',7-Hexahydroxyflavylium(1+); 3',5-Di-Me ether, 3-O-?-D-galactopyranoside
3,3',4',5,5',7-Hexahydroxyflavylium(1+); 3',5-Di-Me ether, 3-O-?-D-glucopyranoside
3,3',4',5,6,7-Hexahydroxyflavone; 7-O-[2-Methylbutanoyl-(?6)-?-D-glucopyranoside]
3,3',4',5,6,7-Hexahydroxyflavone; 7-O-[3-Methylbutanoyl-(?6)-?-D-glucopyranoside]
3,3',4',5,7-Pentahydroxy-5'-methoxyflavylium(1+); 3-O-[4-Hydroxycinnamoyl-(?6)-?L-rhamnopyranosyl-(??)-?-D-glucopyranoside]
3,3',4',5,7-Pentahydroxy-6,8-dimethylflavone
3,3',4',5,7-Pentahydroxy-6-methoxyflavone; 7-O-[2-Methylpropanoyl-(?6)-?-D-glucopyranoside]
3,3',4',5,7-Pentahydroxy-6-methylflavone; 3-Me ether
3,3',4',5,7-Pentahydroxy-8-methylflavone; 3-Me ether
3,3',4',5,7-Pentahydroxyflavan; (2R,3R)-form, 3-Benzoyl, 5-O-?-D-glucopyranoside
3,3',4',5',7-Pentahydroxyflavone; 3',5'-Di-Me ether
3,3',4',5,7-Pentahydroxyflavone; 3',5-Di-Me ether
3,3',4',5,7-Pentahydroxyflavone; 3',5-Di-Me ether, 3-O-?-D-glucopyranoside
3,3',4',5,7-Pentahydroxyflavone; 3,7-Di-Me ether
3,3',4',5,7-Pentahydroxyflavone; 3,7-Di-Me ether, 4'-O-?-D-glucopyranoside
3,3',4',5,7-Pentahydroxyflavone; 3,7-Di-Me ether, 5-O-?-D-glucopyranoside
3,3',4',5,7-Pentahydroxyflavone; 3-O-[?L-Rhamnofuranosyl-(1?2)-?L-arabinopyranoside]
3,3',4',5,7-Pentahydroxyflavone; 3-O-[?L-Rhamnopyranosyl-(1??)-xyloside]
3,3',4',5,7-Pentahydroxyflavone; 3-O-[?L-Rhamnopyranosyl-(1?2)-?L-arabinofuranoside]
3,3',4',5,7-Pentahydroxyflavone; 3-O-[?L-Rhamnopyranosyl-(1?2)-?L-arabinopyranoside]
3,3',4',5,7-Pentahydroxyflavone; 4',5-Di-Me ether
3,3',4',5,7-Pentahydroxyflavylium(1+); 3-O-[?-D-Xylopyranosyl-(1?2)-?-D-galactopyranoside]
3,3',4',5,7-Pentahydroxyflavylium(1+); 3-O-[?-D-Xylopyranosyl-(1?2)-?-D-glucopyranoside]
3,3',4',5,7-Pentahydroxyflavylium(1+); 3-O-[?-D-Xylopyranosyl-(1?2)-?L-rhamnopyranoside]
3,3',4',5,7-Pentahydroxyflavylium(1+); 3-O-[?-D-Xylopyranosyl-(1?4)-?-D-glucopyranoside]
3,3',4',5,7-Pentahydroxyflavylium(1+); 3-O-[?-D-Xylopyranosyl-(1?4)-D-glucopyranoside]
3,3',4',5,7-Pentahydroxyflavylium(1+); 3-O-[Arabinosyl-(1??)-galactoside]
3,3',4',5,7-Pentahydroxyflavylium(1+); 3-O-[Arabinosyl-(1??)-glucoside]
3,3',4',5,7-Pentahydroxyflavylium(1+); 3-O-[?L-Rhamnopyranosyl-(1??)-arabinoside]
3,3',4',5,7-Pentahydroxyflavylium(1+); 3-O-[Xylosyl-(??)-galactoside]
3,3',4',5,7-Pentahydroxyflavylium(1+); 3-O-[Xylosyl-(1??)-galactoside]
3,3',4',5,7-Pentahydroxyflavylium(1+); 3-O-[Xylosyl-(1??)-glucoside]
3,3',4',5-Tetrahydroxy-6,7-dimethoxyflavone; 3-O-?L-Rhamnopyranoside
3,3',4',5-Tetrahydroxy-7-methoxyflavone; 3-O-[Arabinosyl-(1??)-arabinoside]
3,3',4',7,8-Pentahydroxyflavone; 3,3'-Di-Me ether
3,3',4',7,8-Pentahydroxyflavone; 3,8-Di-Me ether
3,3',4',7-Tetrahydroxy-5-methoxyflavone; 3-O-[Xylosyl-(1??)-arabinoside]
3,3',4',7-Tetrahydroxyflavanone; (2R,3R)-form, 3-Ac
3,3',4'-Trihydroxy-?,?-caroten-4-one; (3S,3'S,4'R)-form
3,3',5,5',7-Pentahydroxyflavone; 3',5'-Di-Me ether
3,3',5,5',7-Pentahydroxyflavone; 3',5'-Di-Me ether, 7-O-?-D-glucopyranoside
3,3',5-Trihydroxy-4',7-dimethoxyflavone
3,3',5-Trihydroxy-4',7-dimethoxyflavone; 3-O-?-D-Galactopyranoside
3,3',5-Trihydroxy-4',7-dimethoxyflavone; 3-O-?-D-Glucopyranoside
3,3-Dimethyl-1,2-dithiolane, 9CI
3,4,11-Trihydroxy-6-eudesmen-8-one; (3?,4?-form
3,4,11-Trihydroxy-6-eudesmen-8-one; (3?4?)-form
3,4,11-Trihydroxy-6-eudesmen-8-one; (3?4?-form
3',4,4',5,7-Pentahydroxy-2,7'-cycloligna-7,7'-dien-9,9'-olide; 3',4'-Methylene, 5-Me ether
3',4,4',5,7-Pentahydroxy-2,7'-cycloligna-7,7'-dien-9,9'-olide; 4,5-Methylene, 3',4'-di-Me ether
3',4,4',5,7-Pentahydroxy-2,7'-cycloligna-7,7'-dien-9,9'-olide; 4,5-Methylene, 3',7-di-Me ether
3',4',5,5',7-Pentahydroxyflavone; 3',4'-Di-Me ether
3',4',5,5',7-Pentahydroxyflavone; 3',5-Di-Me ether
3',4',5,5',7-Pentahydroxyisoflavone; 3',4'-Di-Me ether, 7-O-?-D-glucopyranoside
3',4',5,5',7-Pentahydroxyisoflavone; 3',5'-Di-Me ether
3',4',5',6,7-Pentahydroxyflavone; 3',5'-Di-Me ether
3,4',5,6,7-Pentahydroxyflavone; 3,6-Di-Me ether
3,4',5,6,7-Pentahydroxyflavone; 3,6-Di-Me ether, 7-O-?-D-glucopyranoside
3,4',5,6,7-Pentahydroxyflavone; 3,7-Di-Me ether
3',4',5,6,7-Pentahydroxyflavone; 3',7-Di-Me ether
3',4',5,6,7-Pentahydroxyflavone; 3',7-Di-Me ether, 6-O-?-D-glucopyranoside
3',4',5,6,7-Pentahydroxyflavone; 4',7-Di-Me ether
3,4',5,6,7-Pentahydroxyflavone; 4',7-Di-Me ether, 3-O-?-D-glucopyranoside
3',4',5,6,7-Pentahydroxyflavone; 4'-O-?L-Rhamnopyranoside, 7-O-L-arabinopyranoside
3,4',5,6,7-Pentahydroxyflavone; 5,6-Di-Me ether
3',4',5,6,7-Pentahydroxyflavone; 5,6-Di-Me ether
3',4',5,6,7-Pentahydroxyflavone; 6,7-Di-Me ether
3',4',5,6,7-Pentahydroxyflavone; 6,7-Di-Me ether, 4'-O-?-D-glucopyranoside
3',4',5,6,7-Pentahydroxyflavone; 7-O-[?L-Rhamnopyranosyl-(1?4)-D-xylopyranoside]
3',4',5,6,7-Pentahydroxyisoflavone; 3',6-Di-Me ether
3',4',5,6,7-Pentahydroxyisoflavone; 3',6-Di-Me ether, glucoside
3',4',5,6,7-Pentahydroxyisoflavone; 3',7-Di-Me ether
3',4',5,6,7-Pentahydroxyisoflavone; 4',6-Di-Me ether
3',4',5,6,7-Pentahydroxyisoflavone; 4',6-Di-Me ether, 7-O-?-D-glucopyranoside
3',4',5,6,7-Pentahydroxyisoflavone; 6,7-Di-Me ether
3,4',5,7,8-Pentahydroxyflavone; 3,4'-Di-Me ether
3,4',5,7,8-Pentahydroxyflavone; 3,7-Di-Me ether
3',4',5,7,8-Pentahydroxyflavone; 3',7-Di-Me ether, 8-O-?-D-glucopyranoside
3',4',5,7,8-Pentahydroxyflavone; 3',8-Di-Me ether
3',4',5,7,8-Pentahydroxyflavone; 3',8-Di-Me ether, 7-O-?-D-glucopyranoside
3,4',5,7,8-Pentahydroxyflavone; 4',7-Di-Me ether
3',4',5,7,8-Pentahydroxyflavone; 4',8-Di-Me ether
3,4',5,7,8-Pentahydroxyflavone; 7,8-Di-Me ether
3',4',5,7,8-Pentahydroxyisoflavone; 3',8-Di-Me ether
3',4',5,7,8-Pentahydroxyisoflavone; 3',8-Di-Me ether, 7-O-?-D-glucopyranoside
3',4',5,7,8-Pentahydroxyisoflavone; 4',8-Di-Me ether
3',4',5,7-Tetrahydroxy 6-xylopyranosylflavone; ?-D-form, 2''-O-?L-Rhamnopyranosyl
3,4',5,7-Tetrahydroxy-3',5'-dimethoxyflavone; 3-O-?L-Rhamnopyranoside
3,4',5,7-Tetrahydroxy-3',5'-dimethoxyflavylium(1+)
3,4',5,7-Tetrahydroxy-3',5'-dimethoxyflavylium(1+); 3-O-?-D-Galactopyranoside
3,4',5,7-Tetrahydroxy-3',5'-dimethoxyflavylium(1+); 3-O-?-D-Glucopyranoside
3,4',5,7-Tetrahydroxy-3',5'-dimethoxyflavylium(1+); 3-O-[4-Hydroxycinnamoyl-(??)-D-xyloside], 5-O-?-D-glucopyranoside
3,4',5,7-Tetrahydroxy-3',8-dimethoxyflavone; 3-O-?L-Rhamnopyranoside
3,4',5,7-Tetrahydroxy-3',8-dimethoxyflavone; 7-O-?L-Rhamnopyranoside
3,4',5,7-Tetrahydroxy-3'-methoxyflavone; 3-O-[4-Hydroxycinnamoyl-(?4)-?L-rhamnopyranosyl-(1?6)-?-D-galactopyranoside]
3,4',5,7-Tetrahydroxy-3'-methoxyflavylium(1+); 3-O-[4-Hydroxycinnamoyl-(??)-[?-D-glucopyranosyl-(1?6)-?-D-glucopyranoside]]
3,4',5,7-Tetrahydroxy-3'-methoxyflavylium(1+); 3-O-[4-Hydroxycinnamoyl-(?6)-?-D-glucopyranoside], 5-O-?-D-glucopyranoside
3',4',5,7-Tetrahydroxyflavan(4?8)-3',4',5,7-tetrahydroxyflavanone; 5-O-?-D-Glucopyranoside
3,4',5,7-Tetrahydroxyflavanone; (2R*,3S*)-form, 3-Ac
3,4',5,7-Tetrahydroxyflavanone; (2R,3R)-form, 3-Ac
3',4',5,7-Tetrahydroxyflavanone; (S)-form, 7-O-(6-O-Acetyl-?-D-glucopyranoside)
3,4',5,7-Tetrahydroxyflavone; 3-O-?-L-Arabinofuranoside, 7-O-?-L-rhamnofuranoside
3,4',5,7-Tetrahydroxyflavone; 3-O-[?-D-Glucopyranosyl-?-D-xylofuranoside]
3',4',5,7-Tetrahydroxyflavone; 3'-O-[?-D-Xylopyranosyl-(1?2)-?-D-glucopyranoside]
3,4',5,7-Tetrahydroxyflavone; 3-O-[?-D-Xylopyranosyl-(1?2)-?-D-glucopyranoside]
3,4',5,7-Tetrahydroxyflavone; 3-O-[?-D-Xylopyranosyl-(1?2)-?L-rhamnopyranoside]
3,4',5,7-Tetrahydroxyflavone; 3-O-[Arabinosyl-(1??)-glucoside]
3,4',5,7-Tetrahydroxyflavone; 3-O-[?L-Rhamnopyranosyl-(1??)-xyloside]
3,4',5,7-Tetrahydroxyflavone; 3-O-[?L-Rhamnopyranosyl-(1?2)-?L-arabinofuranoside]
3,4',5,7-Tetrahydroxyflavone; 3-O-[?L-Rhamnopyranosyl-(1?4)-?-D-xylopyranoside]
3,4',5,7-Tetrahydroxyflavone; 3-O-[Xylosyl-(??)-glucoside]
3,4',5,7-Tetrahydroxyflavone; 3-O-?L-Arabinofuranoside, 7-O-?L-rhamnofuranoside
3,4',5,7-Tetrahydroxyflavone; 3-O-?L-Rhamnopyranoside, 4'-O-?-D-xylopyranoside
3,4',5,7-Tetrahydroxyflavone; 3-O-?L-Rhamnopyranoside, 7-O-?-D-xylopyranoside
3',4',5,7-Tetrahydroxyflavone; 3'-O-Xylopyranoside, 7-O-glucopyranoside
3',4',5,7-Tetrahydroxyflavone; 5(7)-Galactoside, 7(5)-xyloside
3',4',5,7-Tetrahydroxyflavone; 7-O-[?-D-Apiofuranosyl-(1?6)-?-D-glucopyranoside]
3',4',5,7-Tetrahydroxyflavone; 7-O-[?-D-Galactopyranosyl-(1?4)-?L-arabinopyranoside]
3,4',5,7-Tetrahydroxyflavone; 7-O-[?-D-Glucopyranosyl-(1?4)-?-D-xylopyranoside]
3',4',5,7-Tetrahydroxyflavone; 7-O-[?-D-Glucopyranosyl-(1?4)-?L-arabinopyranoside]
3',4',5,7-Tetrahydroxyflavone; 7-O-[?-D-Xylopyranosyl-(1?2)-?-D-glucopyranoside]
3',4',5,7-Tetrahydroxyflavone; 7-O-[?-D-Xylopyranosyl-(1?6)-?-D-glucopyranoside]
3',4',5,7-Tetrahydroxyflavone; 7-O-[?-L-Arabinopyranosyl-(1?6)-?-D-glucopyranoside]
3',4',5,7-Tetrahydroxyflavone; 7-O-[Arabinosyl-(1??)-?-D-glucopyranoside]
3',4',5,7-Tetrahydroxyflavone; 7-O-[D-Apiofuranosyl-(1?2)-?-D-glucopyranoside]
3',4',5,7-Tetrahydroxyflavone; 7-O-[?L-Arabinofuranosyl-(1?6)-?-D-glucopyranoside]
3',4',5,7-Tetrahydroxyflavone; 7-O-[?L-Arabinopyranosyl-(1?6)-?-D-glucopyranoside]
3,4',5,7-Tetrahydroxyflavylium(1+), 8CI; 3-O-[?-D-Xylopyranosyl-(1?2)-?-D-galactopyranoside]
3,4',5,7-Tetrahydroxyflavylium(1+), 8CI; 3-O-[?-D-Xylopyranosyl-(1?2)-?D-glucopyranoside]
3,4',5,7-Tetrahydroxyflavylium(1+), 8CI; 3-O-[4-Hydroxy-3-methoxy-E-cinnamoyl-(?6)-?-D-glucopyranoside], 5-O-?-D-glucopyranoside
3,4',5,7-Tetrahydroxyflavylium(1+), 8CI; 3-O-[Xylosyl-(??)-?-D-glucopyranoside]
3,4',5,7-Tetrahydroxyflavylium(1+), 8CI; 3-O-[Xylosyl-(1??)-galactoside]
3,4',5-Trihydroxy-3',7-dimethoxyflavone
3,4',5-Trihydroxy-3',7-dimethoxyflavone; 3-O-?-D-Galactopyranoside
3,4',5-Trihydroxy-3',7-dimethoxyflavone; 3-O-?-D-Glucopyranoside
3,4',5-Trihydroxy-3',7-dimethoxyflavone; 4'-O-?-D-Glucopyranoside
3,4',5-Trihydroxy-6,7-dimethoxyflavone
3,4',5-Trihydroxy-6,7-dimethoxyflavone; 3-O-?-D-Galactopyranoside
3,4',5-Trihydroxy-6,7-dimethoxyflavone; 3-O-?-D-Glucopyranoside
3,4',5-Trihydroxy-7-methoxyflavone; 3-O-[4-Hydroxy-3-methoxycinnamoyl-(?5)-?-D-apiofuranosyl-(1?2)-?-D-glucopyranoside]
3,4,5-Trihydroxybenzoic acid; ?-D-Glucopyranosyl ester
3,4,5-Trihydroxybenzoic acid; 3-O-?-D-Glucopyranoside
3,4,5-Trihydroxybenzoic acid; 4-O-?-D-Glucopyranoside
3',4',6,7-Tetrahydroxyaurone; 7-Me ether, 6-O-[?-D-xylopyranosyl-(1?4)-?-D-arabinopyranoside]
3,4,6a,8,9-Pentahydroxypterocarpan; 4-Me, 8,9-Methylene ether
3,4,6-Eudesmanetriol; (3?4?,6?)-form, 6-Cinnamoyl
3,4,7-Trihydroxy-11-eudesmen-8-one; (3?,4?7?-form
3',4',7-Trihydroxy-3,5-dimethoxyflavone
3',4',7-Trihydroxy-3,5-dimethoxyflavone; 3' or 4'-?-D-Glucopyranoside
3',4',7-Trihydroxy-3,5-dimethoxyflavone; 7-O-?-D-Glucopyranoside
3,4;15,16-Diepoxy-13(16),14-clerodadien-2-ol; (ent-2?,3?,4?)-form, Me ether
3,4-Didehydro-?,?-caroten-2-one; 2'-Hydroxy
3',4'-Didehydro-1',2'-dihydro-?,?-caroten-1'-ol; O-L-Rhamnopyranoside
3',4'-Didehydro-1',2'-dihydro-1',2'-dihydroxy-?,?-caroten-4-one; (S)-form
3',4'-Didehydro-1',2'-dihydro-3-hydroxy-1'-methoxy-?,?-caroten-19'-al; (9E)-form
3,4-Dihydro-8-hydroxy-3,5-dimethyl-1H-2-benzopyran-1-one, 9CI; (R)-form, 1''-Oxo
3,4-Dihydroxy-11(13)-eudesmen-12-oic acid; (3?,4?-form
3,4-Dihydroxy-11(13)-eudesmen-12-oic acid; (3?4?)-form
3,4-Dihydroxypregn-17(20)-en-16-one, 9CI
3,4-Dihydroxypregn-17(20)-en-16-one, 9CI; (3?,4?,5?17(20)E)-form
3,4-Dihydroxypregn-17(20)-en-16-one, 9CI; (3?,4?,5?17(20)Z)-form
3,4-Dimethyl-1,2-dithiolane, 9CI
3,4-Dimethyl-5-pentylidene-2(5H)-furanone, 9CI
3,4-Secocycloarta-4(28),24-diene-3,26-dioic acid; (24E)-form, 3-Me ester
3,4-Secocycloarta-4(28),24-diene-3,26-dioic acid; (24Z)-form, 26-Me ester
3,4-Secocycloarta-4(28),24-diene-3,26-dioic acid; (24Z)-form, 3-Me ester
3,4-Secodammara-4(28),20,24-triene-3,26-dioic acid; 3-Me ester
3,4-Secotirucalla-4(28),7,24-triene-3,21-dioic acid; 3-Me ester
3,4-Secotirucalla-4(28),7,24-triene-3,26-dioic acid; (24Z)-form, 3-Me ester
3,5,10-Bisabolatrien-12-ol; 2-Methylpropanoyl
3,5,11,14-Tetrahydroxycard-20(22)-enolide; (3?,5?,11?14?)-form, 3-O-[?-D-Glucopyranosyl-(1?4)-2,6-dideoxy-?-D-ribo-hexopyranoside]
3,5,14,19-Tetrahydroxycard-20(22)-enolide; (3?,5?,14?)-form, 3-O-(2,6-Dideoxy-?-D-xylo-hexopyranoside)
3,5,14,19-Tetrahydroxycard-20(22)-enolide; (3?,5?,14?)-form, 3-O-(2,6-Dideoxy-D-ribo-hexopyranoside)
3,5,14,19-Tetrahydroxycard-20(22)-enolide; (3?,5?,14?)-form, 3-O-[?-D-Glucopyranosyl-(1?4)-2,6-dideoxy-D-ribo-hexopyranoside]
3,5,14-Trihydroxycard-20(22)-enolide; (3?,5?,14?)-form, 3-O-(2-Deoxy-?-D-lyxo-hexopyranoside)
3,5,14-Trihydroxycard-20(22)-enolide; (3?,5?,14?)-form, 3-O-(2-Deoxy-?-D-xylo-hexopyranoside)
3,5,14-Trihydroxycard-20(22)-enolide; (3?,5?,14?)-form, 3-O-[?-D-Glucopyranosyl-(1?4)-?-D-fucopyranoside]
3,5,14-Trihydroxycard-20(22)-enolide; (3?,5?,14?)-form, 3-O-[?-D-Glucopyranosyl-(1?4)-6-deoxy-?-D-gulopyranoside]
3,5,14-Trihydroxycard-20(22)-enolide; (3?,5?,14?)-form, 3-O-?L-Rhamnopyranoside
3',5,5',6,7-Pentahydroxyflavone; 3',6-Di-Me ether
3,5,6,7,8-Pentahydroxyflavone; 6,8-Di-Me ether
3',5,7-Trihydroxy-3,4'-dimethoxyflavone
3,5,7-Trihydroxy-3',4'-dimethoxyflavone
3,5,7-Trihydroxy-3',4'-dimethoxyflavone; 3-O-?-D-Glucopyranoside
3,5,7-Trihydroxy-3',4'-dimethoxyflavone; 7-O-?-D-Glucopyranoside
3',5,7-Trihydroxy-4',6,8-trimethoxyflavone, 8CI; 5-O-(6-O-Acetyl-?-D-glucopyranoside)
3,5,7-Trihydroxy-4',6-dimethoxyflavone
3',5,7-Trihydroxy-4',6-dimethoxyflavone, 8CI
3',5,7-Trihydroxy-4',6-dimethoxyflavone, 8CI; 7-O-?-D-Glucopyranoside
3,5,7-Trihydroxy-4',6-dimethoxyflavone; 3-O-?-D-Galactopyranoside
3,5,7-Trihydroxy-4',6-dimethoxyflavone; 3-O-?-D-Glucopyranoside
3,5,7-Trihydroxy-4',6-dimethoxyflavone; 7-O-?-D-Glucopyranoside
3,5,7-Trihydroxy-4',8-dimethoxyflavone
3,5,7-Trihydroxy-4',8-dimethoxyflavone; 3-O-?-D-Glucopyranoside
3,5,7-Trihydroxy-4',8-dimethoxyflavone; 7-O-?-D-Glucopyranside
3,5,8-Trihydroxy-6-methoxy-2-(5-oxo-1,3-hexadienyl)-1,4-naphthoquinone; (E,E)-form
3,5-Dihydroxypregn-20-en-6-one; (3?,5?)-form
3,6,19-Trihydroxy-12-ursen-28-oic acid; (3?,6?,19?-form
3,6,19-Trihydroxy-12-ursen-28-oic acid; (3?,6?19?-form
3,6,23-Trihydroxy-12-oleanen-28-oic acid; (3?,6?)-form
3,6,23-Trihydroxy-12-ursen-28-oic acid; (3?,6?)-form
3,6,24-Trihydroxy-12-oleanen-28-oic acid; (3?,6?)-form
3,6-Dihydroxy-12,11-drimanolide; (3?6?-form
3,6-Dihydroxy-2-(1-oxo-11-octadecenyl)-2-cyclohexen-1-one; (-)-form
3,6-Dihydroxycholan-24-oic acid; (3?,5?,6?-form
3,6-Dihydroxycholan-24-oic acid; (3?5?,6?-form
3,6-Dihydroxypregn-9(11)-en-20-one, 9CI; (3?,5?6?-form
3,6-Dihydroxypregnan-20-one, 9CI; (3?5?,6?-form
3,6-Dihydroxypregnan-20-one, 9CI; (3?5?6?-form
3,6-Epoxy-5,6-dihydro-3',5-dihydroxy-?,?-caroten-6'-one
3,6-Epoxy-5,6-dihydro-5-hydroxy-?,?-caroten-6'-one
3,6-Octadecadienoic acid
3,7,11-Trihydroxyurs-12-en-28-oic acid; (3?,7?11?)-form
3,7,15-Trihydroxylanosta-8,24-dien-26-oic acid
3,7,22-Trihydroxylanosta-8,24-dien-26-oic acid
3,7-Dihydroxycholan-24-oic acid; (3?,5?,7?)-form
3,7-Dihydroxycholan-24-oic acid; (3?5?,7?)-form
3,7-Dihydroxycholan-24-oic acid; (3?5?,7?-form
3,7-Dihydroxycholan-24-oic acid; (3?5?7?-form
3,7-Dihydroxylanosta-9(11),24-dien-26,23-olide; (3?7?,23R)-form, 3-Me ether
3,7-Dimethyl-2,6-octadien-1-ol; (E)-form, Octanoyl
3,8-Dihexyl-4,9-dihydroxy-5,10-dimethyl-1,6-dioxecane-2,7-dione, 9CI
3,8-Dihydroxy-12,11-drimanolide; (3?,8?-form
3,8-Dihydroxy-12,11-drimanolide; (3?8?-form
3,9,12-Octadecatrienoic acid, 9CI; (3E,9Z,12Z)-form
3,9,23-Trihydroxy-4,4,17-trimethylcholesta-14,24-dien-26-oic acid; (3?9?23?,24E)-form, Me ester
3,9-Dihydroxy-15-kauren-19-oic acid; (ent-3?)-form, 3-(2-Methylpropanoyl)
30-Nor-22-hopanone; 21?H-form
30-Nor-3,20-lupanediol; (3?,20?)-form, 20-Ketone
3alpha-Hydroxy-5beta-androstan-17-one
3-Dehydro-L-threonate
3-Ethyl-5,7-dihydroxy-4H-1-benzopyran-4-one, 9CI
3-Eudesmen-6-ol; (5?,6?-form, 4-Hydroxycinnamoyl
3-Eudesmene-1,6-diol; (1?,5?6?,10?)-form, 6-Cinnamoyl
3-Eudesmene-1,6-diol; (1?5?,6?,10?-form, 1-Cinnamoyl
3-Eudesmene-1,6-diol; (1?5?,6?,10?-form, 6-Cinnamoyl
3-Eudesmene-1,9-diol; (1?,9?)-form, 9-Cinnamoyl
3-Glucopyranosyloxy-4',5,7-trihydroxy-3'-methoxyflavone; 6''-O-(2E-Butenoyl)
3-Heptadecyl-2,5-dihydroxybenzoquinone; 5-Me ether
3-Hexadecyl-5-hydroxy-5-methyl-2(5H)-furanone
3-Hexadecyl-5-methylene-2(5H)-furanone; 8',9',11',12'-Tetradehydro(Z,Z-)
3-Hexadecyldihydro-4-hydroxy-5-methylene-2(3H)-furanone, 9CI; (3R*,4S*)-form
3-Hexadecylidenedihydro-4-hydroxy-5-methylene-2(3H)-furanone; (R,E)-form
3-Hexadecylidenedihydro-4-hydroxy-5-methylene-2(3H)-furanone; (R,E)-form, 15',16'-Didehydro
3-Hexadecylidenedihydro-4-hydroxy-5-methylene-2(3H)-furanone; (R,E)-form, 7',8',10',11'-Tetradehydro(Z,Z-)
3-Hexadecylidenedihydro-4-hydroxy-5-methylene-2(3H)-furanone; (R,E)-form, 7',8'-Didehydro(Z-)
3-Hexadecylidenedihydro-4-hydroxy-5-methylene-2(3H)-furanone; (R,Z)-form
3-Hexadecylidenedihydro-4-hydroxy-5-methylene-2(3H)-furanone; (R,Z)-form, 15',15',16',16'-Tetradehydro
3-Hexadecylidenedihydro-4-hydroxy-5-methylene-2(3H)-furanone; (R,Z)-form, 15',16'-Didehydro
3-Hexadecylidenedihydro-4-hydroxy-5-methylene-2(3H)-furanone; (R,Z)-form, 7',8',10',11'-Tetradehydro(Z,Z-)
3-Hexadecylidenedihydro-4-hydroxy-5-methylene-2(3H)-furanone; (R,Z)-form, 7',8'-Didehydro(Z-)
3-Hexadecylidenedihydro-4-hydroxy-5-methylene-2(3H)-furanone; (S,E)-form
3-Hexadecylidenedihydro-4-hydroxy-5-methylene-2(3H)-furanone; (S,E)-form, 11',12'-Didehydro (Z-)
3-Hexadecylidenedihydro-4-hydroxy-5-methylene-2(3H)-furanone; (S,E)-form, 7',8'-Didehydro
3-Hexadecylidenedihydro-4-hydroxy-5-methylene-2(3H)-furanone; (S,Z)-form
3-Hexadecylidenedihydro-4-hydroxy-5-methylene-2(3H)-furanone; (S,Z)-form, 7',8'-Didehydro(Z-)
3-Hydroxy-?,?-caroten-4-one
3-Hydroxy-?,?-caroten-4-one; 3',4'-Didehydro
3-Hydroxy-1,9,11-eremophilatrien-8-one; (3?,7?H)-form, 3-(6-Methyl-2,4-octadienoyl)
3-Hydroxy-11-oxo-12-oleanen-30-oic acid; (3?,18?)-form, 3-Ketone, 11?alcohol, 11-Me ether
3-Hydroxy-11-oxo-12-oleanen-30-oic acid; (3?,18?)-form, Me ester
3-Hydroxy-12-oleanene-23,28-dioic acid; 3?-form, 28-O-?-D-Glucopyranosyl ester
3-Hydroxy-12-oleanene-23,28-dioic acid; 3?-form, 3-O-?-D-Glucopyranoside
3-Hydroxy-12-oxo-9(11)-oleanen-28-oic acid; 3?-form, Me ester
3-Hydroxy-12-ursen-28-oic acid; 3?-form, Formyl
3-Hydroxy-12-ursene-27,28-dioic acid; 3?-form, 27-O-?-D-Glucopyranosyl ester
3-Hydroxy-12-ursene-27,28-dioic acid; 3?-form, 3-O-?-D-Glucopyranoside
3-Hydroxy-14,15-dinor-8(17)-labden-13-one; 3?-form
3-Hydroxy-17-nor-8-pimaren-15-one; 3?-form
3-Hydroxy-2,3-didehydro-?,?-caroten-4-one
3-Hydroxy-20-methylergost-24-en-23-one
3-Hydroxy-20-methylergost-24-en-23-one; (3?,5?-form
3-Hydroxy-20-oxopregnan-21-al
3-Hydroxy-24-methylene-7,9(11)-lanostadien-21-oic acid
3-Hydroxy-24-methylene-7,9(11)-lanostadien-21-oic acid; 3?-form
3-Hydroxy-26,27-dinorlanost-9(11)-en-24-one; (3?,5?-form, Me ether
3-Hydroxy-27,29-friedelanedioic acid; 3?-form
3-Hydroxy-27-norcycloartan-24-one; 3?-form
3-Hydroxy-2-methyl-4H-pyran-4-one, 9CI; O-[3,4,5-Trihydroxybenzoyl-(?6)-?-D-glucopyranoside]
3-Hydroxy-4-methylene-8,14-secoergostane-8,14-dione; (3?,24R)-form
3-Hydroxy-7-bauren-28-oic acid; 3?-form, 3-Ketone, Me ester
3-Hydroxy-9(11),15-kauradien-19-oic acid; (ent-3?-form, 2-Methylpropanoyl
3-Hydroxyandrostan-17-one, 9CI; (3?,5?)-form
3-Hydroxyandrostan-17-one, 9CI; (3?,5?-form
3-Hydroxyandrostan-17-one, 9CI; (3?5?)-form
3-Hydroxyandrostan-17-one, 9CI; (3?5?-form
3-Hydroxycarda-8,14,16,20(22)-tetraenolide; (3?,5?)-form
3-Hydroxylanosta-7,24-dien-26,23-olide; (3?9?,23R)-form, 3-Me ether
3-Hydroxylanosta-7,24-dien-26,23-olide; (3?9?,23S)-form, 3-Me ether
3-Hydroxypregn-14-en-20-one, 9CI; (3?,5?17?-form
3-Hydroxypregn-14-en-20-one, 9CI; (3?,5?-form
3-Hydroxypregn-16-en-20-one, 9CI; (3?,5?-form
3-Hydroxypregn-16-en-20-one, 9CI; (3?5?)-form
3-Hydroxypregn-16-en-20-one, 9CI; (3?5?-form
3-Hydroxypregn-5-en-20-one
3-Hydroxypregnane-11,20-dione, 9CI; (3?,5?)-form
3-Hydroxypregnane-2,16-dione; 3?-form
3-Hydroxystigmast-22-en-6-one; (3?,5?22E,24?)-form
3-Methyl-5-pentyl-2-furanundecanoic acid, 9CI
3-O-(?L-Mycarosyl)-8-hydroxyerythronolide B
3-O-?-D-Galactofuranosyl-D-galactose
3-O-?-D-Galactofuranosyl-D-mannose
3-O-?-D-Galactopyranosyl-D-galactose, 9CI, 8CI
3-O-?-D-Glucopyranosyl-D-fructose, 9CI
3-O-?-D-Glucopyranosyl-D-galactopyranose, 8CI
3-O-?-D-Glucopyranosyl-D-glucose, 9CI
3-O-?-D-Glucopyranosyl-D-mannose, 9CI
3-O-?-D-Mannopyranosyl-D-mannose, 9CI, 8CI
3-O-Caffeoylquinic acid; (E)-form, 3'-Me ether
3-Octadecenoic acid; (E)-form
3-O-?D-Galactopyranosyl-D-galactose, 9CI, 8CI
3-O-?D-Glucopyranosyl-D-glucose, 9CI, 8CI
3-O-?D-Glucopyranosyl-D-mannose, 9CI, 8CI
3-O-?D-Mannopyranosyl-D-galactose, 9CI
3-O-?D-Mannopyranosyl-D-glucose
3-O-?D-Mannopyranosyl-D-mannose, 9CI, 8CI
3-Oxo-12-oleanen-28-oic acid; Me ester
3-Pentadecyl-1,2-benzenediol, 9CI; 10',11',13',14'-Tetradehydro(10'Z,13'E)
3-Pentadecyl-1,2-benzenediol, 9CI; 7',8',10',11'-Tetradehydro
3-Pentadecyl-1,2-benzenediol, 9CI; 8',9',11',12'-Tetradehydro(Z,Z-)
4(15)-Eudesmen-6-ol; (5?,6?7?,10?)-form, 4-Hydroxycinnamoyl
4(15)-Eudesmene-1,6-diol; (1?,5?6?,10?)-form, 6-Cinnamoyl
4(15)-Eudesmene-1,6-diol; (1?5?,6?,10?-form, 6-Cinnamoyl
4-(3,4-Dihydroxyphenyl)-5,7,8-trihydroxy-2H-1-benzopyran-2-one; 5,7-Di-Me ether
4-(3,4-Dihydroxyphenyl)-5,7-dihydroxycoumarin; 5-O-[?-D-Apiofuranosyl-(1?6)-?-D-glucopyranoside]
4-(4-Ethylphenyl)-2-phenyl-1-butene
4,15-Dihydroxy-11(13)-pseudoguaien-12,8-olide; (1?4?,5?,8?,10?)-form, 11?13-Dihydro
4,18:11,16:15,16-Triepoxy-1,6,19-clerodanetriol; (ent-1?4?,6?,11R,13R,16R)-form, 1-(2-Methylbutanoyl), 6,19-di-Ac
4,18:11,16:15,16-Triepoxy-14-clerodene-2,3,6,19-tetrol; (ent-2?3?4?,6?,11R,13R,16R)-form, 14,15-Dihydro, 15-ethoxy, 3-(2-methylpropanoyl), 6,19-di-Ac
4,18:11,16:15,16-Triepoxy-2,3,6,15,19-clerodanepentol; (ent-2?,3?4?,6?,11R,13R,15S,16R)-form, 15-Me ether, 3-(2-methylbutanoyl), 6,19-di-Ac
4,18-Epoxy-4,5-seco-8,11,13-icetexatriene-12,19-diol; 12-Me ether
4,23-Dihydroxy-22-oxo-3,4-seco-12-oleanen-3-oic acid
4,23-Dinor-3,4-seco-5(24)-filicen-3-al
4,4-Dimethylcholesta-6,20(22)-dien-3-ol, 9CI; 3?-form
4,4-Dimethylcholesta-8,24-dien-3-ol; (3?,5?-form
4,4-Dimethylergosta-8,24(28)-diene-2,3,11,12-tetrol; (2?3?,5?11?,12?-form, 12-Ac
4',5,6,7,8-Pentahydroxyflavone; 4',6-Di-Me ether
4',5,6,7,8-Pentahydroxyflavone; 4',7-Di-Me ether
4',5,6,7,8-Pentahydroxyflavone; 4',8-Di-Me ether
4',5,6,7,8-Pentahydroxyflavone; 6,7-Di-Me ether
4',5,6,7,8-Pentahydroxyflavone; 6,7-Di-Me ether, 8-O-?-D-glucopyranoside
4',5,6,7,8-Pentahydroxyflavone; 6,8-Di-Me ether
4',5,6,7,8-Pentahydroxyflavone; 7,8-Di-Me ether
4',5,6,7,8-Pentahydroxyisoflavone; 6,8-Di-Me ether
4',5,6,7-Tetrahydroxyflavone; 6-O-?-D-Xylopyranoside, 7-O-?L-rhamnoside
4',5,6,7-Tetrahydroxyflavone; 7-O-[?-D-Xylopyranosyl-(1?2)-?-D-glucopyranoside]
4',5,6,7-Tetrahydroxyflavone; 7-O-[?-D-Xylopyranosyl-(1?4)-?L-rhamnopyranoside]
4',5,6,7-Tetrahydroxyflavone; 7-O-[?-D-Xylopyranosyl-(1?6)-?-D-galactopyranoside]
4',5,7,8-Tetrahydroxyflavone; 7-O-[?-D-Glucopyranosyl-(1?2)-?-D-xylopyranoside]
4',5,7-Trihydroxy-3,3'-dimethoxyflavone
4',5,7-Trihydroxy-3,3'-dimethoxyflavone; 4'-O-?-D-Glucopyranoside
4',5,7-Trihydroxy-3,3'-dimethoxyflavone; 7-O-?-D-Glucopyranoside
4',5,7-Trihydroxy-3',5'-dimethoxyflavone
4',5,7-Trihydroxy-3',5'-dimethoxyflavone; 4'-O-?-D-Glucopyranoside
4',5,7-Trihydroxy-3',5'-dimethoxyflavone; 5-O-?-D-Glucopyranoside
4',5,7-Trihydroxy-3',5'-dimethoxyflavone; 7-O-?-D-Glucopyranoside
4',5,7-Trihydroxy-3',6-dimethoxyflavone, 8CI
4',5,7-Trihydroxy-3',6-dimethoxyflavone, 8CI; 7-O-?-D-Glucopyranoside
4',5,7-Trihydroxy-3,8-dimethoxyflavone, 8CI
4',5,7-Trihydroxy-3'-methoxyflavone, 8CI; 4',7-Di-O-?-D-xylopyranoside
4',5,7-Trihydroxy-6-methoxyflavone, 8CI; 7-O-[?-D-Xylopyranosyl-(1?2)-?-D-xylopyranoside]
4',5,7-Trihydroxy-6-xylosyl-8-glucosylflavone
4',5,7-Trihydroxyflavanone; (?)-form, 7-O-[?L-Rhamnopyranosyl-(1?2)-[?L-rhamnopyranosyl-(1?6)]-?-D-glucopyranoside]
4',5,7-Trihydroxyflavone; 4'-O-[?-D-Xylofuranosyl-(1?4)-?-D-glucopyranoside]
4',5,7-Trihydroxyflavone; 7-O-[Arabinosyl-(1??)-glucoside]
4',5,7-Trihydroxyflavone; 7-O-[Xylosyl-(1??)-glucoside]
4',5,7-Trihydroxyisoflavone; 4'-O-?-D-Apiofuranoside, 7-O-?-D-glucopyranoside
4',5,7-Trihydroxyisoflavone; 7-O-[?-D-Apiofuranosyl-(1?6)-?-D-glucopyranoside]
4,5-Dihydro-4-hydroxy-5-methyl-2-tetradecyl-2(3H)-furanone; (3R,4S,5S)-form
4,6,10-Hexadecatrien-1-ol, 9CI; Ac
4,6,10-Triethyl-4,6-dihydroxy-8-methyl-2,7,11-tetradecatrienoic acid
4,6,11-Hexadecatrien-1-ol, 9CI; (4E,6E,11Z)-form, Ac
4',6,7-Trihydroxyisoflavone; 4',6-Di-Me ether, 7-O-(6-O-malonyl-?-D-glucopyranoside)
4,6-Diethyl-6-(4-ethyl-2-methyl-1,5-octadienyl)-1,2-dioxane-3-acetic acid; (3S,4R,6S,7E,10?,11E)-form
4,6-Diethyl-6-(4-ethyl-2-methyl-5-octenyl)-3,6-dihydro-1,2-dioxin-3-acetic acid, 9CI
4,6-Dihydroxy-11(13)-eudesmen-12-oic acid; (4?6?-form
4,6-Dihydroxy-12,8-eudesmanolide; (4?,6?8?11?H)-form
4,6-Dihydroxy-5-methyl-2H-1-benzopyran-2-one; 4-Me ether
4,6-Eudesmanediol; (4?6?,7?)-form, 6-(4-Hydroxycinnamoyl)
4,7-Dihydroxy-5-methyl-2H-1-benzopyran-2-one, 9CI; 4-Me ether
4,7-Dihydroxy-5-methyl-2H-1-benzopyran-2-one, 9CI; 4-Me ether, 7-O-?-D-glucopyranoside
4,7-Epidioxy-1-nor-16-prenyl-10,14-phytadien-2-oic acid; (3S,4S,7S,10E,14E)-form
4,7-Epoxy-11-eremophilanol; (4?7?10?)-form, Undecanoyl
4,8-Dihydroxy-5-methyl-2H-1-benzopyran-2-one, 9CI; 4-Me ether
4,9,11,12a-Tetrahydroxyrotenoid; 9-Me ether
4,9-Dihydroxy-1(5),11(13)-xanthadien-12,6-olide; (4?,6?,9?10?)-form, 11?,13-Dihydro
4,9-Octadecadienoic acid, 8CI
4'-[[2-Butyl-4-chloro-5-(hydroxymethyl)-1H-imidazol-1-yl]methyl][1,1'-biphenyl]-2-carboxylic acid, 9CI
4-Hydroperoxy-5-amorphen-12-oic acid; (4?11R)-form
4-Hydroxy-13-cleroden-15-oic acid; (ent-4?,13E)-form, Me ester
4-Hydroxy-5-(hydroxymethyl)-2H-1-benzopyran-2-one; 4-Me ether
4-Hydroxy-6-pentadecyl-2H-pyran-2-one, 9CI; 9',10',11',12'-Tetradehydro, Me ether
4-Hydroxyoctadecanoic acid; (?-form, Lactone
4-Isopropyl-1,6-dimethylnaphthalene, 8CI
4-Keto-?-carotene
4-Methyl-2,4-diphenyl-2-pentene; (Z)-form
4-Methyl-3,8-dihydroxyergost-24(28)-en-23-one; (3?,4?5?8?)-form
4-Methyl-7,11-heptadecadienoic acid; (Z,Z)-form
4-Methylcholest-8-en-3-ol; (3?,4?-form, 3-Ketone
4-Methylcholesta-7,24-dien-3-ol; (3?,4?5?-form
4-Methylcholesta-8,14-dien-3-ol; (3?,4?,5?-form
4-Methylcholesta-8,22-dien-3-ol; (3?,4?5?22E)-form
4-Methylcholesta-8,24-dien-3-ol; (3?,4?5?-form
4-Methylergosta-7,22-dien-3-ol; (3?,4?5?22E,24S)-form
4-Methylergosta-7,23-dien-3-ol, 9CI; (3?,4?5?23E)-form
4-Methylergosta-7,24(28)-dien-3-ol; (3?,4?,5?-form
4-Methylergosta-7,24(28)-dien-3-ol; (3?,4?5?20S)-form
4-Methylergosta-7,24(28)-dien-3-ol; (3?,4?5?-form
4-Methylergosta-7,24(28)-diene-3,4-diol, 9CI; (3?,4R,5?-form
4-Methylergosta-7,25-dien-3-ol; (3?,4?5?24S)-form
4-Methylergosta-8(14),22-dien-3-ol; (3?,4?5?,22E,24?)-form
4-Methylergosta-8(14),22-dien-3-ol; (3?,4?5?22E,24S)-form
4-Methylergosta-8(14),25-dien-3-ol; (3?,4?5?24S)-form
4-Methylergosta-8,22-dien-3-ol; (3?,4?5?22E,24?)-form
4-Methylergosta-8,24(28)-dien-3-ol; (3?,4?5?14?)-form
4-Methylergosta-8,24(28)-dien-3-ol; (3?,4?5?14?-form
4-Methylergosta-8,24(28)-diene-3,4-diol, 9CI; (3?,4R,5?-form
4-Muurolene-7,15-diol; 7?-form, 15-O-(3-Phenyl-2E-propenoyl)
4-Muurolene-7,15-diol; 7?-form, 15-O-(3-Phenyl-2Z-propenoyl)
4-O-?-D-Galactopyranosyl-D-galactose, 9CI, 8CI
4-O-?-D-Galactopyranosyl-D-mannose, 9CI
4-O-?-D-Galactopyranosyl-D-mannose, 9CI; ?-Pyranose-form
4-O-?-D-Glucopyranosyl-D-galactose, 8CI
4-O-?-D-Glucopyranosyl-D-mannose, 9CI, 8CI
4-O-?-D-Mannopyranosyl-D-glucose, 9CI
4-O-?-D-Mannopyranosyl-D-mannose, 9CI, 8CI
4-O-?-D-Mannopyranosyl-D-mannose, 9CI, 8CI; ?-Pyranose-form, Benzyl glycoside, hepta-Ac
4-O-?-D-Mannopyranosyl-L-gulose, 8CI
4-O-?-D-Psicofuranosylglucose
4-O-Caffeoylquinic acid; Me ester
4-O-?D-Galactopyranosyl-D-galactose, 9CI, 8CI
4-O-?D-Glucopyranosyl-D-galactose, 9CI
4-O-?D-Mannopyranosyl-D-mannose, 9CI, 8CI
5-(1,3-Decadienyl)indolizidine
5(10)-Halimene-3,15-diol; (ent-3?,8?H,13?)-form, 3-Ketone, 15-carboxylic acid, Me ester
5-(3,6-Heptadienyl)dihydro-2(3H)-furanone; (E)-form
5-(3-Buten-1-ynyl)-5' hydroxymethyl-2,2'-bithiophene; 3-Methylbutanoyl
5-(8-Heptadecenyl)dihydro-3-hydroxy-2(3H)-furanone, 9CI
5-(8-Tridecenyl)-1,3-benzenediol, 9CI; (Z)-form
5-(Methylthio)-1-phenyl-4-penten-2-yn-1-one, 9CI; (E)-form
5,11-Octadecadienoic acid; (all-Z)-form
5,6,16-Octadecatrienoic acid; (R,E)-form
5,6,7,7a-Tetrahydro-4,4,7a-trimethyl-2(4H)-benzofuranone, 9CI
5,6,7,7a-Tetrahydro-4,4,7a-trimethyl-2(4H)-benzofuranone, 9CI; (S)-form
5,6,7,8-Tetrahydroxy-2H-1-benzopyran-2-one; 7-Me ether, 5-O-(6-O-malonyl-?-D-glucopyranoside)
5,6,7-Trihydroxy-4'-methoxyflavone; 7-O-[?-D-Mannopyranosyl-(1?2)-6''-O-?-4-hydroxycinnamoyl-?-D-glucopyranoside]
5,6-Epoxy-3,11-dihydroxyergost-22-en-1-one; (3?5?,6?,11?22E,24R)-form, 22,23-Dihydro, 11-Ac
5,6-Epoxy-6,10,14-trimethyl-9,13-pentadecadien-2-one
5,6-Epoxy-8-hydroxy-11-drimanoic acid; (5?6?8?9?,10?)-form
5,6-Octadecadienoic acid; (R)-form
5,7-Dihydroxy-2,6-dimethyl-4H-1-benzopyran-4-one, 9CI
5,7-Dihydroxy-2,8-dimethyl-4H-1-benzopyran-4-one, 9CI
5,7-Dihydroxy-2H-1-benzopyran-2-one, 9CI; Di-Me ether
5,7-Dihydroxy-2-methyl-4H-1-benzopyran-4-one, 9CI; 5-Me ether
5,7-Dihydroxy-2-methyl-4H-1-benzopyran-4-one, 9CI; 7-Me ether
5,7-Dihydroxy-4H-1-benzopyran-4-one, 9CI; Di-Me ether
5,7-Dihydroxy-4'-methoxyisoflavone; 7-O-(6-O-Malonyl-?-D-glucopyranoside), Me ester
5,7-Dihydroxy-6,8-dimethyl-4H-1-benzopyran-4-one
5,7-Dihydroxy-6,8-dimethyl-4H-1-benzopyran-4-one; 7-O-?-D-Glucopyranoside
5,7-Dihydroxy-6-methyl-2-nonacosyl-4H-1-benzopyran-4-one, 9CI
5,8,11,14,17-Nonadecapentaenoic acid; (all-Z)-form, 17,18-Dihydro
5,8-Dihydroxy-2H-1-benzopyran-2-one, 9CI; Di-Me ether
5,8-Epidioxy-23-norgorgost-6-en-3-ol; (3?,5?8?-form, Ac
5,8-Epidioxystigmasta-6,22-dien-3-ol; (3?,5?8?22E,24R)-form, 22,23-Dihydro
5,8-Epidioxystigmasta-6,22-dien-3-ol; (3?,5?8?22E,24S)-form, 22,23-Dihydro
5,9,12-Octadecatrienoic acid; (E,Z,Z)-form
5,9,12-Octadecatrienoic acid; (Z,Z,Z)-form
5,9,13-Trihydroxy-2,4,6,8,10,12,14,16,18-nonamethyl-2,6,10-eicosatrienoic acid; (2E,4S,5S,6E,8S,9S,10E,12S,13R,14S,16S,18S)-form, 13-O-(6-O-Acetyl-?-D-mannopyranoside), D-mannitol-1-yl ester
5,9-Epidioxy-8-hydroperoxy-6-daucene; (5?8?9?-form
5,9-Octadecadienoic acid
5,9-Octadecadienoic acid; (5E,9Z)-form
5,9-Octadecadienoic acid; (5Z,9Z)-form
5-Alkyl-1H-pyrrole-2-carboxaldehydes; !5-Pentadecyl-1H-pyrrole-2-carboxaldehyde
5-Alkyl-3,5-dimethyl-1,2-dioxolane-3-acetic acids; !3,5-Dimethyl-5-pentadecyl-1,2-dioxolane-3-acetic acid, 9CI
5-Amino-4-(ribitylamino)uracil; D-form
5-Azacytidine
5beta-Dihydrotestosterone
5-Dehydro-4-deoxy-D-glucarate
5'-Deoxyguanosine, 9CI
5-Hexadecyl-5-methoxy-2(5H)-furanone
5-Hexadecyl-5-methoxy-2(5H)-furanone; 12',13',14',15'-Tetradehydro (E,E-)
5-Hexadecyl-5-methoxy-2(5H)-furanone; 14',15'-Didehydro (E-)
5-Hydroperoxystigmasta-6,25-dien-3-ol; (3?,5?24S)-form
5-Hydroxy-14,15-dinor-13-labdanone
5-Hydroxy-3,14-viscidadien-19-oic acid; Me ester
5-Hydroxy-4',6,7-trimethoxyflavone; 5-O-[6-O-Acetyl-?-D-glucopyranosyl-(1?3)-?-D-galactopyranoside]
5-O-?-D-Galactofuranosyl-D-galactose
5-O-Caffeoylquinic acid; (E)-form, Me ester
5-Octadecenoic acid; (E)-form
5-Octadecenoic acid; (Z)-form
5-Octadecynoic acid, 9CI
5-O-?D-Galactofuranosyl-D-galactose, 9CI
5-O-?D-Glucopyranosyl-D-fructose, 9CI, 8CI
5-Oxoheneicosanoic acid
5-Pentadecyl-1,3-benzenediol, 9CI; 2'-Oxo
5-Pentadecyl-1,3-benzenediol, 9CI; 8',9'Z,11',12'Z-Tetradehydro
5-Tetradecen-1-ol; (Z)-form, Butanoyl
6-(3,4-Dihydroxyphenyl)-5,6-dihydro-2H-pyran-2-one; (S)-form, 4'-O-?-D-Glucopyranoside
6,10,14,18,22-Pentamethyl-5,9,13,17,21-tricosapentaen-2-one
6,10,14-Trimethyl-5,10-pentadecadiene-2,12-dione, 9CI
6,10,14-Trimethyl-5,9,13-pentadecatrien-2-one, 9CI; (5E,9E)-form, 13R,14-Epoxide
6,10,14-Trimethyl-5,9-pentadecadiene-2,12-dione, 9CI; (E,E)-form
6,10,14-Trimethyl-5,9-pentadecadiene-2,13-dione, 9CI; (E,E)-form
6,10,14-Trimethyl-5-pentadecene-2,12-dione; (E)-form
6,11-Hexadecadien-1-ol, 9CI; (6E,11Z)-form, Ac
6,11-Octadecadienoic acid; (6E,11Z)-form
6,11-Octadecadienoic acid; (Z,Z)-form
6,12,14-Octadecatrienoic acid, 9CI; (6Z,12Z,14Z)-form
6,13-Epoxy-3,8-eunicelladiene-2,12-diol; (2?6?12?,13?-form, Di-Ac
6,19-Epoxy-3,6,8(19),11,15(17)-cembrapentaene-16,20-diol; (3E,11Z)-form, 16-Butanoyl
6,19-Epoxy-3,6,8(19),11,15(17)-cembrapentaene-16,20-diol; (3E,11Z)-form, 20-Butanoyl
6,22-Dihydroxy-25-hopanoic acid; 6?form, 6-Ac
6,7-Dihydroxy-11,12-drimanolide; (6?7?)-form
6,7-Dihydroxy-2H-1-benzopyran-2-one, 9CI; Di-Me ether
6,7-Dihydroxy-3-(2,3,4-trihydroxyphenyl)-2H-1-benzopyran-2-one; 2',4'-Di-Me ether
6,7-Dihydroxy-4H-1-benzopyran-4-one, 9CI; Di-Me ether
6,8,15-Labdanetriol; (6?,8?13S)-form, 6-Me ether
6,8-Dihydroxy-3-methyl-1H-2-benzopyran-1-one, 9CI; 6-Me ether
6,8-Kempadiene-3,14-diol; (3?14?-form, Di-Ac
6,9,12-Octadecatrienoic acid, 9CI; (Z,Z,Z)-form
6,9-Octadecadienoic acid; (6Z,9Z)-form
6a,12a-Dihydro-4,9,11,12a-tetrahydroxy[1]benzopyrano[3,4-b][1]benzopyran-12(6H)-one, 9CI; 9-Me ether
6-Chloro-2,8,9,12-tetrahydroxy-3,5(16),13-briaratrien-18,7-olide; (2?,3Z,6?7?9?,12?-form, 12-Ketone, 2,9-di-Ac
6-Docosenoic acid, 9CI; (Z)-form, Amide
6-Ethyl-3-(2-methylpropyl)-2H-pyran-2-one, 9CI
6-Galloylglucose
6-Hydroperoxy-3-hydroxy-1,7(14),10-farnesatrien-9-one; (3S,6?)-form
6-Hydroxy-2-nor-2,3-seco-1,3-allohimachalanedione; (6?7?-form, O-Formyl
6-Hydroxy-4-nonadecenoic acid; (Z)-form
6-Hydroxy-5-benzofuranpropanoic acid; O-?-D-Glucopyranoside
6-Hydroxystigmast-4-en-3-one; (6?, 24R)-form
6-Hydroxystigmast-4-en-3-one; (6?, 24R)-form, 6-Hydroperoxide
6-Hydroxystigmast-4-en-3-one; (6?24R)-form
6-Hydroxystigmast-4-en-3-one; (6?24R)-form, 6-Hydroperoxide
6-Hydroxystigmast-4-en-3-one; (6?24S)-form
6-Isopropenyl-3,9-dimethyl-3,9-decadien-1-ol; (3Z,6R)-form, Propanoyl
6-Methoxy-2-nonaprenyl(X-H2)-1,4-benzoquinone
6-Methyl-8-(2,2,6-trimethyl-3,6-epoxycyclohexyl)-5-octen-2-one; (E)-form
6-Methyl-9-heptadecenoic acid
6-O-?-D-Fructofuranosyl-D-fructose, 9CI, 8CI
6-O-?-D-Galactofuranosyl-D-galactose, 9CI
6-O-?-D-Galactofuranosyl-D-mannose
6-O-?-D-Galactopyranosyl-D-galactose, 9CI, 8CI
6-O-?-D-Galactopyranosyl-D-glucose
6-O-?-D-Galactopyranosyl-D-mannose, 8CI
6-O-?-D-Galactopyranosyl-D-mannose, 8CI; ?-Pyranose-form
6-O-?-D-Glucopyranosyl-D-galactose, 8CI
6-O-?-D-Glucopyranosyl-D-galactose, 8CI; ?Pyranose-form
6-O-?-D-Glucopyranosyl-D-glucose, 9CI
6-O-?-D-Glucopyranosyl-D-mannose
6-O-?-D-Mannopyranosyl-D-mannose, 9CI
6-Octadecenoic acid; (E)-form
6-Octadecenoic acid; (Z)-form
6-Octadecynoic acid, 9CI
6-O-?D-Galactopyranosyl-D-galactose, 9CI, 8CI
6-O-?D-Galactopyranosyl-D-glucose, 9CI
6-O-?D-Galactopyranosyl-D-mannose, 9CI, 8CI
6-O-?D-Glucopyranosyl-D-fructofuranose
6-O-?D-Glucopyranosyl-D-glucose, 9CI
6-O-?D-Glucopyranosyl-D-mannose, 9CI, 8CI
6-O-?D-Glucopyranosyl-D-mannose, 9CI, 8CI; Pyranose-form, 2-Benzyl, hepta-Ac
6-O-?D-Mannopyranosyl-D-mannose, 9CI, 8CI
6-Protoilludene-4,5,8,14-tetrol; (4?5?8?)-form
7,11,14-Labdatriene-6,13,17-triol; (ent-6?,11E,13?)-form, 6,17-Di-Ac
7,11-Octadecadienoic acid; (7Z,11Z)-form
7,13-Dihydroxy-3,14-clerodadien-2-one; (ent-7?,8?H,13?)-form, Di-Ac
7,15,26,27-Tetrahydroxylanosta-8,24-dien-3-one; (7?15?-form, 7-Me ether
7,15-Dihydroxy-8-labden-17-oic acid; (7?13?)-form, 7-Me ether
7,22-Dihydroxy-27-hopanoic acid; 7?-form, 7-Ac
7,24,25,26-Tetrahydroxylanost-8-en-3-one; (7?24?,25?)-form, 7-Ketone
7,8-Didehydro-?,?carotene-3,3',6'-triol; (3R,3'S,6'R)-form
7,8-Dihydroxy-2H-1-benzopyran-2-one; Di-Me ether
7,8-Dimethyl-7-hexadecenoic acid; (Z)-form
7,9-Dimethyl-6-hexadecenoic acid; (Z)-form
7a-Acetyl-3a,4,5,6-tetrahydro-3a-hydroxy-1,2,6-trimethyl-6-(4,8,12-trimethyltridecyl)cyclopent[b]pyran-3(1H)-one
7-Chloro-2,3-dihydro-2-(4-methoxy-2-methylphenyl)pyridazino[4,5-b]quinoline-1,4,10(5H)-trione, 9CI
7-Hexadecen-1-ol; (E)-form, Ac
7-Hydroperoxy-3-hydroxy-1,5,10-farnesatrien-9-one; (3S,5E,7?)-form
7-Hydroxy-14,15-dinor-8(17)-labden-13-one; 7?form
7-Hydroxy-2-(hydroxymethyl)-5-methyl-4H-1-benzopyran-4-one
7-Hydroxy-6-(hydroxymethyl)-2H-1-benzopyran-2-one; O7-Me
7-Isopropyl-1,4-dimethylazulene
7-Isopropyl-2,4-dimethylazulene
7-Labdene-15,17-diol; (13?)-form, Di-Ac
7-Labdene-2,15-diol; (2?13?)-form, 2,15-Di-Ac
7-Labdene-3,15-diol; (3?,13S)-form, 15-Formyl
7-Labdene-3,15-diol; (3?,13S)-form, 3-Formyl
7-Octadecen-9-ynoic acid, 9CI; (E)-form
7-Octadecen-9-ynoic acid, 9CI; (Z)-form
7-Octadecenoic acid; (E)-form
7-Octadecenoic acid; (Z)-form
7-Protoilludene-1,5,6,9,14-pentol; (1?5?)-form, 14-Aldehyde, 5-(3-chloro-6-hydroxy-4-methoxy-2-methylbenzoyl)
7-Ribofuranosyladenine; ?-D-form
7-Ribofuranosyladenine; ?D-form
8(13),10-Cycloamphilectadiene-2,14-diol; (2?14?-form, Di-Ac
8(14),15-Isopimaradiene-1,7,11-triol; (1?,7?11?-form, 1,11-Di-Ac
8(17),13-Labdadiene-15,18-diol; (ent-13E)-form, 15-Carboxylic acid, Me ester
8(17),13-Labdadiene-15,19-diol; (13Z)-form, 19-Carboxylic acid, Me ester
8(17)-Labdene-15,19-diol; (13R)-form, 19-Aldehyde, 15-formyl
8(17)-Labdene-15,19-diol; (ent-13S)-form, 19-Carboxylic acid, 15-Me ether
8-(5-Hydroxy-2,6,6-trimethyl-2-cyclohexenyl)-6-methyl-5-octen-2-one; (3S,6S,9E)-form
8-(5-Hydroxy-2,6,6-trimethyl-2-cyclohexenyl)-6-methyl-5-octen-2-one; (3S,6S,9E)-form, ?5,18-Isomer
8-(5-Hydroxy-2,6,6-trimethyl-2-cyclohexenyl)-6-methyl-5-octen-2-one; (3S,6S,9E)-form, ?5-Isomer
8,10,12-Octadecatrienoic acid; (8E,10E,12Z)-form
8,10,12-Octadecatrienoic acid; (8Z,10E,12Z)-form
8,10-Dihydroxy-5-[(6-hydroxy-4-oxo-4H-pyran-2-yl)methyl]-2-methyl-4H-naphtho[1,2-b]pyran-4-one, 9CI
8,10-Dihydroxy-5-[(6-hydroxy-4-oxo-4H-pyran-2-yl)methyl]-2-methyl-4H-naphtho[1,2-b]pyran-4-one, 9CI; 2,3-Dihydro, 2?-hydroxy
8,11,13-Abietatriene-11,12-diol; 12-Me ether
8,11,13-Abietatriene-2,12-diol; 2?form, Di-Ac
8,11,13-Abietatriene-3,12-diol; 3?form, 12-Me ether
8,11,13-Abietatriene-3,14,19-triol; 3?-form, 14-Me ether
8,11,13-Abietatriene-7,11,12-triol; 7?-form, 12-Me ether
8,11,13-Abietatriene-7,11,12-triol; 7?form, 12-Me ether
8,11,13-Icetexatriene-10,12-diol; 10?-form, 11-Hydroxy, 12-Me ether
8,11,13-Icetexatriene-10,12-diol; 10?-form, 11-Methoxy
8,11,13-Icetexatriene-10,12-diol; 10?-form, 12-Me ether
8,11,13-Sphaeroatriene-2,13,18-triol; (2?3?7?10?-form, 13-Me ether
8,11,13-Totaratriene-12,13-diol; 12-Me ether
8,13:13,17-Diepoxy-14,15-dinorlabdane; (8?,13R)-form
8,13:13,17-Diepoxy-14,15-dinorlabdane; (8?13S)-form
8,13-Epoxy-14,15-dinor-12-labden-3-ol; (3?,8?)-form
8,13-Epoxy-14-labden-3-ol; (ent-3?,8?13S)-form, Formyl
8,13-Epoxy-3-nor-14-colensen-2-one; (8?13R)-form
8,13-Epoxy-3-nor-14-colensen-2-one; (ent-8?13S)-form
8,16-Dihydroxyhexadecanoic acid; (+)-form, Me ester
8,9-Epoxy-8,9-secoergosta-7,9(11)-dien-3-ol; (3?,24R)-form, Me ether
8-Acetonyldihydronitidine; 10,11-Di-O-de-Me, 10,11-methylene ether
8-Acetonyldihydrosanguinarine
8-Daucene-4,6-diol; (4?,6?-form, 6-Cinnamoyl (E-)
8-Daucene-5,10-diol; (5?,10?)-form, 10-Cinnamoyl(E-)
8-Galactopyranosyl-4',5,7-trihydroxyflavone; 2''-O-?-D-Xylopyranosyl
8-Glucopyranosyl-4',5,7-trihydroxyisoflavone; 6''-O-Apiosyl
8-Hydroxy-14,15-dinor-11-labden-13-one; (8?11E)-form
8-Hydroxy-18-labdanoic acid; (8? 13?)-form, Me ether
8-Hydroxy-3,4-bis(hydroxymethyl)-1H-2-benzopyran-1-one, 9CI; 1'-Deoxy
8-Hydroxy-3,4-bis(hydroxymethyl)-1H-2-benzopyran-1-one, 9CI; 2'-Deoxy
8-Labdene-3,7,15-triol; (3?,7?,13S)-form, 3-Me ether
8-Labdene-3,7,15-triol; (3?,7?13S)-form, 7-Me ether
8-Octadecenoic acid; (E)-form
8-Octadecenoic acid; (Z)-form
8'-Oxo-6,8'-diapo-6-carotenoic acid; (9Z)-form, Me ester
9(11)-Arborinene-2,3,7,19-tetrol; (2?3?,7?,19?-form, 2-Ac
9(11)-Arborinene-2,3,7,19-tetrol; (2?3?,7?,19?-form, 3-Ac
9(12)-Capnellene-2,5,8,10-tetrol; (2?,5?8?,10?-form
9(12)-Capnellene-3,8,10,14-tetrol; (3?,8?,10?-form
9-(3-Furanyl)-2,6-dimethyl-6-nonene-2,3,5-triol; (3S,5R,6E)-form
9,10-Dihydro-3,6,8-trihydroxy-9,10-dioxo-1-(1-oxopropyl)-2-anthraceneacetic acid; Me ester
9,10-Secoergosta-5(10),6,8,22-tetraen-3-ol, 9CI
9,10-Secoergosta-5(10),6,8,22-tetraen-3-ol, 9CI; (3S,6E,22E)-form
9,10-Secoergosta-5(10),6,8,22-tetraen-3-ol, 9CI; (3S,6Z,22E)-form
9,10-Secoergosta-5,7,10(19),22-tetraen-3-ol, 9CI
9,10-Secoergosta-5,7,10(19),22-tetraen-3-ol, 9CI; (3R,5Z,7E,22E)-form
9,10-Secoergosta-5,7,10(19),22-tetraen-3-ol, 9CI; (3S,5E,7E,22E)-form
9,10-Secoergosta-5,7,10(19),22-tetraen-3-ol, 9CI; (3S,5Z,7E,22E)-form
9,10-Secoergosta-5,7,10(19)-trien-3-ol; (3S,5Z,7E)-form
9,10-Secoergosta-5,7,22-trien-3-ol, 9CI; (3S,5E,7E,10S,22E)-form
9,11,13-Octadecatrienoic acid; (9E,11E,13Z)-form
9,11,13-Octadecatrienoic acid; (9Z,11E,13E)-form
9,11,13-Octadecatrienoic acid; (9Z,11E,13Z)-form
9,11-Dodecadien-1-ol; (E)-form, Hexanoyl
9,12,15-Octadecatrienoic acid, 9CI; (E,E,E)-form
9,12,15-Octadecatrienoic acid, 9CI; (Z,Z,Z)-form
9,12,17-Octadecatrienoic acid; (9Z,12Z)-form
9,12-Octadecadienoic acid, 9CI; (9Z,12E)-form
9,12-Octadecadienoic acid, 9CI; (E,E)-form
9,12-Octadecadienoic acid, 9CI; (Z,Z)-form
9,15-Dihydroxy-16-kauren-19-oic acid; (ent-15?)-form, 15-Dodecanoyl
9,15-Octadecadienoic acid; (Z,Z)-form
9,19-Cyclo-14,24-dimethylcholestan-3-ol; (3?,5?9?,14?24?)-form, 3-Ketone
9-Arabinofuranosyladenine, 8CI; ?-D-form
9-Eremophilene-1,6-diol; (1?,6?)-form, 6-Cinnamoyl
9-Hexadecen-1-ol; (Z)-form, Ac
9-Hydroxy-16-kauren-19-oic acid; ent-form, Me ester
9-Octadecen-12-ynoic acid; (Z)-form
9-Octadecen-18-olide; (Z)-form
9-Octadecen-6-ynoic acid; (Z)-form
9-Octadecenoic acid, 9CI; (E)-form
9-Octadecenoic acid, 9CI; (Z)-form
9-Octadecynoic acid, 9CI
Abierixin; ?3-Isomer, O-de-Me
Abietospiran
Acadesine, BAN, INN, USAN; 5'-Phosphate
Acoric acid
Actodigigenin; 3-O-?-D-Glucopyranoside
Adenosine
Adenosine, 9CI, 8CI, BAN, USAN
Adipedatol
Adonixanthin
Aeginetic acid
Aflatoxin B1; (-)-form, 15,16-Dihydro, 16-hydroxy
Aflatoxin G1; 15,16-Dihydro
Aflatoxin M1; 15,16-Dihydro
Afzelin; 7-O-?L-Arabinopyranoside
Afzelin; O''-?-D-Xylopyranosyl
Agarobiose, 9CI
Alisol B; 13?,17?-Epoxide
Alisol F
Alterlosin I
Alternarian acid
Amaronol A
Amarouciaxanthin B; 4,5?-Dihydro
Ambolic acid; 3-Ketone
Ampelozigenin
Amphisterol
Ananasic acid
Androst-5-ene-3,17-diol, 9CI; (3?,17?)-form
Androst-5-ene-3,17-diol, 9CI; (3?,17?-form
Androst-5-ene-3,17-diol, 9CI; (3?17?)-form
Androsterone
Anhydrocrustulinol
Anhydroholantogenin
Anhydrosepedonin
Annodienin
Annojahnin
Antheliolide A
Antibiotic 17927D
Antibiotic 2158
Antibiotic C 112-III; 1'-Oxo
Antibiotic CJ 13104; 13'-Ketone
Antibiotic CP 47433
Antibiotic FR 65814
Antibiotic K 41, 9CI; 15-Demethoxy
Antibiotic KPN
Antibiotic LI-F; !Antibiotic LIF-03B
Antibiotic RF 3192A; 4'-Deoxy
Antibiotic S 685
Antibiotic Sch 49211
Antibiotic Sch 64877
Antibiotic WB 3559A
Antibiotic WB 3559C
Antibiotic WS 5995A
Antibiotic X 14868A
Antibiotic X 14868A; 28-Epimer
Antibiotic X 206
Aphelandrine; (+)-form, 17,18-Diepimer, 30-methoxy, Me ether
Aphidicolin
Aragusterol B
Aragusterol G; 3-Ketone
Araneosol
Aranotin, INN, USAN
Arenarin B
Argimicin A
Arizonin C1; 7-O-De-Me
Arizonin C1; 8-O-De-Me
Arnottin II
Arteannuin M
Artemoin A
Artemoin B
Artemoin C
Artemoin D
Aspidoalbine
Aspidospermiose
Asteriacerebroside B
Asteriacerebroside C
Astragalin; 2''-O-?-D-Apiofuranosyl
Astragalin; 6''-O-?L-Arabinopyranosyl
Astragalin; 7-O-?L-Arabinopyranoside
Astragalin; 7-O-Xylopyranoside
Astragalin; O''-Xylosyl
Atranone D
Atranone D; 21-Epimer
Aureofungin; !Aureofungin B
Auroxanthin
Auroxanthin; (8R,8'R)-form
Auroxanthin; (8R,8'R,9Z)-form
Auroxanthin; (8R,8'S)-form
Auroxanthin; (8S,8'S)-form
Australinol A; 2-Aldehyde
Australinol B; 2-Aldehyde
Australinol C; 2-Aldehyde
Australinol D; 2-Aldehyde
Australinol E; ?20(30)-Isomer, 2-aldehyde
Australinol E; 2-Aldehyde
Avermectin B1a; 3''-O-De-Me
Avermectin B1b
Azaftozine, INN
Bactobolin A
Bactobolin C
Bafilomycin A1; O7-(2-Methylpropanoyl), O21-(2-O-methyl-?L-rhamnopyranoside)
Benthocyanin A
Benthocyanin A; 11-Carboxy isomer
Betanidin; 15-Epimer, 5-O-[?-D-apiofuranosyl-(1?2)-6-O-malonyl-?-D-glucopyranoside]
Betanidin; 5-O-[?-D-Apiofuranosyl-(1?2)-6-O-malonyl-?-D-glucopyranoside]
Biclotymol, INN
Bicoumol; 7-Me ether
Bikaverin
Bishopantholide; 2?,3?-Epoxide
Bistramide A; 39-Ac
Blestriarene C; 9,10-Dihydro
Blestrin C
Blestrin D
Brevifolincarboxylic acid; Et ester
BZR-Cotoxin I
Calabaxanthone; 3,4-Dihydro, 3,9-dihydroxy
Cannabigerol
Capsanthin; 3'-Ketone
Capsanthin; 5?6?Epoxide
Capsochrome
Capsoneoxanthin
Capsorubin
Carlinoside
??Carotene-3,3'-dione
??Carotene-3,3'-dione; (6S,6'S)-form
Carpetimycin A; 1',2'-Dihydro, O-sulfate
Carrabiose
Cassia Alkaloid D
Catalpol; 6-O-[(3-Hydroxy-4-methoxycinnamoyl)-(?3)-2-O-acetyl-?L-rhamnopyranoside]
Celaxanthin
Cellobiose
Cellobiose
Cerarvensin; 7-O-?-D-Glucopyranoside
Chalmicrin
Chenodeoxycholate
Chicoric acid; (2R,3R)-form
Chicoric acid; (2RS,3SR)-form
Chicoric acid; (2S,3S)-form
chiro-Inositol, 9CI, 8CI; D-form, 2-O-?D-Galactopyranoside
Chlorobactene; 1',2'-Dihydro, 1'-hydroxy
Chlorophyll a
Cholest-24-ene-3,4,5,6,7,8,14,15,26-nonol; (3?,4?,5?6?7?,15?24E)-form
Cholestane-3,5,6-triol; (3?,5?6?)-form, 6-Ac
Cholestane-3,6,14-triol; (3?,5?6?,14?-form, 6-Ac
Cimigenol; 15-Epimer
Cimigenol; 15-Me ether
Cimigenol; 25-Deoxy, 25,26-didehydro, 15-Me ether
Cimigenol; 25-Me ether
Citbismine B; N10'-Me
Citrate
Citreomontanin
Citric acid
Citrunobin; 3,5-Dimethoxy, 4-Me ether
Cladobotrin I
Cladocrocin A
Clavepictine B
Coenzyme Q; !Coenzyme Q9
Conicasterol
Coriacyclodienin
Coronatoquinone; (S)-form
Corymboside
Cosmosiin; 2''-?-D-Apiofuranosyl
Cosmosiin; 2''-O-?-D-Xylopyranosyl
Cosmosiin; 6''-O-?-D-Apiofuranosyl
Cosmosiin; 6''-O-?-D-Xylopyranosyl
Cosmosiin; 6''-O-?L-Arabinofuranosyl
Cosmosiin; 6''-O-?L-Arabinopyranosyl
Cosmosiin; O''-?L-Arabinopyranosyl
Coumetarol, INN
Crassostreaxanthin A
Crassostreaxanthin B
Crombeone; 3'-Deoxy, 5'-hydroxy, O5-Me
Crombeone; 5-Me ether
Crustaxanthin
?Cryptoeutreptiellanone
Cucurbita-5,24-diene-3,7,23-triol; (3?,7?,22?)-form, 7-O-?-D-Glucopyranoside
Cucurbitaxanthin A; 5'?6'?Epoxide
Cumindyoside B
Cunninghamic acid A
Cunninghamic acid A; 13-Epimer
Cycloartane-3,16,24,25,29-pentol; (3?,16?,24S)-form, 3-O-[?-D-Xylopyranosyl-(1?2)-?-D-xylopyranoside]
Cycloartane-3,16,24,25,30-pentol; (3?,16?,24S)-form, 3-O-[?-D-Xylopyranosyl-(1?2)-?-D-xylopyranoside]
Cycloartane-3,6,16,24,25-pentol; (3?,6?16?,24R)-form, 3-O-[?L-Arabinopyranosyl-(1?2)-?-D-xylopyranoside]
Cyclodione
Cyclograndisolide
Cyclograndisolide; 23-Epimer
Cyclonervilasterol; 22,23-Dihydro
Cyclonervilasterol; 24-Epimer, 22,23-dihydro
Cycloorbigenin
Cyclopregnol, INN
Cycloviolaxanthin
Daechuine S7
Dahurinol
Dammar-24-ene-3,12,20-triol, 9CI; (3?,12?,20R)-form, 3-O-?-D-Glucopyranoside
Dammar-24-ene-3,12,20-triol, 9CI; (3?,12?,20S)-form, 3-O-?-D-Glucopyranoside
Dammar-24-ene-3,12,20-triol, 9CI; (3?,12?,20S)-form, 3-O-?-D-Glucopyranoside, 20-O-[?-D-xylopyranosyl-(1?6)-?-D-glucopyranoside]
Dammar-24-ene-3,12,20-triol, 9CI; (3?,12?,20S)-form, 3-O-?-D-Glucopyranoside, 20-O-[?arabinofuranosyl-(1?6)-?-glucopyranoside]
Dammar-24-ene-3,12,20-triol, 9CI; (3?,12?,20S)-form, 3-O-?-D-Glucopyranoside, 20-O-[?L-arabinopyranosyl-(1?2)-?-D-glucopyranoside]
Dammar-24-ene-3,12,20-triol, 9CI; (3?,12?,20S)-form, 3-O-[?-D-Glucopyranosyl-(1?2)-?-D-glucopyranoside], 20-O-?-D-xylopyranoside
Dammar-24-ene-3,12,20-triol, 9CI; (3?,12?,20S)-form, 3-O-[?-D-Glucopyranosyl-(1?2)-?-D-glucopyranoside], 20-O-?L-arabinopyranoside
Dammar-24-ene-3,12,20-triol, 9CI; (3?,12?,20S)-form, 3-O-[?-D-Xylopyranosyl-(1?2)-?-D-glucopyranoside], 20-O-?-D-glucopyranoside
Dammara-20(22),24-diene-3,6,12-triol; (3?,6?12?,20E)-form, 6-O-?-D-Glucopyranoside
Deacetyldihydrobotrydial; 15-Oxo, 10-deoxy
Decursidinol; (3'?,4'?)-form, 4'-Angeloyl, 3'-(3-methyl-2-butenoyl)
Decursidinol; (3'R,4'R)-form, O,O-Diangeloyl
Decursidinol; (3'S,4'R)-form, 3'-O-(3-Methyl-2-butenoyl), 4'-angeloyl
Decursidinol; (3'S,4'R)-form, 4'-O-(3-Methyl-2-butenoyl), 3'-O-angeloyl
Decursidinol; (3'S,4'R)-form, Diangeloyl
Decursidinol; (3'S,4'R)-form, O,O-Bis(3-methyl-2-butenoyl)
Dehydroaverufin
Delapril, INN
Dendrinolide
Deoxyguanosine
Derriobtusone B
Dethiotetra(methylthio)chetomin
?D-Glucopyranosyl ?-D-sorbopyranoside
Diadinochrome
Diadinoxanthin A
Diadinoxanthin A; 5,6-Diepimer
Dianemycin, 9CI; 10-Demethyl
Dianemycin, 9CI; 6-Demethyl
Diatoxanthin
Dicoumarol, INN
Dictyomedin A
Dictyopyrone B
Dictyotriol A; 9,12-Di-Ac
Dicumarol
Didymocalyxin C
Diemenensin A
Diemenensin A; 1'Z-Isomer
Dieporeticanin; !Dieporeticanin 1
Dieporeticanin; !Dieporeticanin 2
Dieporeticenin
Diepoxyrollin
Dihydrocalysterol; (3?,23R,24R,28R)-form
Dihydrocalysterol; (3?,23S,24R,28R)-form
Dihydromyricetin
Dinaphthimine
Diphyllin
Diphyllin; O-[3-O-Methyl-?-D-glucopyranoside]
Discobahamin B
Docosanedioic acid, 9CI
Dolineone
?Doradexanthin
?Doradexanthin; 3'-Epimer
Doxaprost, INN, USAN
Dryopterin
Ebelactone B
Echinenone
Echinenone; 2-Hydroxy
Echinenone; 3',4'-Didehydro, 4-alcohol
Echinenone; 3'-Hydroxy
Echinenone; 3S-Hydroxy
Echinenone; 4'-Hydroxy
Echissaposterol
Edgeworthin; Di-Me ether
Elasnin
Epimelibiose
Erdin; (R)-form, Bis(dechloro), Me ester
Erdin; (S)-form, Bis(dechloro), Me ester
Ergost-4-en-3-one; (24R)-form
Ergost-4-en-3-one; (24S)-form
Ergost-7-en-3-ol; (5?24R)-form, 3-Ketone
Ergosta-16,20(22)-dien-3-ol; (3?,24?)-form
Ergosta-17(20),22-dien-3-ol; (3?,24?)-form
Ergosta-4,22-dien-3-one; (22E,24R)-form
Ergosta-4,22-dien-3-one; (22E,24S)-form
Ergosta-4,6,22E-trien-3-one
Ergosta-4,6,22E-trien-3-one; (22E)-form
Ergosta-4,6,8(14),22-tetraen-3-ol; (3?,22E,24R)-form
Ergosta-4,6,8(14),24(28)-tetraen-3-one; 24,28?-Dihydro
Ergosta-4,7,22-trien-3-one; (22E)-form
Ergosta-5,20,24(28)-trien-3-ol; 3?-form
Ergosta-5,20,25-trien-3-ol; (3?,24?)-form
Ergosta-5,20-dien-3-ol, 9CI; (3?,24?)-form
Ergosta-5,22,25-trien-3-ol
Ergosta-5,22,25-trien-3-ol; (3?,22E,24R)-form
Ergosta-5,22,25-trien-3-ol; (3?,22E,24S)-form
Ergosta-5,23-dien-3-ol; 3?-form
Ergosta-5,24(28)-dien-3-ol
Ergosta-5,24(28)-dien-3-ol; 3?-form
Ergosta-5,24(28)-diene-1,3,11,18-tetrol; (1?3?,11?-form, 18-Ac
Ergosta-5,24(28)-diene-1,3,11,18-tetrol; (1?3?,11?-form, 24R,28-Dihydro, 22,23-didehydro, 18-Ac
Ergosta-5,24(28)-diene-3,7-diol; (3?,7?-form, 7-Me ether
Ergosta-5,24-dien-3-ol; 3?-form
Ergosta-5,25-dien-3-ol, 9CI; (3?,24R)-form
Ergosta-5,7,14,22-tetraen-3-ol; (3?,22E,24S)-form
Ergosta-5,7,22,24(28)-tetraen-3-ol; (3?,22E)-form
Ergosta-5,7,22,25-tetraen-3-ol; (3?,22E,24S)-form
Ergosta-5,7,22-trien-3-ol; (3?,10?22E,24R)-form
Ergosta-5,7,22-trien-3-ol; (3?,22E,24R)-form
Ergosta-5,7,22-trien-3-ol; (3?,9?,10?22E,24R)-form
Ergosta-5,7,25-trien-3-ol; (3?,24S)-form
Ergosta-5,7,9(11),22-tetraen-3-ol; (3?,22E,24R)-form
Ergosta-5,7-dien-3-ol; (3?,24S)-form
Ergosta-5,8,17(20)-trien-3-ol; (3?,17(20)?,24?)-form
Ergosta-5,8,22-trien-3-ol; (3?,22E,24R)-form
Ergosta-7,14,22-trien-3-ol
Ergosta-7,14,22-trien-3-ol; (3?,5?22E,24R)-form
Ergosta-7,22,24(28)-trien-3-ol; (3?,5?-form
Ergosta-7,22-dien-3-ol; (3?,5?22E,24R)-form
Ergosta-7,22-dien-3-ol; (3?,5?22E,24S)-form
Ergosta-7,22-dien-3-one
Ergosta-7,22-dien-3-one; (5?24S)-form
Ergosta-7,22-diene-2,3,9-triol; (2?,3?9?24R)-form, 2-Me ether
Ergosta-7,22-diene-3,5,6-triol; (3?,5?6?,22E,24R)-form, 6-Me ether
Ergosta-7,23-dien-3-ol; (3?,5?-form
Ergosta-7,24(28)-dien-3-ol; (3?,5?-form
Ergosta-7,25-dien-3-ol; (3?,5?24?)-form
Ergosta-7,25-dien-3-ol; (3?,5?24S)-form
Ergosta-8(14),22-dien-3-ol, 9CI; (3?,5?22E,24R)-form
Ergosta-8,14,22-trien-3-ol; (3?,5?,22E,24R)-form
Ergosta-8,23-dien-3-ol; (3?,5?23E)-form
Ergosta-8,24(28)-dien-3-ol; (3?,5?-form
Ergosterol
Ervahanine A; 3'-Hydroxy, N-de-Me
Ervahanine B; 3'-Hydroxy, N-de-Me
Eschscholtzxanthin
Eschscholtzxanthin; Monoketone
Escigenin
Eupha-7,24-diene-3,21,26-triol; (3?,24Z)-form, 21-Carboxylic acid, 3-ketone, Me ester
Falipamil, INN
Fasciculic acid B; 12-Deoxy
Fazarabine, INN, USAN
Felodipine, BAN, INN, USAN
Ficisterol
Flexixanthin
Flexixanthin; 2'-Hydroxy
Flexixanthin; 3-Deoxy
Flexixanthin; 3-Deoxy, 2'R-hydroxy
Formycin A
Foromacidin A
Foromacidin A; Mixt. with Foromacidins B and C
Fostedil, INN, USAN
Fructose, 9CI, 8CI; D-form, 1-O-(3,4,5-Trihydroxybenzoyl)
Fructose, 9CI, 8CI; D-form, 6-O-(3,4,5-Trihydroxybenzoyl)
Frutinone A; 11-Hydroxy
Fulvanin 2
Fumarprotocetraric acid; 2'',3''-Dihydro
Furaltadone, BAN, INN
Fusarubinoic acid
Galactinol
Gallopamil, BAN, INN
Gamatin
Garcinisidone A
Garhwalin
GDP-4-dehydro-6-deoxy-D-mannose
GDP-4-dehydro-6-deoxy-L-mannose
GDP-4-oxo-L-fucose
Gelliusine D; (?-form
Gelliusine E; (?-form
Gingerdiols; ![10]-Gingerdiol
Gingerdiols; ![4]-Gingerdiol
Gingerglycolipid A
Gingerglycolipid A; 15',16'-Dihydro
Glaciolide
Glechonin A
Glisoprenin D; 6,7-Epoxide
Glycerol 1,3-dialkanoates; !Glycerol 1,3-di-(9Z,12Z,15Z-octadecatrienoate)
Glycerol 1-alkanoates; !Glycerol 1-(10-methyl-9Z-octadecenoate)
Glycerol 1-alkanoates; !Glycerol 1-(14-methylpentadecanoate)
Glycerol 1-alkanoates; !Glycerol 1-(9Z,12Z,15Z-octadecatrienoate)
Glycerol 1-alkanoates; !Glycerol 1-tetradecanoate
Glycerol tri-6-octadecenoate; (all-Z)-form
Glycerol tri-9,12-octadecadienoate; (9Z,12Z)-form
Glycerol tri-9-octadecenoate; (Z,Z,Z)-form
Gorgost-5-ene-3,7,11,12-tetrol, 9CI; (3?,7?11?12?)-form, 12-Ac
Gouanogenin B
Gracilin A; 16-Deacetoxy
Gracilin A; 16-Deacetoxy, O15-de-Ac
Grifolic acid; 4-Me ether
Guarabin
Halocynthiaxanthin
Hanalpinol; 9-Hydroperoxide
Hebelophyllene D
Hemsleyanol E
Henryoside; 6-Benzoyl
Heptelidic acid chlorohydrin
Heteroxanthin
Hexanorcucurbitacin F
Hexanorcucurbitacin F; 2-Epimer, 16-deoxy, 16,17-didehydro
Hippospongin E; ?-N-Ac
Hovenolactone
Hydroxydavanone; 11-Hydroperoxide
Hydroxyversicolorone
igmasta-4,6,8(14),22-tetraen-3-one; (22E,24?)-form, 22,23-Dihydro
Incisterol
Indanonaphthol B
Indanonaphthol B; Isomer
Inulobiose
Ipomopsin
Irbesartan, BAN, INN, USAN
Iresinoside
Iridogermanal; 16R-Acetoxy, 21-deoxy
Irispurinol
Isoaffinetin; 3',5'-Di-Me ether
Isocarlinoside
Isocitrate
Isocitric acid; (1R,2R)-form
Isocitric acid; (1R,2S)-form
Isocitric acid; (1S,2S)-form
Isodahurinol
Isoguarabin
Isomaltose
Isomollupentin; 2''-O-?-D-Glucopyranoside
Isomollupentin; 4'-O-?-D-Glucopyranoside
Isomollupentin; 7-O-?-D-Glucopyranoside
Isoorientin; 2''-O-?-D-Xylopyranosyl
Isoorientin; 2''-O-?-L-Arabinofuranosyl
Isoorientin; 6''-O-?L-Arabinopyranosyl
Isoschaftoside
Isoscoparin; 2''-O-[4-Hydroxycinnamoyl-(?6)-?-D-glucopyranosyl]
Isotrichodiol; 8?Hydroxy
Isovitexin; 2''-O-(4-Hydroxy-3-methoxycinnamoyl), 4'-O-glucopyranoside
Isovitexin; 2''-O-?-D-Xylopyranosyl
Isovitexin; 2''-O-?L-Arabinopyranosyl
Isovitexin; 4'-O-Arabinoside
Isovitexin; 6''-O-Arabinosyl
Isovitexin; 7-O-[4-Hydroxy-3-methoxycinnamoyl-(??)-?-D-glucopyranoside]
Isovitexin; 7-O-[4-Hydroxy-3-methoxy-E-cinnamoyl-(?6)-?-D-glucopyranoside]
Isovitexin; 7-O-Xyloside
Isozeaxanthin; Diketone
Jasmololone; (Z)-form
Jasmolone
Juruenolide A
Jusneesiinol
Justisolin; O-[?-D-Glucopyranosyl-(1?2)-?-D-glucopyranoside]
Khellactone; (9R,10R)-form, 10-Angeloyl, 9-O-(3-methyl-2-butenoyl)
Khellactone; (9R,10R)-form, 9-O-(2,7-Dimethyl-5-oxo-2,6-octadienoyl)
Khellactone; (9R,10R)-form, 9-O-Angeloyl, 10-O-(3-methyl-2-butenoyl)
Khellactone; (9R,10R)-form, Bis-O-(3-methyl-2-butenoyl)
Khellactone; (9R,10R)-form, Diangeloyl
Khellactone; (9S,10S)-form, 9-Angeloyl, 10-O-(3-methyl-2-butenoyl)
Khellactone; (9S,10S)-form, Bis-O-(3-methyl-2-butenoyl)
Khellactone; (9S,10S)-form, Diangeloyl
Kinamycin F; 2-Ac
Kinamycin F; 3-Ac
Kinamycin F; 4-Ac
Kneglomerantanone B
Koellikerigenin; 25-Me ether
Kulonic acid; Me ester
Lactose
Lactose
Lactulose, BAN, INN, JAN, USAN
lanine
Lasiocephalin
Lecideoidin; Bis(dechloro)
Leptophyllin A
Leptosin D
Leptosin D
Leurosidine; Nb'-Oxide
Leuseramycin B
Lilixanthin
Lilixanthin; 4-Ketone
Limonenecarboxylic acid
Lucenin 1
Lucenin 3
Lucidone C
Lutein; 3'-Ketone
Maclafungin
Macrotetrolide B
Macrotetrolide C
Malic acid, 8CI
Malic acid, 8CI; (R)-form
Malic acid, 8CI; (S)-form
Maltose
Maltose, 9CI, 8CI
Maltulose
Malvalic acid
Melianotriol; 3-Ketone
Melibiose
Melonovine B
Metoserpate, BAN, INN
Mevinolin
Micromonol; 19'-Aldehyde, 3'-deoxy, 3',4'-didehydro
Mimulaxanthin
Momofulvenone A; 4-Ac
Monadoxanthin
Monadoxanthin; 3'-Deoxy
Monocarpin
Montecristin
Moreollin; Carboxylic acid, O10-de-Et, O10-Me
Muqubilin; (13R,16R,17R)-form
Muqubilin; (13R,16S,17R)-form
Muqubilin; (13S,16R,17S)-form
Muqubilin; (13S,16S,17S)-form
Murolic acid; (-)-form, O-[?L-Rhamnopyranosyl-(1?4)-?-D-glucopyranoside]
Murolic acid; (+)-form, O-[?L-Rhamnopyranosyl-(1?6)-?-D-glucopyranoside]
Murrayacarpin A
myo-Inositol, 9CI, 8CI; 1-O-?-D-Glucopyranoside
Mytiloxanthin
N-(2-Cyanoethyl)-2-(1,1-dimethylethyl)-6-nitro-4-quinolinecarbothioamide, 9CI
N-?-Glutamylcysteine; L-L-form, S-(2-Propenylthio)
Nairaiamide B
Neoagarobiose
Neocarlinoside
Neocorymboside
Neoisoschaftoside
Neoliacinolide C
Neomangicol A
Neotenone; (?-form, 2,3-Didehydro
Neoxanthin
Neoxanthin; (9'Z)-form
Niceritrol, BAN, INN, JAN
Nidurufin
Norboletone, INN
Norecasantalol; Carboxylic acid
Norisonotatic acid
Nostoxanthin
Notatic acid; O-De-Me
N-Phenyl-N'-[2,3,4,5-tetrahydro-2,4-dioxo-1-phenyl-5-(tricyclo[3.3.1.13,7]dec-1-ylmethyl)-1H-1,5-benzodiazepin-3-yl]urea, 9CI
Nuclotixene, INN
Octenidine, BAN, INN
Oganomycin GG
Oleuropein; 10-Hydroxy, 6'-(3,4-dihydroxy-E-cinnamoyl)
Oleuropein; 10-Hydroxy, 6'-(3,4-dihydroxy-E-cinnamoyl), 3''-Ac
Oligomycin A, 9CI, 8CI; 12-Deoxy
Oligomycin A, 9CI, 8CI; 21?-Hydroxy
Oreojasmin
Oreojasmin; 6-Demethoxy
Orientin; 2''-O-?-Arabinopyranosyl
Orientin; 2''-O-?-D-Xylopyranosyl
Orientin; 2''-O-?-L-Arabinofuranosyl
Orientin; 6''-O-?-D-Xylopyranosyl
Ornibactin C4
Orthosphenic acid
Oscillol; 2,2'-Di-O-?-L-rhamnopyranoside
Osirisyne A; 19-Deoxo, 21-oxo, 31-deoxy
Osirisyne A; 31-Deoxy
Osirisyne A; 6-Hydroxy, 19-deoxo, 21-oxo
Osirisyne E
Oxymetholone, BAN, INN, USAN
Oxysiphulin
Pachyrrhizin
Pachyrrhizin; 9-Methoxy
Pachyrrhizone; (+)-form
Palmarumycin C15; 3-Ketone
Palmarumycin C15; 4,5-Dihydro, 3,7-diketone
Panaxadiol; 3-O-?-D-Glucopyranoside
Pannaric acid; 2-Me ester
Pannaric acid; 6-Me ester
Paradol; ![10]Paradol
Parathylone
Parviflorol
Pectenol
Pectenotoxin 1; 43-Deoxy
Pectenoxanthin
Pectinatone
Pectinatone; (Z)-Isomer
Pedicellatin
Peliomycin, INN, USAN
Periplocagenin; 20-O-(2,6-Dideoxy-3-O-methoxymethyl-arabino-hexapyranoside)
Petrostanol; 5,6-Didehydro
Phenacizol
Phenylmethyl [1-[[[4-[(2,3-dihydro-2-hydroxy-1H-inden-1-yl)amino]-2-hydroxy-3-[[(4-methoxyphenyl)methyl]amino]-4-oxo-1-(phenylmethyl)butyl]amino]carbonyl]-2,2-dimethylpropyl]carbamate
Phlebiarubrone; 4',4''-Dihydroxy
Phosphatidylcholine; !Glycerol 1-hexadecanoate 2-(9-octadecenoate) 3-phosphocholine
Phosphatidylcholine; !Glycerol 2-(5,8,11,14-eicosatetraenoate) 1-octadecanoate 3-phosphocholine
Phytosterol
Pisolactone; 3-Ketone
Plakinic acid B
Plakinic acid D
Plakinic acid D; 3-Epimer
Plakortone B
Plakortone B; 7,8,11,12-Tetrahydro
Plakortone C
Plastoquinone; !Plastoquinone 9
Plectaniaxanthin; (R)-form, 2'-Ketone
p-Mentha-1,3,5-triene-2,8-diol; 2-Me ether
Polycerasoidol; Me ether, Me ester
Polyfibrospongol A
Polyporenic acid A; 3-Ac
Pongaglabrone; 5'-Methoxy
Ponganone VIII
Pongapin
Pongapin; 5'-Methoxy
Populnin; 3-O-D-Xyloside
Prasinoxanthin
Prasinoxanthin; 3'-Deoxy, 3',4'-didehydro
Prednisone, BAN, INN, USAN; 21-Hexadecanoyl
Pregn-5-ene-3,16,20-triol; (3?,16?,20R)-form, 3-O-?-D-Glucopyranoside
Pregn-6-ene-3,17,20-triol
Pregn-9(11)-ene-3,6,20-triol; (3?,5?6?20R)-form
Pregna-5,14-diene-3,20-diol; (3?,20S)-form
Pregnane-2,3,16,20-tetrol
Pregnane-3,16,20-triol, 9CI; (3?,5?16?20R)-form
Pregnane-3,16,20-triol, 9CI; (3?,5?16?20S)-form, 16-Ketone
Pregnane-3,16,20-triol, 9CI; (3?5?,16?20S)-form
Pregnane-3,16,20-triol, 9CI; (3?5?16?20S)-form
Pregnane-3,16,20-triol, 9CI; (3?5?16?20S)-form, 16-Ketone
Pregnane-3,17,20,21-tetrol
Pregnane-3,17,20-triol, 9CI
Pregnane-3,20-dione; 5?-form
Pregnenolone
Prepasinoxanthin
Pretomentol
Preussomerin A
Preussomerin A; 2',3'-Dihydro, 1-ketone
Preussomerin A; 3?3'?Dihydroxy, 2,3-deepoxy, 2',3'-dihydro, 1,1'-diketone
Preussomerin A; 3'?Hydroxy, 2',3'-dihydro, 1-epimer
Prezoapatanol
Proligestone, BAN, INN
Prosopine
Pycnocomolide; 4''-Methoxy
Pyrrolidine, 9CI, 8CI; N-(3,6-Hexadecadienoyl)
Pyrrolidine, 9CI, 8CI; N-Octadecanoyl
Quercimeritrin; 6''-O-Tigloyl
Quercitrin; 2''-O-?-D-Xylopyranosyl
Quercitrin; 2''-O-?L-Arabinopyranosyl
Quercitrin; 3''-O-?-D-Xylopyranosyl
Raspailynes; !Isoraspailyne A
Raspailynes; !Raspailyne A
Remerin
Retelliptine, INN
Reticulatain 1
Reticulatain 1; 21-Epimer
Reticulatain 1; 22-Epimer
?Rhamnoisorobin; 3-O-?-D-Xylopyranoside
?Rhamnoisorobin; 3-O-?L-Arabinofuranoside
?Rhamnoisorobin; 3-O-?L-Arabinopyranoside
Rhodopinol; 1-Deoxy, 3,4-didehydro, 20-aldehyde
Ribavirin, INN, USAN
Ritrosulfan, INN
rofuric acid
Roxburghiadiol A
Roxburghiadiol A; 6-Epimer
Salmoxanthin
Sangivamycic acid; Me ester
Sanguidimerine
Sanguidimerine; (8R*,8'R*)-form
Sanguidimerine; (8RS,8'SR)-form
Saptarangiquinone A
Sarcotol; 4-Me ether
Sativanine G
Schaftoside
Schaftoside; 1''',4'''-Diepimer
Schaftoside; 1'''-Epimer
Schaftoside; 2''',3''',4'''-Triepimer
Schweinine
Scortechinone B
Secofloribundione
Secomacrotolide; 6?-Cinnamoyloxy, 1,10-dihydro, 1-oxo
Secomartinelline
Segetalin G
Sengosterone
Sengosterone; 28-Epimer
Sigmosceptrellin A
Sigmosceptrellin A; ?3-Isomer
Sigmosceptrellin A; 16-Epimer
Sigmosceptrellin A; 17-Epimer
Sigmosceptrellin E
Sipholenone C
Siphonaxanthin
Siphulin
Sitaxentan, INN
SK 1
Sodwanone D
Sodwanone O
Solamin; 15-(9-Octadecenoyl)(Z-)
Solanochromene
Soraphen A; 12-Methoxy(Z-), 11-O-de-Me
Soraphen A; 8?-Hydroxy
Soraphen A; 8?-Hydroxy, stereoisomer(?)
Sormosterol
Spirosenbergiolide
Spirosenbergiolide; 7-Epimer
Spirostane-1,2,3,4,5,6-hexol; (1?,2?,3?,4?,5?,6?,25R)-form
Squamosinin A
Stemphyltoxin I
Sterculynic acid
Sterigmatocystin; 10,11-Dimethoxy
Stigmast-24(28)-en-3-one; (5?24(28)E)-form
Stigmast-24(28)-en-3-one; (5?24(28)Z)-form
Stigmast-24(28)-ene-2,3,22,23-tetrol, 9CI; (2?3?5?22R,23R,24(28)E)-form
Stigmast-4-en-3-one
Stigmast-5-en-3-one, 9CI
Stigmast-5-ene-3,4-diol; (3?,4?,24S)-form, 25,26-Didehydro
Stigmast-5-ene-3,7,15-triol; (3?,7?,15?,24?)-form, 3-(4-Hydroxy-3-methoxybenzoyl)
Stigmast-5-ene-3,7,22-triol; (3?,7?22R,24R)-form, 7-Ketone
Stigmast-5-ene-3,7-diol; (3?,7?,24?)-form, 7-Ketone
Stigmast-5-ene-3,7-diol; (3?,7?,24R)-form, 7-Ketone
Stigmast-5-ene-3,7-diol; (3?,7?,24S)-form, 7-Ketone
Stigmast-7-en-3-one; (5?,24R)-form
Stigmast-7-en-3-one; (5?24?)-form
Stigmast-7-en-3-one; (5?24R)-form
Stigmast-7-ene-3,5,6,9-tetrol; (3?,5?6?,9?24?)-form
Stigmast-7-ene-3,5,6-triol; (3?,5?24?)-form, 6-Ketone
Stigmast-9(11)-en-3-ol; (3?,5?24R)-form, Ketone
Stigmasta-22,25-dien-3-ol
Stigmasta-22,25-dien-3-ol; (3?,5?22E,24S)-form
Stigmasta-24(28),25-dien-3-ol; (3?,5?24(28)Z)-form
Stigmasta-3,5,24(28)-trien-7-one; (24E)-form
Stigmasta-4,25-diene-3,6-diol; (3?,6?,24S)-form
Stigmasta-4,6,24-trien-3-one, 9CI
Stigmasta-4,6,8(14),22-tetraen-3-one; (22E,24?)-form
Stigmasta-5,11-dien-3-ol; (3?,24R)-form
Stigmasta-5,17(20)-dien-3-ol; 3?-form
Stigmasta-5,20-dien-3-ol, 9CI; (3?,24?)-form
Stigmasta-5,22-dien-3-ol; (3?,22E,24R)-form
Stigmasta-5,22-dien-3-ol; (3?,22E,24S)-form
Stigmasta-5,22-diene-3,7,16-triol; (3?,7?16?,22E,24?)-form
Stigmasta-5,22-diene-3,7-diol; (3?,7?,22E,24S)-form
Stigmasta-5,22-diene-3,7-diol; (3?,7?22E,24S)-form
Stigmasta-5,23-dien-3-ol; (3?,23E)-form
Stigmasta-5,23-dien-3-ol; (3?,23Z)-form
Stigmasta-5,24(28)-dien-3-ol, 9CI; (3?,20R,24Z)-form
Stigmasta-5,24(28)-dien-3-ol, 9CI; (3?,20S,24E)-form
Stigmasta-5,24(28)-dien-3-ol, 9CI; (3?,24?)-form
Stigmasta-5,24(28)-dien-3-ol, 9CI; (3?,24E)-form
Stigmasta-5,24(28)-dien-3-ol, 9CI; (3?,24E)-form, 24S,28S-Epoxide
Stigmasta-5,24(28)-diene-3,29-diol; (3?,24(28)E)-form, 29-Hydroperoxide
Stigmasta-5,24(28)-diene-3,7-diol; (3?,7?24E)-form
Stigmasta-5,24-dien-3-ol; 3?-form
Stigmasta-5,25-dien-3-ol; (3?,24S)-form
Stigmasta-5,25-diene-3,7-diol; (3?,7?,24S)-form
Stigmasta-5,25-diene-3,7-diol; (3?,7?24S)-form
Stigmasta-5,25-diene-3,7-diol; (3?,7?24S)-form, 7-Hydroperoxide
Stigmasta-5,28-diene-3,20-diol; (3?,20S,24R)-form
Stigmasta-5,28-diene-3,24-diol, 9CI; 3?-form
Stigmasta-5,9(11)-dien-3-ol
Stigmasta-5,9(11)-dien-3-ol; (3?,24?)-form
Stigmasta-5,9(11)-dien-3-ol; 3?-form
Stigmasta-7,22-dien-3-ol; (3?,5?22E,24R)-form
Stigmasta-7,22-dien-3-ol; (3?,5?22E,24S)-form
Stigmasta-7,22-dien-3-ol; (3?5?22E,24R)-form
Stigmasta-7,22-diene-3,5,6-triol, 9CI; (3?,5?6?,24?)-form
Stigmasta-7,24(28)-dien-3-ol; (3?,5?24(28)E)-form
Stigmasta-7,24(28)-dien-3-ol; (3?,5?24(28)E)-form, 24R,28R-Epoxide
Stigmasta-7,24(28)-dien-3-ol; (3?,5?24(28)E)-form, 24S,28S-Epoxide
Stigmasta-7,24(28)-dien-3-ol; (3?,5?24(28)Z)-form
Stigmasta-7,24(28)-diene-3,5,6-triol; (3?,5?6?-form
Stigmasta-7,24-dien-3-ol; (3?,5?-form
Stigmasta-7,25-dien-3-ol; (3?,5?24S)-form
Stigmasta-7,25-diene-2,3-diol; (2?3?,24S)-form
Stigmasta-7,28-diene-3,24-diol; (3?,5?24R)-form
Stigmasta-7,28-diene-3,24-diol; (3?,5?24S)-form
Stigmasta-8(14),22-dien-3-ol; (3?,5?24S)-form
Stigmasta-8(14),24(28)-diene-3,7-diol; (3?,5?7?24(28)E)-form
Stigmasta-8(14),24(28)-diene-3,7-diol; (3?,5?7?24(28)Z)-form
Stigmasta-8,22-dien-3-ol; (3?,5?,22Z,24R)-form
Stigmasta-9(11),22-dien-3-ol; (3?,5?22E)-form
Stigmastane-3,6-diol; (3?,5?6?,24R)-form, Diketone
Stowardolic acid
Streptonigrin, USAN; 10'-O-De-Me
Streptonigrin, USAN; 10'-O-De-Me
Streptonigrin, USAN; 6-O-De-Me
Streptonigrin, USAN; 6-O-De-Me
Strychnosilidine; O-De-Ac
Subnotatic acid
Sucrose
Sucrose, 9CI, 8CI
Sucrose, 9CI, 8CI; 3',6'-Bis-O-(4-hydroxy-3-methoxy-E-cinnamoyl)
Sucrose, 9CI, 8CI; 3',6-Bis-O-(4-hydroxy-3-methoxy-E-cinnamoyl)
Sucrose, 9CI, 8CI; 3'-O-(4-Hydroxy-3,5-dimethoxycinnamoyl)(E-), 6-O-(4-hydroxycinnamoyl)(E-)
Sulfenosine; S-Oxide
Surianol
Tantazole A
Tantazole A; 4''-Epimer
Tantazole F
Tartaric acid; (2RS,3SR)-form, 2-O-(4-Hydroxy-E-cinnamoyl), 3-Ac
Ternstroemiaxanthin
Tetracenomycin D
Tetracenomycin D3; 5-Deoxo
Tetracenomycin F2
Tetrahydro-2-(1-hydroxy-9-nonenyl)-5-pentyl-3-furanol; (1'R,2S,3S,5R)-form
Tetrahydro-2-(1-hydroxy-9-nonenyl)-5-pentyl-3-furanol; (1'R,2S,3S,5R)-form, 1'-O-Hexadecanoyl
Tetrahydro-2-(1-hydroxy-9-nonenyl)-5-pentyl-3-furanol; (1'R,2S,3S,5R)-form, 3-O-(5,8,11,14-Eicosatetraenoyl)(all-Z)
Tetrahydro-2-(1-hydroxy-9-nonenyl)-5-pentyl-3-furanol; (1'R,2S,3S,5R)-form, 3-O-Hexadecanoyl
Tetrahydro-2-(1-hydroxy-9-nonenyl)-5-pentyl-3-furanol; (1'S,2S,3S,5S)-form
Tetranorcacospongionolide B
Thiamine, BAN, INN
Ticabesone, INN
?Tocopherol; 8',12'-Dihydroxy
Tomentanol
Tomentol
Tomentol; ?13-Isomer
Toosendantriol
Topostin D 640
Torularhodin
??Trehalose
??Trehalose; 6,6'-Dihexadecanoyl
Trevoagenin D
Trichotriol
Tricyclodictyofuran A; 9-Deoxy, 19?-methoxy
Trifolin; 2''-O-?-D-Apiofuranosyl
Trifolin; 2''-O-?-D-Xylopyranosyl
Trifolin; 6''-O-L-Arabinopyranosyl
Triornicin
Triornicin; !Isotriornicin
Tripoxyrollin
Trollichrome; (8'R)-form
Trollichrome; (8'S)-form
Tunaxanthin; (3R,3'R,6S,6'S)-form, Monoketone
Turanose, 9CI, 8CI
Udoteal; 6,7-Dihydro
Uriolide; Deepoxy
Uvariamicin I
Uvariamicin I; 19,20-Diepimer
Uvariamicin I; 23,24-Didehydro(Z-)
Uvariamicin III
Uvariamicin III; 24-Epimer
Uvariamicin IV
Uvariamicin IV; 17,18-Diepimer
Vaginidiol; Bis-O-(3-methyl-2-butenoyl)
Vaginidiol; O,O-Diangeloyl
Variabilin; (6E,10E,15R,16Z)-form, 18-Hexadecanoyl
VE-FPL
Vicenin 1
Villalstonine; 4'-N-Oxide
Vinblastine, BAN, INN; 14'-Hydroxy
Vinblastine, BAN, INN; 15'?-Hydroxy
Vinblastine, BAN, INN; 15'?Hydroxy
Vincetoxicoside B; 3-O-Arabinoside
Violaxanthin; (13Z)-form
Violaxanthin; (15Z)-form
Violaxanthin; (9Z,13Z)-form
Violaxanthin; (9Z,13'Z)-form
Violaxanthin; (9Z,15Z)-form
Violaxanthin; (9Z,9'Z)-form
Violaxanthin; (all-E)-form
Vitamin D2
Vitexin; 2''-O-?-D-Xylopyranosyl
Vitexin; 2''-O-?D-Arabinofuranosyl
Vitexin; 4'-O-D-Xyloside
Vitexin; 6''-O-Xylosyl
Webbiaxanthin
Yahazunol
Yardenone
Zanamivir, BAN, USAN
Zeaxanthin; Di-O-?-D-glucopyranoside
Zidovudine, BAN, INN, USAN
Zizyphus mucronata Alkaloid
【００３６】
実施例５
イネ幼穂の代謝物(物質の判定したものを示す)
"(4R,5S)-4,5,6-Trihydroxy-2,3-dioxohexanoate"
"(5Z,13E)-(15S)-6,9alpha-Epoxy-11alpha,15-dihydroxyprosta-5,13-dienoate"
"(5Z,13E)-(15S)-9alpha,15-Dihydroxy-11-oxoprosta-5,13-dienoate"
"2,3-Dioxo-L-gulonate"
"2-Octaprenyl-3-methyl-5-hydroxy-6-methoxy-1,4-benzoquinone"
"4-(1-D-Ribitylamino)-5-amino-2,6-dihydroxypyrimidine"
"5alpha-Androstane-3beta,17beta-diol"
"5alpha-Pregnane-3,20-dione"
"5beta-Pregnane-3,20-dione"
"7-O-(beta-D-apiofuranosyl-1,2-beta-D-glucosyl)-5,7,4'-trihydroxyflavone"
"alpha,alpha-Trehalose"
"Ergosta-5,7,22,24,(28)-tetraen-3beta-ol"
(R)-Malate
(S)-Malate
?,?-Caroten-2-one
?,?-Carotene-2,2'-diol; (2R,2'R)-form, Monoketone
?,?-Carotene-3',6'-dione; (5'R)-form
?,?Caroten-2-ol; 2-Ketone
?,?Caroten-4-one; (R)-form
?-Carotenone
?-Glutamylalbizziine; L-L-form
?-Sorigenin; 8-O-?-D-Glucopyranoside
??-Trehalose
1-(2,3-Dihydro-2-furyl)-4-(thien-2-yl)but-1-en-3-yne
1-(2,6-Dihydroxyphenyl)-1-tetradecanone, 9CI; Mono-Me ether
1-(2-Isopropyl-1-methylcyclobutyl)-4-methyl-4-nonene-1,8-dione
1-(3,4-Methylenedioxyphenyl)-1-tetradecene; (E)-form
1-(3-Furanyl)-4,8-dimethyl-7-nonene-3,4,5-triol; (3R,4R,5R)-form
1-(3-Furanyl)-6,7-dihydroxy-4,8-dimethyl-1-nonanone
1-(3-Hydroxyphenyl)-1-pentanol; (-)-form
1-(5'-Phosphoribosyl)-5-amino-4-imidazolecarboxamide
1,10:4,5-Diepoxy-6,11-germacranediol; (1R,4R,5R,6R,10R)-form, 6-(2-Methyl-2-butenoyl)
1,10-Dihydroxy-11(13)-eremophilen-12,8-olide; (1?,8?,10?-form, 11?,13-Dihydro
1,15-Dihydroxy-11(13)-eudesmen-12,6-olide; (1?,6?-form, 11?,13-Dihydro
1,16,18,20-Tetrahydroxy-2,7(19),10,14-phytatetraen-6-one; (2E,10Z,14E)-form
1,17-Diisothiocyanato-1,16-heptadecadiene; (Z,Z)-form, 1,2-Dihydro
1,19-Dihydroxy-14-methyl-2,6,10,13-phytatetraen-12-one; (2Z,6Z,10E,13E)-form
1,19-Dihydroxy-14-methyl-2,6,10,13-phytatetraen-12-one; (2Z,6Z,10E,13E)-form, ?14(21)-Isomer
1,2,3,4,5-Pentahydroxyanthraquinone; 1,2(or 3),4-Tri-Me ether
1,2,3,4-Tetrahydro-1,1,7,8-tetramethylphenanthrene
1,2,3,5,7-Pentahydroxy-6-methylanthraquinone; 2,3-Di-Me ether
1,2,3,5,8-Pentahydroxy-6-methylanthraquinone; 1,3-Di-Me ether
1,2,3,5,8-Pentahydroxy-7-methylanthraquinone; 1,3-Di-Me ether
1,2,3,5-Tetrahydroxy-6-hydroxymethylanthraquinone; 1,3-Di-Me ether
1,2,3,6,7-Pentahydroxyxanthone; 1,2,3-Tri-Me, 6,7-methylene ether
1,2,3,7,8-Pentahydroxy-6-methylanthraquinone; 1,2-Di-Me ether
1,2,3,7,8-Pentahydroxy-6-methylanthraquinone; 1,3-Di-Me ether
1,2,3,7,8-Pentahydroxy-6-methylanthraquinone; 2,3-Di-Me ether
1,2,3,7,8-Pentahydroxy-6-methylanthraquinone; 2,8-Di-Me ether
1,2,3,7,8-Pentahydroxyxanthone; 2,3-Methylene, 1,7,8-tri-Me ether
1,2,3-Trihydroxyanthraquinone; 3-O-[?L-Rhamnopyranosyl-(1?6)-?-D-glucopyranoside]
1,2,4,5-Tetrahydroxy-7-hydroxymethylanthraquinone; 2,5-Di-Me ether
1,2,5-Trihydroxy-6-methylanthraquinone, 8CI; 2-O-[?-D-Xylopyranosyl-(1?6)-?-D-glucopyranoside]
1,2,7-Trihydroxy-6-methylanthraquinone; O2-?-Primeveroside
1,2-Diacylglycerol 3-(6-deoxy-6-sulfo-?-D-glucopyranosides); 2-O-Hexadecanoyl-1-O-(9Z,12Z,15Z-octadecatrienoyl)glycerol 3-(6-deoxy-6-sulfo-?-D-glucopyranoside), 9CI-form
1,2-Diacylglycerol 3-(6-deoxy-6-sulfo-?D-glucopyranosides); 2-O-Hexadecanoyl-1-O-(9Z,12Z,15Z-octadecatrienoyl)glycerol 3-(6-deoxy-6-sulfo-?D-glucopyranoside), 9CI-form
1,2-Dihydroxy-16-heptadecen-4-one; 1-Ac
1,2-Di-O-acylglycerols; !Glycerol 1-(5Z,8Z,11Z,14Z,17Z-eicosapentaenoate) 2-(6Z,9Z,12Z,15Zoctadecateraenoate), 3-O-?-D-Galactopyranoside (2R-)
1,2-Di-O-acylglycerols; !Glycerol 1-(9Z,12Z,15Z-octadecatrienoate) 2-hexadecanoate, 3-O-?-D-Galactopyranoside (2S-)
1,2-Di-O-acylglycerols; !Glycerol 1,2-di-(9Z,12Z,15Z-octadecatrienoate), 3-O-?-D-Galactopyranoside (2S-)
1,2-Di-O-acylglycerols; !Glycerol 1,2-di-(9Z,12Z,15Z-octadecatrienoate), 3-O-[?-D-Allopyranosyl-(1?6)-?D-glucopyranoside]
1,2-Di-O-acylglycerols; !Glycerol 1,2-di-(9Z,12Z-octadecadienoate), 3-O-?-D-Galactopyranoside
1,2-Di-O-acylglycerols; !Glycerol 2-(5,8,11,14,17-eicosapentaenoate) 1-(6,9,12,15-octadecatetraenoate), 3-O-[?D-Galactopyranosyl-(1?6)-?D-galactopyranoside]
1,2-Di-O-acylglycerols; !Glycerol 2-(9,12,15-octadecatrienoate) 1-hexadecanoate, 3-O-[?D-Galactopyranosyl-(1?6)-?-D-galactopyranoside]
1,2-Di-O-acylglycerols; !Glycerol 2-(9Z,12Z-octadecadienoate) 1-hexadecanoate, 3-O-[?D-Galactopyranosyl-(1?6)-?-D-galactopyranoside]
1,2-Diphenyl-4-[2-(phenylthio)ethyl]-3,5-pyrazolidinedione, 9CI
1,3,14-Trihydroxycard-20(22)-enolide; (1?,3?,5?,14?)-form, 3-O-[?-D-Glucopyranosyl-(1?2)-?L-rhamnopyranoside]
1,3,14-Trihydroxycard-20(22)-enolide; (1?,3?,5?,14?)-form, 3-O-[?-D-Glucopyranosyl-(1?4)-?L-rhamnopyranoside]
1,3,4,5,6-Pentahydroxy-2-methylanthraquinone; 4,5-Di-Me ether
1,3,4,5,7-Pentahydroxy-2-methylanthraquinone; 4,7-Di-Me ether
1,3,4,6,7-Pentahydroxyxanthone; 1,3,4-Tri-Me, 6,7-methylene ether
1,3,5-Benzenetriol, 9CI; O-(6-O-3,4,5-Trihydroxybenzoyl-?-D-glucopyranoside)
1,3,5-Bisabolatriene-1,7,12,15-tetrol
1,3,6,7-Tetrahydroxyxanthone; 3,7-Di-Me ether, 6-Ac
1,3,6,9,12-Pentadecapentaen-14-yne; (3E,6Z,9Z,12E)-form
1,3,7,11-Cembratetraen-15-ol; (All-E)-form, Me ether, 3?,4?:11?,12?-diepoxide
1,3,7,11-Cembratetraen-16-ol; (1E,3E,7E,11E,15?)-form, Carboxylic acid, Me ester
1,3,8-Trihydroxy-6-methylanthraquinone, 8CI; 3-O-?-D-Apiofuranoside, 1-O-?-D-glucopyranoside
1,3-Dihydroxy-24-methylenecycloartan-28-oic acid; (1?3?)-form, 1-Ac
1,3-Dihydroxy-24-methylenecycloartan-28-oic acid; (1?3?)-form, 1-Ketone
1,3-Dihydroxy-2-hydroxymethylanthraquinone; 3-O-[?-D-Xylopyranosyl-(1?6)-?-D-glucopyranoside]
1,3-Dihydroxyanthraquinone-2-carboxaldehyde; Me ether
1,4,5,7-Tetrahydroxy-2-(1-hydroxypropyl)anthraquinone
1,4-Dihydroxy-11(13)-eudesmen-12,6-olide; (1?,4?OH,6?-form, 11?,13-Dihydro
1,4-Dihydroxy-11(13)-eudesmen-12,6-olide; (1?,4?OH,6?-form, 11?13-Dihydro
1,4-Dihydroxy-11(13)-pseudoguaien-12-oic acid; (1?,4?5?10?-form
1,4-Dihydroxy-12,6-eudesmanolide; (1?,4?6?11?H)-form
1,4-Dihydroxy-12,6-eudesmanolide; (1?4?6?,11?H)-form
1,6,10-Farnesatrien-3-ol; (S)-form, O-[?L-Rhamnopyranosyl-(1?4)-?L-rhamnopyranosyl-(1?2)-?-D-glucopyranoside]
1,6,10-Farnesatrien-3-ol; (S)-form, O-[?L-Rhamnopyranosyl-(1?4)-?L-rhamnopyranosyl-(1?6)-?-D-glucopyranoside]
1,6,9,12,15,18-Heneicosahexaene, 9CI, 8CI; (all-Z)-form, 6,7:12,13:15,16-Triepoxide,18,19-dihydro
1,6,9,12,15,18-Heneicosahexaene, 9CI, 8CI; (all-Z)-form, 6,7:15,16-Diepoxide
1,6,9,12,15,18-Heneicosahexaene, 9CI, 8CI; (all-Z)-form, 9,10:15,16-Diepoxide
1,6-Cyclo-1,10-secoergosta-5,7,9,22-tetraen-3-ol, 9CI; (3?22E)-form
1,7-Nonadecadiene-2,3-dicarboxylic acid; (3?,7Z)-form
10(20)-Grayanotoxene-3,5,6,14,16-pentol; (1?3?,5?,6?,14?,16?-form
10(20)-Leucothene-3,5,6,14,16-pentol; (3?,5?,6?14?,16?-form
10,11,12-Trihydroxy-5,8,14,17-eicosatetraenoic acid
10,12-Octadecadienoic acid; (E,E)-form
10,17-Dihydroxyheptadecanoic acid
10-Hydroperoxy-6-hydroxy-2,11-bisaboladien-1-one
10-Hydroxy-2,8-decadiene-4,6-diynoic acid; (Z,Z)-form, 8,9-Epoxide, Me ester
10-Methyl-6,9-heptadecadienoic acid; (Z,Z)-form
10-Octadecen-8-ynoic acid; (Z)-form
10-Octadecenoic acid; (E)-form
10-Octadecenoic acid; (Z)-form
10-Propyl-5,9-tridecadien-1-ol, 9CI; (E)-form, Ac
11-(4-Acetylphenyl)-17-hydroxy-17-(1-propynyl)estra-4,9-dien-3-one, 9CI
11,14,17,20,23-Nonacosapentaenoic acid; (all-Z)-form
11,15-Dihydroxy-9-oxo-4,13-prostadienoic acid, 9CI
11,15-Dihydroxy-9-oxo-5,13-prostadienoic acid, 9CI
11,15-Dihydroxy-9-oxo-5,13-prostadienoic acid, 9CI; (5Z,8R,11R,12R,13E,15R)-form
11,15-Dihydroxy-9-oxo-5,13-prostadienoic acid, 9CI; (5Z,8R,11R,12R,13E,15S)-form
11,17-Dihydroxy-6-methyl-17-(1-propynyl)androsta-1,4,6-trien-3-one, 9CI
11-Cycloheptylundecanoic acid
11-Hexadecen-1-ol; (E)-form, Ac
11-Hexadecen-1-ol; (Z)-form, Ac
11-Hydroperoxy-6-hydroxy-2,9-bisaboladien-1-one
11-Hydroxy-14-(3,5-dihydroxy-2-methylcyclopentyl)-9-tetradecen-12-ynoic acid
11-Octadecen-9-ynoic acid; (E)-form
11-Octadecenoic acid; (E)-form
11-Octadecenoic acid; (Z)-form
12,13-Epoxy-11-hydroxy-9,15-octadecadienoic acid; (9Z,11R,12S,13S,15Z)-form, 15,16-Dihydro, Me ester
12,15-Epoxy-1,2-dinor-6,10-phytadien-3-one; (6E,10E)-form
12,20-Dihydroxy-3,4-secodammara-4(28),24-dien-3-oic acid; 12?-form, 12-O-?-D-Xylopyranoside, Me ester
12a-Hydroxydolineone; (+)-form, Me ether
12a-Hydroxypachyrrhizone; (+)-form
12-Hydroxycarda-8,14,16,20(22)-tetraenolide; (5?,12?)-form
12-Octadecenoic acid; (E)-form
12-Oleanene-3,16,21,22,24,28-hexol; (3?,16?21?,22?-form, 21-O-(3,4-Diangeloyl-?-D-fucopyranoside)
12-Oleanene-3,16,21,22,24,28-hexol; (3?,16?21?,22?-form, 21-O-(3,4-Diangeloyl-6-deoxy-?-D-glucopyranoside)
12-Oleanene-3,16,21,22,28-pentol; (3?,16?21?,22?-form, 28-Ac, 21-(3,4-di-O-angeloyl-?L-arabinopyranoside)
12-Oleanene-3,16,28-triol; (3?,16?)-form, 3-O-?-D-Galactopyranoside
12-Oleanene-3,16,28-triol; (3?,16?)-form, 3-O-?-D-Glucopyranoside
12-Oleanene-3,22,24-triol; (3?,22?)-form, 22-O-?-D-Glucopyranoside
12-Oleanene-3,22,24-triol; (3?,22?)-form, 24-O-?-D-Glucopyranoside
12-Oleanene-3,22,24-triol; (3?,22?)-form, 3,24-Carbonate (cyclic ester)
13-(2-Cyclopentenyl)tridecanoic acid
13-(2-Cyclopentenyl)tridecanoic acid; (S)-form, 6,7-Didehydro
13-(2-Cyclopentenyl)tridecanoic acid; ?-form, 2',3'-Dihydro
13-(2-Cyclopentenyl)tridecanoic acid; ?-form, 4,5-Didehydro(Z-)
13-(2-Cyclopentenyl)tridecanoic acid; ?-form, 9,10-Didehydro
13,14,15-Trihydroxy-5,8,11,17-eicosatetraenoic acid
13,16-Epoxy-3-clerodene-12,14,15,18-tetrol; (8?H,12R,13R,14S)-form, 18-Aldehyde
13-Docosenoic acid; (Z)-form, Amide
13-Hexadecen-11-yn-1-ol; (Z)-form, Ac
13-Hydroxy-3-cleroden-15-oic acid; (ent-13?)-form, Me ester
13-Hydroxy-9,11-octadecadienoic acid, 9CI; (9E,11E,13R)-form, Lactone
13-Hydroxy-9,11-octadecadienoic acid, 9CI; (9Z,11E,13S)-form, Lactone
13-Hydroxylupanine; O-(3,4-Dimethoxybenzoyl)
13-Methyl-3-oxo-20-ursen-28-oic acid
13-Octadecenoic acid; (Z)-form
13-Phenyltridecanoic acid, 8CI
14-(3,4-Methylenedioxyphenyl)-2-tetradecanol
14-Desmethyllanosterol
14-Hydroxy-1,2-dinor-6,10,15-phytatrien-3-one; (6E,10E,14R)-form
14-Hydroxy-2,6,10-trimethyl-10-pentadecen-4-one
14-Hydroxy-2,6,10-trimethyl-10-pentadecen-4-one; 5,6-Didehydro
14-Methyl-9,19-cyclocholest-24-en-3-ol; (3?,5?9?,14?-form
14-Methyl-9,19-cycloergost-24(28)-en-3-ol; (3?,5?9?,14?-form
14-Methyl-9,19-cycloergost-25-en-3-ol, 9CI; (3?,5?-form
14-Methylcholesta-8,24-dien-3-ol; (3?,5?14?-form
14-Methylene-2,10-phytadiene-1,12,19,20-tetrol; (2E,10E)-form
14-Methylergosta-9(11),24(28)-dien-3,7-diol; (3?5?7?-form
14-Methylergosta-9(11),24(28)-dien-3-ol, 9CI; (3?,5?14?-form
14-Serratene-3,21,30-triol; (3?,21?-form, 30-Aldehyde, 21-ketone, 3-Me ether
15,16-Dinor-8(17)-labdene-3,13-diol; (3?,13?)-form
15,16-Epoxy-3-clerodene-15,18-diol; (ent-13R,15R)-form, 15-Me ether
15,16-Epoxy-3-clerodene-7,15,18-triol; (ent-7?,13?,15?)-form, 15-Me ether
15,20-Dihydroxypregn-4-en-3-one; (15?20R)-form, 20-O-[?-D-Glucopyranosyl-(1?4)-6-O-acetyl-?-D-glucopyranoside]
15-Grayanotoxene-3,5,6,10,14-pentol; (1?3?,5?,6?,10?14?)-form
15-Hydroxy-17-nor-8-labden-7-one; 13?-form, Ac
15-Keto-prostaglandin F2alpha
15-Nor-9,10-seco-5(10),8,11-labdatrien-14-oic acid
15-Octadecenoic acid; (E)-form
16,17,19-Kauranetriol; (ent-16?OH)-form, 19-Aldehyde, 16-Me ether
16,19-Kauranediol; (ent-16?OH)-form, 19-Carboxylic acid, 16-Me ether
16,23:16,24-Diepoxycycloart-7-ene-3,15,25-triol; (3?,15?23R,24S)-form, 3-O-?-D-Galactopyranoside
16,23;24,25-Diepoxy-23-hydroxycycloartan-3-one; (16?,23?OH,24?)-form, Me ether
16-Heptadecene-1,2,4-triol, 9CI; (2S,4S)-form, 1-Ac
16-Heptadecene-1,2,4-triol, 9CI; (2S,4S)-form, 2-Ac
16-Heptadecene-1,2,4-triol, 9CI; (2S,4S)-form, 4-Ac
16-Heptadecyne-1,2,4-triol, 9CI; (2S,4S)-form, 1-Ac
16-Heptadecyne-1,2,4-triol, 9CI; (2S,4S)-form, 2-Ac
16-Heptadecyne-1,2,4-triol, 9CI; (2S,4S)-form, 4-Ac
16-Hydroxy-8-tricosene-4,6,17,19-tetraynoic acid; (8E,16S)-form
16-Hydroxypregn-4-en-3-one, 9CI
16-Hydroxypregn-4-en-3-one, 9CI; 16?form
16-Kauren-19-ol; ent-form, 19-Carboxylic acid, Me ester
16-Methyl-6,9,12-heptadecatrienoic acid
16-Methyl-6,9-heptadecadienoic acid
16-Methyl-6-heptadecenoic acid; (Z)-form
16-Methyl-8-heptadecenoic acid; (Z)-form
16-Methyl-9,12-heptadecadienoic acid
16-Octadecenoic acid; (E)-form
17-(2-Furanyl)-3,7,9-heptadecatrien-6-ol; (3E,6?,7E,9E)-form
17,18,19-Trihydroxy-13-labden-16,15-olide; (ent-8?H)-form
17,20-Epoxy-23-methylergost-5-ene-3,22-diol; (3?,17?,20R,22?,23?,24?)-form
17,20-Epoxy-23-methylergost-5-ene-3,22-diol; (3?,17?,20R,22?,23?,24?)-form, Di-Ac
17beta-Hydroxyandrostan-3-one
17-Hydroperoxy-28-nor-3-friedelanone; 17?form
17-Hydroxy-28-nor-3-friedelanone; 17?-form
17-Hydroxy-28-nor-3-friedelanone; 17?-form, 25-Hydroxy
17-Hydroxy-7,17-dimethylandrost-4-en-3-one, 9CI, 8CI; (7?,17?OH)-form
17-Hydroxyandrost-4-en-3-one; 17?-form, 17-(3-Oxododecanoyl)
17-Hydroxyandrostan-3-one; (5?,17?)-form
17-Octadecen-9-ynoic acid
18-Fluoro-9-octadecenoic acid; (Z)-form, 9,10-Epoxide
18-Hydroxy-15-nor-8(17),12-labdadien-14-al; (12E)-form
18-Hydroxyoctadecanoic acid, 9CI; Lactone
19,28-Epoxy-24-noroleanane; 19?-form
19-Hydroxy-15,16-dinor-8(17)-labden-13-one
19-Hydroxy-30-nor-22-hopanone; 19?form
19-Nor-3,5-clerodadien-15-ol; (ent-13?)-form, 15-Carboxylic acid
19-Nor-8(17),13-labdadien-15-oic acid; (13E)-form
19-Norstigmasta-5,22-dien-3-ol; (3?,22E,24S)-form
1-alpha-D-Galactosyl-myo-inositol
1-De-L-lysine-2-[N2(2,6-diaminohexyl)-L-lysine]neuromedin N (pig spinal cord), 9CI
1-Ethyl-4-(4-fluorophenyl)-3-[4-(methylsulfonyl)phenyl]-5-(trifluoromethyl)-1H-pyrazole, 9CI
1-Hydroxy-2,5,10-nonadecatrien-4-one; (2E,5E,10Z)-form, Ac
1-Hydroxy-2,5,10-nonadecatrien-4-one; (2E,5E,10Z)-form, Aldehyde
1-Hydroxy-2,5,12-nonadecatrien-4-one; (2E,5E,12Z)-form, Ac
1-Hydroxy-2,5,12-nonadecatrien-4-one; (2E,5E,12Z)-form, Aldehyde
1-Hydroxy-2,5,14-nonadecatrien-4-one; (2E,5E,14Z)-form, Ac
1-Hydroxy-2,5,14-nonadecatrien-4-one; (2E,5E,14Z)-form, Aldehyde
1-Hydroxy-2,6,10,14-phytatetraen-19-oic acid; (2E,6E,10E)-form, Me ether
1-Hydroxystigmast-4-en-3-one; (1?,24S)-form
1-Isopropyl-4,6-dimethylnaphthalene
1-O-?D-Glucopyranosyl-D-fructose, 9CI
1-Phenyl-1,3-pentadecanedione
2-(1,3-Benzodioxol-5-yl)-5,6-dimethoxy-4H-furo[2,3-h]-1-benzopyran-4-one, 9CI
2-(3,4-Dihydroxyphenyl)-5-hydroxy-4H-furo[2,3-h]-1-benzopyran-4-one, 9CI; 5-Me, 3',4'-methylene ether
2-(3,4-Dihydroxyphenyl)ethanol; 3'-Me ether, 1-O-octacosanoyl
2-(7-Hexadecenyl)-3-methyl-2-butenedioic acid, 9CI
2-(9-Decenyl)-2-pentenedioic acid, 9CI
2,2',3,3'-Tetrahydroxy-?,?-carotene-4,4'-dione; 4'-Deoxo, 2'-deoxy
2,2,7,7-Tetramethyl-1,6-dioxaspiro[4.4]nona-3,8-diene
2,3,19-Trihydroxy-12-ursen-28-oic acid; (2?3?,19?-form, 2-Ketone, ?-D-glucopyranosyl ester
2,3,19-Trihydroxy-12-ursen-28-oic acid; (2?3?19?-form, 2,3-O-Isopropylidene
2,3,23-Trihydroxy-11,13(18)-oleanadien-28-oic acid; (2?,3?)-form, 3-O-?-D-Glucopyranoside
2,3,23-Trihydroxy-12,18-ursadien-28-oic acid; (2?3?)-form, ?-D-Glucopyranosyl ester
2,3,23-Trihydroxy-12,19-ursadien-28-oic acid; (2?3?)-form, ?-D-Glucopyranosyl ester
2',3,4',5,7-Pentahydroxyflavone; 2',4'-Di-Me ether
2,3',4',5,7-Pentahydroxyisoflavone; 3',5-Di-Me ether
2,3',4'-Trihydroxyacetophenone, 8CI; 2-O-(3,4-Dihydroxy-E-cinnamoyl)
2',3,5,5',7-Pentahydroxyflavone; 5',7-Di-Me ether
2',3',5,6,7-Pentahydroxyisoflavone; 2',5-Di-Me ether
2',3',5,6,7-Pentahydroxyisoflavone; 2',7-Di-Me ether
2,3,5,7,8,9,15-Heptahydroxy-6(17),11-jatrophadien-14-one; (2?3?,5?7?,8?9?11E,15?)-form, 5-(2-Methylbutanoyl), 2-(2-methylpropanoyl), 7,8,9-tri-Ac
2,3,5,7,8,9,15-Heptahydroxy-6(17),11-jatrophadien-14-one; (2?3?,5?7?,8?9?11E,15?)-form, 5-(2-Methylbutanoyl), 7-(2-methylpropanoyl), 2,8,9-tri-Ac
2',3',5,7,8-Pentahydroxyisoflavone; 2',7-Di-Me ether
2,3,6a,8,9-Pentahydroxypterocarpan; 2-Me, 8,9-methylene ether
2,3,6a,8,9-Pentahydroxypterocarpan; 3-Me, 8,9-methylene ether
2,3-Dihydro-3,5-dihydroxy-2-methylnaphthoquinone
2,3-Dihydro-5,7-dihydroxy-2-(4,7,10,13,16-nonadecapentaenylidene)-4H-1-benzopyran-4-one; (2E,4'Z,7'Z,10'Z,13'Z,16'Z)-form
2,3-Dihydroxy-?,?-caroten-4-one; (2R*,3S*)-form
2,3-Dihydroxy-?,?-caroten-4-one; (2R,3R)-form
2,3-Dihydroxy-23-oxo-12-oleanen-28-oic acid; (2?3?)-form, 3-O-?-D-Glucopyranoside
2,3-Dihydroxy-4(18)-cleroden-15-oic acid; (ent-2?,3?13?)-form, Me ester
2,3-Dihydroxypregnan-16-one; (2?3?,5?-form
2',4',5,5',6-Pentahydroxyflavone; 2',6-Di-Me ether
2',4',5,5',7-Pentahydroxyflavone; 4',5'-Di-Me ether
2',4',5,5',7-Pentahydroxyflavone; 5,7-Di-Me ether
2',4',5,5',7-Pentahydroxyisoflavanone; (?)-form, 4',5'-Methylene, 2'-Me ether
2',4',5,5',7-Pentahydroxyisoflavone; 4',5'-Di-Me ether
2',4',5',7-Tetrahydroxyisoflavene; 2'-Me, 4',5'-methylene ether, 7-O-(6-O-malonyl-?-D-glucopyranoside)
2,4,6-Decatrienoic acid; (2E,4E,6Z)-form, Me ester
2,4,6-Decatrienoic acid; (2E,4Z,6Z)-form, Me ester
2,4-Dihydroxy-11(13)-eudesmen-12-oic acid; (2?,4?-form
2,4-Dihydroxy-11(13)-eudesmen-12-oic acid; (2?4?-form
2,4-Dihydroxy-12,8-pseudoguaianolide; (1?2?4?,5?,8?,10?11?H)-form
2',5,5',6,7-Pentahydroxyisoflavone; 5',6-Di-Me ether
2',5,5',7,8-Pentahydroxyflavone; 7,8-Di-Me ether
2',5,6',7,8-Pentahydroxyflavone; 2',8-Di-Me ether
2',5,6,7,8-Pentahydroxyflavone; 6,8-Di-Me ether
2',5,6,7,8-Pentahydroxyflavone; 7,8-Di-Me ether
2',5,6',7,8-Pentahydroxyflavone; 7,8-Di-Me ether
2,6,10,14-Phytatetraene-1,18,19-triol; (2E,6E,10E)-form, 6,7-Dihydro, 18,19-dicarboxylic acid
2,6,10,15,19,23-Hexamethyl-2,6,10,12,14,18,22-tetracosaheptaene; 10,11,12,13-Tetrahydro, 10,11-dihydroxy, 14,15-epoxide, 11-O-?-D-mannopyranoside
2,6,10-Farnesatrien-1-oic acid; 2-Acetoxy-3-hydroxypropyl ester
2,6,10-Farnesatrien-1-oic acid; 3-Acetoxy-2-hydroxypropyl ester
2,6,7-Trihydroxy-5H-phenanthro[4,5-bcd]pyran-5-one; 6-Me ether
2,6,7-Trihydroxy-5H-phenanthro[4,5-bcd]pyran-5-one; 7-Me ether
2',6,7-Trihydroxyisoflavone; 6,7-Methylene ether
2,6-Diamino-3a,4,9,10-tetrahydro-10-hydroxy-1H,8H-pyrrolo[1,2-c]purine-4-methanol, 9CI; 9?-Hydroxy, 11-Ac, 9-sulfate
2,7,19-Trihydroxy-14,15-dinor-8(17)-labden-13-one; (2?7?-form, 19-Ac
2,8,10-Pentadecatriene-4,6-diyne, 8CI; (all-E)-form
2,9,12-Octadecatrienoic acid; (2E,9Z,12Z)-form
2-[2-(2,4-Dihydroxy-6-methylbenzoyl)-3-hydroxybenzyl]-6-hydroxy-4H-1-pyran-4-one; 5'-Hydroxy
20,24-Epoxy-6,25-dihydroxycycloartane-3,16-dione; (6?20R,24S)-form, 6-O-?-D-Glucopyranoside
20,24-Epoxydammarane-3,6,12,25-tetrol; (3?,6?12?,20S,24S)-form, 6-O-[?-D-Xylopyranosyl-(1?2)-6-O-acetyl-?-D-glucopyranoside]
20,24-Epoxydammarane-3,6,12,25-tetrol; (3?,6?12?,20S,24S)-form, 6-O-[?L-Rhamnopyranosyl-(1?2)-6-O-acetyl-?-D-glucopyranoside]
20alpha-Hydroxy-4-pregnen-3-one
20-Hydroxy-30-norursan-3-one; 20?form
20-Hydroxypregn-4-en-3-one; (20R)-form
20-Hydroxypregn-4-en-3-one; (20S)-form
20-Lycopenal; (13Z)-form
21,22-Epoxy-3-hydroxy-12-oleanen-28-oic acid; (3?,21?,22?)-form, Me ester
21,24-Epoxy-2-hydroxy-24-methyllanosta-1,9(11)-dien-3-one; (20?,24?)-form
21-Hydroxy-13-serratene-3,15-dione; 21?form, Me ether
21-Hydroxy-29-nor-22-hopanone; 21?-form
22,29,30-Trinor-21-hopanol; 21?-form, Ac
22,29-Epoxy-30-norhopan-13-ol; (13?,22?)-form
22-Hydroxy-30-nor-21-gammaceranone; 22?-form
22-Methylcholesta-5,23-dien-3-ol; (3?,22?)-form
22-Methylenecholest-5-en-3-ol
22-Methylenecholest-5-en-3-ol; 3?-form
23,24-Methylenecholesterol; (23R,24R)-form
23,25-Cyclostigmast-5-en-3-ol; (3?,23S,24S)-form
23-Demethylgorgosterol
23-Ethyl-24,26-cyclocholest-5-en-3-ol; (3?,23R,24S,25S)-form
23-Ethylcholesta-11,23-dien-3-ol; (3?,5?23E)-form
23-Methyl-24,26-cyclocholest-5-en-3-ol; (3?,23R,24R,25S)-form
23-Methyl-27-norergosta-5,25-dien-3-ol
23-Methyl-27-norergosta-5,25-dien-3-ol; (3?,23R,24S)-form
23-Methylcholesta-5,22-dien-3-ol; (3?,22?)-form
23-Methylergost-16-ene-3,5,6,20-tetrol; (3?,5?6?,20R,23?,24?)-form
23-Methylergost-22-en-3-ol; (3?,5?22E,24R)-form, 7,8-Didehydro
23-Methylergosta-5,17(20)-dien-3-ol, 9CI; (3?,17(20E),23R,24R)-form
23-Methylergosta-5,17(20)-diene-3,22,25-triol; (3?,17(21)E,22S,23S,24S)-form
23-Methylergosta-5,17(20)-diene-3,22,25-triol; (3?,17(21)E,22S,23S,24S)-form, 22-Deoxy, 28-hydroxy
23-Methylergosta-5,22-dien-3-ol; (3?,22E,24?)-form
23-Methylergosta-5,22-diene-3,7-diol; (3?,7?24R)-form
23-Methylergosta-7,22-diene-3,5,6-triol; (3?,5?6?,22E,24R)-form
23-Norgorgost-5-ene-1,3,11-triol; (1?3?,11?-form
23-Norgorgost-7-ene-3,5,6-triol; (3?,5?6?,22R,23R,24R)-form
23-Oxoisotingenone
24,25-Epoxy-29-norcycloartan-3-ol
24,25-Epoxy-29-norcycloartan-3-ol; 3?-form
24,26-Dimethylcholest-5-en-3-ol; (3?,24S,25S)-form, 25,26-Didehydro
24,26-Dimethylcholesta-5,25-dien-3-ol; (3?,24S,25E)-form
24,26-Dimethylcholesta-5,25-dien-3-ol; (3?,24S,25Z)-form
24-Hydroperoxystigmasta-5,28-dien-3-ol; (3?,24?)-form
24-Methylcholesta-5,22-dien-3-ol; (3?,22E,24R)-form
24-Methylcholesta-5,22-dien-3-ol; (3?,22E,24R)-form, 3-Ketone
24-Methylcholesta-5,22-dien-3-ol; (3?,22E,24S)-form
24-Methylene-28,29-dinorcycloartane-3,4,6-triol; (3?,4?6?-form
24-Methylergosta-5,25-dien-3-ol; 3?-form
24-Nor-5-oleanen-3-ol; (3?,4?)-form
25-Methyl-24-methylenecholest-5-en-3-ol; 3?-form
25-Methylergosta-7,24(28)-dien-3-ol, 9CI; (3?,5?-form
25-Nor-9(11)-friedelen-3-ol; 3?form
26,27-Cyclo-24,26-dimethylcholest-5-ene-3,7-diol; (3?,7?24R,25R,26R)-form
26,27-Dimethyl-9,10-secocholesta-5,7,10(19)-triene-3,25-diol
26-Methylergosta-5,24(28)-dien-3-ol
26-Methylergosta-5,24(28)-dien-3-ol; (3?,25S)-form
26-Methylergosta-5,26-dien-3-ol
26-Methylergosta-5,26-dien-3-ol; (3?,24R)-form
26-Nor-14-friedelen-3-ol; 3?-form
27-Norergosta-5,22-dien-3-ol; (3?,22E,24S)-form, Me ether
27-Norstigmasta-5,22,25-trien-3-ol; (3?,22E,24?)-form
28-Nor-12,17-lupadiene-3,16-diol; (3?,16?-form, 3-Ac
28-Nor-12,20(30)-ursadiene-3,17-diol; (3?,18?-form, 3-Ac
28-Nor-12-oleanen-3-ol; 3?-form
28-Nor-12-oleanene-3,17-diol; (3?,17?)-form
28-Nor-12-ursen-3-ol; 3?-form
28-Nor-20(29)-lupene-3,17-diol; (3?,17?)-form
29-Norcycloart-23-ene-3,25-diol
29-Norcycloart-23-ene-3,25-diol; (3?,23E)-form
29-Norcycloart-24-en-3-ol; 3?-form
29-Norcycloart-24-en-3-ol; 3?-form, 24,25-Epoxide
29-Norcycloarta-3,24-dien-23-one
29-Norcycloarta-3,24-dien-23-one; Tetrahydro
29-Norcycloartan-3-ol; 3?-form, 24,25-Didehydro
29-Norcycloartan-3-ol; 3?-form, Ketone
29-Norlanosta-8,23-diene-3,25-diol; (3?,23E)-form, 25-Hydroperoxide
29-Norlanosta-8,24-diene-1,2,3-triol; (1?2?3?)-form
29-Norlanosta-8,25-diene-3,24-diol; (3?,24?)-form, 24-Hydroperoxide
29-Norlanosterol
2-Acetyl-1,3,6,8-tetrahydroxyanthraquinone; 1'R-Alcohol, 1'-Me ether
2-Amino-1,3,4-octadecanetriol, 8CI; (2S,3S,4R)-form
2-Amino-3-azidopropanoic acid; (S)-form
2-Amino-3-pyridinethiol, 9CI
2-Amino-6-(1,2,3,4-tetrahydroxybutyl)-4(1H)-pteridinone, 9CI; (1'S,2'S,3'R)-form
2-Amino-6-octadecene-1,3,4-triol; (2S,3S,4R,6E)-form, N-(2R-Hydroxytetracosanoyl)
2-Amino-8-octadecene-1,3,4-triol, 9CI; (2S,3S,4R,8E)-form
2-Amino-8-octadecene-1,3,4-triol, 9CI; (2S,3S,4R,8Z)-form, N-(2R-Hydroxytetracosanoyl), 1-O-?-D-glucopyranoside
2-Aminoethanol, 9CI; N-(9Z,12Z-Octadecadienoyl)
2-C-(Hydroxymethyl)ribonic acid, 9CI; D-form
2-Cyclohexyl-5,9-dimethyl-4,8-decadienoic acid
2-Dehydro-3-deoxy-D-glucarate
2-Demethylvitamin K2(30)
2'-Deoxyribofuranosylguanine; ?-D-form
2-Docosyl-3,6-dihydroxy-5-methyl-1,4-benzoquinone
2-Hydroxy-14,15-dinor-7-labden-13-one; 2?form
2-Hydroxy-3-cleroden-15-oic acid; (ent-2?,5?,10?13?)-form, Me ether
2-Hydroxy-3-cleroden-15-oic acid; (ent-2?5?,10?13?)-form, Me ether
2-Hydroxy-4-(trifluoromethyl)benzoic acid, 9CI; Ac
2-Hydroxy-6-pentadecyl-1,4-benzoquinone
2-Hydroxy-7-isopropyl-4-methyl-10-oxo-5-undecen-4-olide; (2R,4S,5E,7S)-form
2-Hydroxybenzoic acid, 9CI; O-?-D-Glucopyranoside
2-Isopropyl-4,8-dimethylazulene
2-Isopropyl-5-methyl-1,4-benzenediol; 2-Me ether
2-Isopropyl-5-methyl-1,4-benzenediol; 5-Me ether
2-Methyl-3-tetradecyl-2-butenedioic acid, 9CI
2-O-?-D-Galactofuranosyl-D-galactose, 9CI
2-O-?-D-Galactofuranosyl-D-mannose, 9CI
2-O-?-D-Glucopyranosyl-D-galactose, 9CI
2-O-?-D-Glucopyranosyl-D-glucose, 9CI
2-O-?-D-Mannopyranosyl-D-mannose, 8CI
2-O-?D-Galactopyranosyl-D-galactose, 9CI
2-O-?D-Galactopyranosyl-D-mannose, 9CI, 8CI
2-O-?D-Glucopyranosyl-D-galactose, 9CI, 8CI
2-O-?D-Glucopyranosyl-D-glucose, 9CI, 8CI
2-O-?D-Glucopyranosyl-D-mannose, 8CI
2-O-?D-Mannopyranosyl-D-mannose, 9CI, 8CI
2-O-?D-Mannopyranosyl-L-gulose, 9CI
2-O-?D-Mannopyranosyl-myo-inositol
3-(15-Hexadecynylidene)dihydro-4-hydroxy-5-methyl-2(3H)-furanone; (3E,4R,5S)-form
3-(15-Hexadecynylidene)dihydro-4-hydroxy-5-methyl-2(3H)-furanone; (3E,4R,5S)-form, 15',15',16',16'-Tetrahydro
3-(15-Hexadecynylidene)dihydro-4-hydroxy-5-methyl-2(3H)-furanone; (3E,4R,5S)-form, 15',16'-Dihydro
3-(15-Hexadecynylidene)dihydro-4-hydroxy-5-methyl-2(3H)-furanone; (3E,4S,5S)-form
3-(15-Hexadecynylidene)dihydro-4-hydroxy-5-methyl-2(3H)-furanone; (3E,4S,5S)-form, 15',15',16',16'-Tetrahydro
3-(15-Hexadecynylidene)dihydro-4-hydroxy-5-methyl-2(3H)-furanone; (3E,4S,5S)-form, 15',16'-Dihydro
3-(15-Hexadecynylidene)dihydro-4-hydroxy-5-methyl-2(3H)-furanone; (3Z,4R,5S)-form
3-(15-Hexadecynylidene)dihydro-4-hydroxy-5-methyl-2(3H)-furanone; (3Z,4R,5S)-form, 15',15',16',16'-Tetrahydro
3-(15-Hexadecynylidene)dihydro-4-hydroxy-5-methyl-2(3H)-furanone; (3Z,4R,5S)-form, 15',16'-Dihydro
3-(15-Hexadecynylidene)dihydro-4-hydroxy-5-methyl-2(3H)-furanone; (3Z,4S,5S)-form
3-(15-Hexadecynylidene)dihydro-4-hydroxy-5-methyl-2(3H)-furanone; (3Z,4S,5S)-form, 15',16'-Dihydro
3-(15-Hexadecynylidene)dihydro-4-hydroxy-5-methyl-2(3H)-furanone; (3Z,4S,5S)-form, 15',16'-Tetrahydro
3-(15-Hydroxyhexadecyl)-4-methyl-2,5-furandione; (S)-form
3-(2-Methoxy-4,5-methylenedioxyphenyl)propenal
3-(3,4,5-Trihydroxyphenyl)-2-propen-1-ol; (E)-form, Aldehyde, 3'-Me, 4',5'-methylene ether
3-(3,4,5-Trihydroxyphenyl)-2-propenal, 9CI; (E)-form, 3,4-Methylene, 5-Me ether
3-(3,4-Difluorophenoxy)-5-methyl-4-[4-(methylsulfonyl)phenyl]-5-(2,2,2-trifluoroethyl)-2(5H)-furanone, 9CI
3-(3,4-Dihydroxybenzylidene)-5,6,7-trihydroxy-4-chromanone; (Z)-form, 6-Me ether
3-(3,4-Dihydroxybenzylidene)-5,7,8-trihydroxy-4-chromanone; (Z)-form, 7-Me ether
3-(3,4-Dihydroxybenzylidene)-5,7,8-trihydroxy-4-chromanone; (Z)-form, 8-Me ether
3-(3,4-Dihydroxyphenyl)-1-propanol; 1-O-Eicosanoyl
3-(3,4-Dihydroxyphenyl)-2-propenoic acid, 9CI; (E)-form, Triacontyl ester
3-(3,4-Dihydroxyphenyl)-2-propenoic acid, 9CI; (E)-form, Vinyl ester
3-(4-Hydroxy-3-methoxyphenyl)-2-propenoic acid, 9CI; (E)-form, Heptacosyl ester
3-(4-Hydroxyphenyl)-2-propenoic acid, 9CI; (E)-form, Eicosyl ester
3-(4-Hydroxyphenyl)-2-propenoic acid, 9CI; (Z)-form, Eicosyl ester
3-(7-Hexadecenyl)-3,4-dihydro-4-hydroxy-5-methyl-2(5H)-furanone; (3R,4S,5S,7'Z)-form
3-(7-Hexadecenyl)-4-hydroxy-5-methylene-2(5H)-furanone; (Z)-form
3-(7-Hexadecenyl)-4-methyl-2,5-furandione, 9CI; (Z)-form
3,11,12-Trihydroxy-1(10)-spirovetiven-2-one
3,11,14,19-Tetrahydroxycard-20(22)-enolide; (3?,5?,11?-form, 3-O-[?-D-Glucopyranosyl-(1?4)-2,6-dideoxy-?-D-ribo-hexopyranoside]
3,11,14-Trihydroxycard-20(22)-enolide; (3?,5?,11?14?)-form, 3-O-[?-D-Glucopyranosyl-(1?4)-6-deoxy-?-D-gulopyranoside]
3,11,14-Trihydroxycard-20(22)-enolide; (3?,5?,11?14?)-form, 3-O-[?-D-Glucopyranosyl-(1?4)-?L-rhamnopyranoside]
3,11,14-Trihydroxycard-20(22)-enolide; (3?,5?,11?14?)-form, 3-O-[?L-Allopyranosyl-(1?4)-6-deoxy-?-D-gulopyranoside]
3,11-Dihydroxy-1,6,9-farnesatrien-8-one; 11-Hydroperoxide
3,11-Dihydroxy-7-drimen-6-one; (3?,5?9?,10?)-form, 7?,8?-Epoxy
3,11-Dihydroxy-8(12)-drimen-13-oic acid; 3?-form
3,11-Dihydroxystigmast-7-en-6-one
3,13(16),14-Clerodatrien-18-oic acid; (ent-5?-form, Me ester
3,13-Clerodadiene-15,18-diol; (ent-13E)-form, 15-Carboxylic acid, Me ester
3,14,16-Trihydroxycard-20(22)-enolide; (3?,5?,14?,16?)-form, 3-O-[?-D-Glucopyranosyl-(1?4)-?L-rhamnopyranoside]
3,14,16-Trihydroxycard-20(22)-enolide; (3?,5?,14?,16?)-form, Glycoside
3,14,19-Trihydroxycard-20(22)-enolide; (3?,5?,14?)-form, 3-O-[?-D-Glucopyranosyl-(1?4)-6-deoxy-?-D-glucopyranoside]
3,14,19-Trihydroxycard-20(22)-enolide; (3?,5?,14?)-form, 3-O-[?-D-Glucopyranosyl-(1?4)-?L-rhamnopyranoside]
3,14,19-Trihydroxycard-20(22)-enolide; (3?,5?14?)-form, 3-O-[?-D-Glucopyranosyl-(1?4)-6-deoxy-?-D-allopyranoside]
3,14-Clerodadiene-6,13-diol; (ent-6?,13R)-form, 6-O-[6-O-Acetyl-?-D-glucopyranosyl-(1?4)-?L-rhamnopyranoside], 13-[?L-rhamnopyranosyl-(1?4)-?-D-fucopyranoside]
3,14-Dihydroxy-7-drimen-12,11-olide; (ent-3?)-form, 7,8?-Dihydro
3,14-Dihydroxycard-20(22)-enolide; (3?,5?14?,17?)-form, 3-O-[?-D-Glucopyranosyl-(1?2)-?-D-glucopyranoside]
3,14-Dihydroxycard-20(22)-enolide; (3?,5?14?,17?)-form, 3-O-[?-D-Glucopyranosyl-(1?4)-?-D-glucopyranoside]
3,14-Dihydroxycard-20(22)-enolide; (3?,5?14?,17?-form, 3-O-[?-D-Glucopyranosyl-(1?2)-?-D-glucopyranoside]
3,14-Dihydroxycard-20(22)-enolide; (3?5?14?17?)-form, 3-O-[?-D-Glucopyranosyl-(1?6)-?-D-glucopyranoside]
3,14-Dihydroxycarda-4,20(22)-dienolide; (3?,14?)-form, 3-O-[?-D-Glucopyranosyl-(1?4)-6-deoxy-?-D-allopyranoside]
3,15,16-Trihydroxy-7-isopimaren-18-oic acid; (3?,15?)-form
3,15-Dihydroxy-24-methylenelanost-8-en-21-oic acid; (3?,15?-form, 15-Ac
3,15-Dihydroxy-24-methylenelanosta-7,9(11)-dien-21-oic acid; (3?,15?-form
3,15-Dihydroxypregnan-20-one, 9CI; (3?5?,15?)-form
3,15-Dihydroxypregnan-20-one, 9CI; (3?5?15?)-form
3,16,20-Taraxastanetriol; (3?,16?,20?)-form, 3-O-?-D-Glucopyranoside
3,16-Dihydroxy-24-methylenelanost-8-en-21-oic acid; (3?,16?-form, 3-Ac
3,16-Dihydroxy-24-methylenelanosta-7,9(11)-dien-21-oic acid; (3?,16?-form
3,16-Dihydroxy-24-methylenelanosta-7,9(11)-dien-21-oic acid; (3?16?-form
3,16-Dihydroxy-24-methyllanosta-8,25-dien-21-oic acid; (3?16?24?)-form, 3-Ac
3,16-Dihydroxypregnan-20-one, 9CI; (3?,5?16?)-form
3,16-Dihydroxypregnan-20-one, 9CI; (3?,5?16?-form
3,16-Dihydroxypregnan-20-one, 9CI; (3?5?,16?-form
3,16-Dihydroxypregnan-20-one, 9CI; (3?5?16?-form
3,17-Dihydroxypregnan-20-one; (3?,5?17?-form
3,20,28-Taraxastanetriol; (3?,20?)-form, 3-O-?-D-Glucopyranoside
3,20-Dihydroxypregnan-11-one; (3?5?,20S)-form
3,21-Dihydroxypregnan-20-one; (3?5?)-form
3,22,23-Trihydroxystigmastan-6-one; (3?,22R,23R,24S)-form
3,22,23-Trihydroxystigmastan-6-one; (3?22R,23R,24S)-form
3,22-Dihydroxy-12-oleanen-28-oic acid; (3?,22?-form, 3-O-?-D-Glucuronopyranoside
3,22-Dihydroxy-12-oleanen-29-oic acid; (3?,22?-form, 3-Ketone, Me ester
3,22-Dihydroxy-12-ursen-30-oic acid; (3?,22?-form, 3-Ketone, Me ester
3,23-Dihydroxy-12-oleanene-28,30-dioic acid; 3?-form, 3-O-?-D-Xylopyranoside, 30-Me ester
3,23-Dihydroxy-4,4,17-trimethylcholesta-8,14,24-trien-26-oic acid; (3?23?,24E)-form, Me ester
3,24-Dihydroxy-11,13(18)-oleanadien-30-oic acid; 3?-form, Me ester
3,27-Dihydroxy-20(29)-lupen-28-oic acid; 3?form, 3-Ac, Me ester
3,28-Dihydroxy-12,20-ursadien-23-oic acid; 3?-form, Me ester
3,3',4,4',5',7-Hexahydroxy-2,7'-cycloligna-7,7'-dien-9',9-olide; 3',4-Di-Me ether
3,3',4,4',7-Pentahydroxy-2,7'-cycloligna-7,7'-dien-9',9-olide; 3',4'-Methylene, 3,7-di-Me ether
3,3',4,4',7-Pentahydroxy-2,7'-cycloligna-7,7'-dien-9',9-olide; 3',4'-Methylene, 7-Me ether
3,3',4',5,5',7-Hexahydroxyflavylium(1+); 3',5-Di-Me ether
3,3',4',5,6,7-Hexahydroxyflavone; 7-O-[2-Methylbutanoyl-(?6)-?-D-glucopyranoside]
3,3',4',5,6,7-Hexahydroxyflavone; 7-O-[3-Methylbutanoyl-(?6)-?-D-glucopyranoside]
3,3',4',5,7-Pentahydroxy-5'-methoxyflavylium(1+); 3-O-[4-Hydroxycinnamoyl-(?6)-?L-rhamnopyranosyl-(??)-?-D-glucopyranoside]
3,3',4',5,7-Pentahydroxy-6,8-dimethylflavone
3,3',4',5,7-Pentahydroxy-6-methoxyflavone; 7-O-[2-Methylpropanoyl-(?6)-?-D-glucopyranoside]
3,3',4',5,7-Pentahydroxy-6-methylflavone; 3-Me ether
3,3',4',5,7-Pentahydroxy-8-methylflavone; 3-Me ether
3,3',4',5',7-Pentahydroxyflavone; 3',5'-Di-Me ether
3,3',4',5,7-Pentahydroxyflavone; 3',5-Di-Me ether
3,3',4',5,7-Pentahydroxyflavone; 3,7-Di-Me ether
3,3',4',5,7-Pentahydroxyflavone; 4',5-Di-Me ether
3,3',4',5,7-Pentahydroxyflavylium(1+); 3-O-[?-D-Xylopyranosyl-(1?2)-?L-rhamnopyranoside]
3,3',4',7,8-Pentahydroxyflavone; 3,3'-Di-Me ether
3,3',4',7,8-Pentahydroxyflavone; 3,8-Di-Me ether
3,3',4',7-Tetrahydroxyflavanone; (2R,3R)-form, 3-Ac
3,3',4'-Trihydroxy-?,?-caroten-4-one; (3S,3'S,4'R)-form
3,3',5,5',7-Pentahydroxyflavone; 3',5'-Di-Me ether
3,3',5-Trihydroxy-4',7-dimethoxyflavone
3,3-Dimethyl-1,2-dithiolane, 9CI
3,4,11-Trihydroxy-6-eudesmen-8-one; (3?,4?-form
3,4,11-Trihydroxy-6-eudesmen-8-one; (3?4?)-form
3,4,11-Trihydroxy-6-eudesmen-8-one; (3?4?-form
3,4,11-Trihydroxy-7,15(17)-cembradien-16,12-olide; (1R,3R,4S,7E,11S,12R)-form
3',4,4',5,7-Pentahydroxy-2,7'-cycloligna-7,7'-dien-9,9'-olide; 3',4'-Methylene, 5-Me ether
3',4,4',5,7-Pentahydroxy-2,7'-cycloligna-7,7'-dien-9,9'-olide; 4,5-Methylene, 3',4'-di-Me ether
3',4,4',5,7-Pentahydroxy-2,7'-cycloligna-7,7'-dien-9,9'-olide; 4,5-Methylene, 3',7-di-Me ether
3',4',5,5',7-Pentahydroxyflavone; 3',4'-Di-Me ether
3',4',5,5',7-Pentahydroxyflavone; 3',5-Di-Me ether
3',4',5,5',7-Pentahydroxyisoflavone; 3',5'-Di-Me ether
3',4',5',6,7-Pentahydroxyflavone; 3',5'-Di-Me ether
3,4',5,6,7-Pentahydroxyflavone; 3,6-Di-Me ether
3,4',5,6,7-Pentahydroxyflavone; 3,7-Di-Me ether
3',4',5,6,7-Pentahydroxyflavone; 3',7-Di-Me ether
3',4',5,6,7-Pentahydroxyflavone; 4',7-Di-Me ether
3,4',5,6,7-Pentahydroxyflavone; 5,6-Di-Me ether
3',4',5,6,7-Pentahydroxyflavone; 5,6-Di-Me ether
3',4',5,6,7-Pentahydroxyflavone; 6,7-Di-Me ether
3',4',5,6,7-Pentahydroxyisoflavone; 3',6-Di-Me ether
3',4',5,6,7-Pentahydroxyisoflavone; 3',7-Di-Me ether
3',4',5,6,7-Pentahydroxyisoflavone; 4',6-Di-Me ether
3',4',5,6,7-Pentahydroxyisoflavone; 6,7-Di-Me ether
3,4',5,7,8-Pentahydroxyflavone; 3,4'-Di-Me ether
3,4',5,7,8-Pentahydroxyflavone; 3,7-Di-Me ether
3',4',5,7,8-Pentahydroxyflavone; 3',8-Di-Me ether
3,4',5,7,8-Pentahydroxyflavone; 4',7-Di-Me ether
3',4',5,7,8-Pentahydroxyflavone; 4',8-Di-Me ether
3,4',5,7,8-Pentahydroxyflavone; 7,8-Di-Me ether
3',4',5,7,8-Pentahydroxyisoflavone; 3',8-Di-Me ether
3',4',5,7,8-Pentahydroxyisoflavone; 4',8-Di-Me ether
3',4',5,7-Tetrahydroxy 6-xylopyranosylflavone; ?-D-form, 2''-O-?L-Rhamnopyranosyl
3,4',5,7-Tetrahydroxy-3',5'-dimethoxyflavylium(1+)
3,4',5,7-Tetrahydroxy-3',5'-dimethoxyflavylium(1+); 3-O-[4-Hydroxycinnamoyl-(??)-D-xyloside], 5-O-?-D-glucopyranoside
3,4',5,7-Tetrahydroxy-3'-methoxyflavone; 3-O-[4-Hydroxycinnamoyl-(?4)-?L-rhamnopyranosyl-(1?6)-?-D-galactopyranoside]
3,4',5,7-Tetrahydroxy-3'-methoxyflavylium(1+); 3-O-[4-Hydroxycinnamoyl-(??)-[?-D-glucopyranosyl-(1?6)-?-D-glucopyranoside]]
3,4',5,7-Tetrahydroxy-3'-methoxyflavylium(1+); 3-O-[4-Hydroxycinnamoyl-(?6)-?-D-glucopyranoside], 5-O-?-D-glucopyranoside
3',4',5,7-Tetrahydroxyflavan(4?8)-3',4',5,7-tetrahydroxyflavanone; 5-O-?-D-Glucopyranoside
3',4',5,7-Tetrahydroxyflavan; (S)-form, 5-O-(2-O-p-Hydroxybenzoylxylopyranoside)
3,4',5,7-Tetrahydroxyflavanone; (2R*,3S*)-form, 3-Ac
3,4',5,7-Tetrahydroxyflavanone; (2R,3R)-form, 3-Ac
3,4',5,7-Tetrahydroxyflavone; 3-O-?-L-Arabinofuranoside, 7-O-?-L-rhamnofuranoside
3,4',5,7-Tetrahydroxyflavone; 3-O-[?-D-Xylopyranosyl-(1?2)-?L-rhamnopyranoside]
3,4',5,7-Tetrahydroxyflavone; 3-O-[?L-Rhamnopyranosyl-(1??)-xyloside]
3,4',5,7-Tetrahydroxyflavone; 3-O-[?L-Rhamnopyranosyl-(1?2)-?L-arabinofuranoside]
3,4',5,7-Tetrahydroxyflavone; 3-O-[?L-Rhamnopyranosyl-(1?4)-?-D-xylopyranoside]
3,4',5,7-Tetrahydroxyflavone; 3-O-?L-Arabinofuranoside, 7-O-?L-rhamnofuranoside
3,4',5,7-Tetrahydroxyflavone; 3-O-?L-Rhamnopyranoside, 4'-O-?-D-xylopyranoside
3,4',5,7-Tetrahydroxyflavone; 3-O-?L-Rhamnopyranoside, 7-O-?-D-xylopyranoside
3,4',5,7-Tetrahydroxyflavylium(1+), 8CI; 3-O-[?-D-Xylopyranosyl-(1?2)-?-D-galactopyranoside]
3,4',5,7-Tetrahydroxyflavylium(1+), 8CI; 3-O-[?-D-Xylopyranosyl-(1?2)-?D-glucopyranoside]
3,4',5,7-Tetrahydroxyflavylium(1+), 8CI; 3-O-[4-Hydroxy-3-methoxy-E-cinnamoyl-(?6)-?-D-glucopyranoside], 5-O-?-D-glucopyranoside
3,4',5,7-Tetrahydroxyflavylium(1+), 8CI; 3-O-[Xylosyl-(??)-?-D-glucopyranoside]
3,4',5,7-Tetrahydroxyflavylium(1+), 8CI; 3-O-[Xylosyl-(1??)-galactoside]
3,4',5-Trihydroxy-3',7-dimethoxyflavone
3,4',5-Trihydroxy-6,7-dimethoxyflavone
3,4',5-Trihydroxy-7-methoxyflavone; 3-O-[4-Hydroxy-3-methoxycinnamoyl-(?5)-?-D-apiofuranosyl-(1?2)-?-D-glucopyranoside]
3',4',6,7-Tetrahydroxyaurone; 7-Me ether, 6-O-[?-D-xylopyranosyl-(1?4)-?-D-arabinopyranoside]
3,4,6a,8,9-Pentahydroxypterocarpan; 4-Me, 8,9-Methylene ether
3,4,7-Trihydroxy-11-eudesmen-8-one; (3?,4?7?-form
3',4',7-Trihydroxy-3,5-dimethoxyflavone
3',4'-Didehydro-1',2'-dihydro-?,?-caroten-1'-ol; O-L-Rhamnopyranoside
3',4'-Didehydro-1',2'-dihydro-1',2'-dihydroxy-?,?-caroten-4-one; (S)-form
3,4-Dihydro-8-hydroxy-3,5-dimethyl-1H-2-benzopyran-1-one, 9CI; (R)-form, 1''-Oxo
3,4-Dihydroxy-11(13)-eudesmen-12-oic acid; (3?,4?-form
3,4-Dihydroxy-11(13)-eudesmen-12-oic acid; (3?4?)-form
3,4-Dihydroxy-13-cleroden-15,16-olide; (ent-3?,4?5?-form, 16?-Hydroxy
3,4-Dihydroxybenzaldehyde; 4-O-?-D-Glucopyranoside
3,4-Dimethyl-1,2-dithiolane, 9CI
3,4-Dimethyl-5-pentylidene-2(5H)-furanone, 9CI
3,4-Secocycloarta-4(28),24-diene-3,26-dioic acid; (24E)-form, 3-Me ester
3,4-Secocycloarta-4(28),24-diene-3,26-dioic acid; (24Z)-form, 26-Me ester
3,4-Secocycloarta-4(28),24-diene-3,26-dioic acid; (24Z)-form, 3-Me ester
3,4-Secodammara-4(28),20,24-triene-3,26-dioic acid; 3-Me ester
3,4-Secotirucalla-4(28),7,24-triene-3,21-dioic acid; 3-Me ester
3,4-Secotirucalla-4(28),7,24-triene-3,26-dioic acid; (24Z)-form, 3-Me ester
3,5,10-Bisabolatrien-12-ol; 2-Methylpropanoyl
3,5,11,14-Tetrahydroxycard-20(22)-enolide; (3?,5?,11?14?)-form, 3-O-[?-D-Glucopyranosyl-(1?4)-2,6-dideoxy-?-D-ribo-hexopyranoside]
3,5,12-Trihydroxy-6,8,10,14-eicosatetraenoic acid; (3S,5S,12R,6Z,8E,10E,14Z)-form
3,5,14,19-Tetrahydroxycard-20(22)-enolide; (3?,5?,14?)-form, 3-O-[?-D-Glucopyranosyl-(1?4)-2,6-dideoxy-D-ribo-hexopyranoside]
3,5,14-Trihydroxy-19-oxocard-20(22)-enolide; (3?,5?,14?)-form, 3-O-[?L-Rhamnopyranosyl-(1?4)-2,6-dideoxy-D-ribo-hexopyranoside]
3,5,14-Trihydroxycard-20(22)-enolide; (3?,5?,14?)-form, 3-O-[?-D-Glucopyranosyl-(1?4)-?-D-fucopyranoside]
3,5,14-Trihydroxycard-20(22)-enolide; (3?,5?,14?)-form, 3-O-[?-D-Glucopyranosyl-(1?4)-6-deoxy-?-D-gulopyranoside]
3,5,16-Trihydroxy-13-halimen-15,16-olide; (ent-3?5?16R)-form
3',5,5',6,7-Pentahydroxyflavone; 3',6-Di-Me ether
3,5,6,7,8-Pentahydroxyflavone; 6,8-Di-Me ether
3',5,7-Trihydroxy-3,4'-dimethoxyflavone
3,5,7-Trihydroxy-3',4'-dimethoxyflavone
3',5,7-Trihydroxy-4',6,8-trimethoxyflavone, 8CI; 5-O-(6-O-Acetyl-?-D-glucopyranoside)
3,5,7-Trihydroxy-4',6-dimethoxyflavone
3',5,7-Trihydroxy-4',6-dimethoxyflavone, 8CI
3,5,7-Trihydroxy-4',8-dimethoxyflavone
3,5,8-Trihydroxy-6-methoxy-2-(5-oxo-1,3-hexadienyl)-1,4-naphthoquinone; (E,E)-form
3,6,14,16-Tetrahydroxy-5,10-seco-1(10)-kauren-5-one; (ent-3?6?14?16?)-form
3,6-Bis[(aminooxy)methyl]-2,5-piperazinedione, 9CI; (3R,6R)-form, 1,4-Biscarbamoyl
3,6-Dihydroxy-12,11-drimanolide; (3?6?-form
3,6-Dihydroxypregnan-20-one, 9CI; (3?5?,6?-form
3,6-Dihydroxypregnan-20-one, 9CI; (3?5?6?-form
3,6-Epoxy-5,6-dihydro-3',5-dihydroxy-?,?-caroten-6'-one
3,6-Epoxy-5,6-dihydro-5-hydroxy-?,?-caroten-6'-one
3,6-Octadecadienoic acid
3,7-Dihydroxylanosta-9(11),24-dien-26,23-olide; (3?7?,23R)-form, 3-Me ether
3,7-Dimethyl-2,6-octadien-1-ol; (E)-form, Octanoyl
3,8,9-Trihydroxypterocarpene; 8,9-Methylene ether
3,8-Dihexyl-4,9-dihydroxy-5,10-dimethyl-1,6-dioxecane-2,7-dione, 9CI
3,8-Dihydroxy-12,11-drimanolide; (3?,8?-form
3,8-Dihydroxy-12,11-drimanolide; (3?8?-form
3,8-Dihydroxy-17-oxo-13-labden-15-oic acid; (ent-3?,8?,13Z)-form
3,9,12-Octadecatrienoic acid, 9CI; (3E,9Z,12Z)-form
30-Nor-22-hopanone; 21?H-form
30-Nor-3,20-lupanediol; (3?,20?)-form, 20-Ketone
3alpha-Hydroxy-5beta-androstan-17-one
3-Clerodene-15,18,19-triol; (ent-13?)-form, 15,18-Dicarboxylic acid
3-Dehydro-L-threonate
3-Ethyl-5,7-dihydroxy-4H-1-benzopyran-4-one, 9CI
3-Glucopyranosyloxy-4',5,7-trihydroxy-3'-methoxyflavone; 6''-O-(2E-Butenoyl)
3-Hexadecyl-5-hydroxy-5-methyl-2(5H)-furanone
3-Hexadecyl-5-methylene-2(5H)-furanone; 8',9',11',12'-Tetradehydro(Z,Z-)
3-Hexadecyldihydro-4-hydroxy-5-methylene-2(3H)-furanone, 9CI; (3R*,4S*)-form
3-Hexadecylidenedihydro-4-hydroxy-5-methylene-2(3H)-furanone; (R,E)-form
3-Hexadecylidenedihydro-4-hydroxy-5-methylene-2(3H)-furanone; (R,E)-form, 15',16'-Didehydro
3-Hexadecylidenedihydro-4-hydroxy-5-methylene-2(3H)-furanone; (R,E)-form, 7',8'-Didehydro(Z-)
3-Hexadecylidenedihydro-4-hydroxy-5-methylene-2(3H)-furanone; (R,Z)-form
3-Hexadecylidenedihydro-4-hydroxy-5-methylene-2(3H)-furanone; (R,Z)-form, 15',16'-Didehydro
3-Hexadecylidenedihydro-4-hydroxy-5-methylene-2(3H)-furanone; (R,Z)-form, 7',8'-Didehydro(Z-)
3-Hexadecylidenedihydro-4-hydroxy-5-methylene-2(3H)-furanone; (S,E)-form
3-Hexadecylidenedihydro-4-hydroxy-5-methylene-2(3H)-furanone; (S,E)-form, 11',12'-Didehydro (Z-)
3-Hexadecylidenedihydro-4-hydroxy-5-methylene-2(3H)-furanone; (S,E)-form, 7',8'-Didehydro
3-Hexadecylidenedihydro-4-hydroxy-5-methylene-2(3H)-furanone; (S,Z)-form
3-Hexadecylidenedihydro-4-hydroxy-5-methylene-2(3H)-furanone; (S,Z)-form, 7',8'-Didehydro(Z-)
3-Hydroxy-?,?-caroten-4-one
3-Hydroxy-11-oxo-12-oleanen-30-oic acid; (3?,18?)-form, 3-Ketone, 11?alcohol, 11-Me ether
3-Hydroxy-11-oxo-12-oleanen-30-oic acid; (3?,18?)-form, Me ester
3-Hydroxy-12-oleanene-23,28-dioic acid; 3?-form, 28-O-?-D-Glucopyranosyl ester
3-Hydroxy-12-oleanene-23,28-dioic acid; 3?-form, 3-O-?-D-Glucopyranoside
3-Hydroxy-12-oxo-9(11)-oleanen-28-oic acid; 3?-form, Me ester
3-Hydroxy-12-ursen-28-oic acid; 3?-form, Formyl
3-Hydroxy-12-ursene-27,28-dioic acid; 3?-form, 27-O-?-D-Glucopyranosyl ester
3-Hydroxy-12-ursene-27,28-dioic acid; 3?-form, 3-O-?-D-Glucopyranoside
3-Hydroxy-14,15-dinor-8(17)-labden-13-one; 3?-form
3-Hydroxy-17-nor-8-pimaren-15-one; 3?-form
3-Hydroxy-20-methylergost-24-en-23-one
3-Hydroxy-20-methylergost-24-en-23-one; (3?,5?-form
3-Hydroxy-24-methylene-7,9(11)-lanostadien-21-oic acid
3-Hydroxy-24-methylene-7,9(11)-lanostadien-21-oic acid; 3?-form
3-Hydroxy-26,27-dinorlanost-9(11)-en-24-one; (3?,5?-form, Me ether
3-Hydroxy-27-norcycloartan-24-one; 3?-form
3-Hydroxy-2-methyl-4H-pyran-4-one, 9CI; O-[3,4,5-Trihydroxybenzoyl-(?6)-?-D-glucopyranoside]
3-Hydroxy-4-methylene-8,14-secoergostane-8,14-dione; (3?,24R)-form
3-Hydroxy-7-bauren-28-oic acid; 3?-form, 3-Ketone, Me ester
3-Hydroxyandrostan-17-one, 9CI; (3?,5?)-form
3-Hydroxyandrostan-17-one, 9CI; (3?,5?-form
3-Hydroxyandrostan-17-one, 9CI; (3?5?)-form
3-Hydroxyandrostan-17-one, 9CI; (3?5?
3-Hydroxycarda-8,14,16,20(22)-tetraenolide; (3?,5?)-form
3-Hydroxylanosta-7,24-dien-26,23-olide; (3?9?,23R)-form, 3-Me ether
3-Hydroxylanosta-7,24-dien-26,23-olide; (3?9?,23S)-form, 3-Me ether
3-Hydroxyportulol ether; 3-Deoxy, 19-oxo
3-Hydroxypregn-14-en-20-one, 9CI; (3?,5?17?-form
3-Hydroxypregn-14-en-20-one, 9CI; (3?,5?-form
3-Hydroxypregn-16-en-20-one, 9CI; (3?,5?-form
3-Hydroxypregn-16-en-20-one, 9CI; (3?5?)-form
3-Hydroxypregn-16-en-20-one, 9CI; (3?5?-form
3-Hydroxypregn-5-en-20-one
3-Hydroxystigmast-22-en-6-one; (3?,5?22E,24?)-form
3-Hydroxyumbilicaric acid; 3,4-Di-Me ether
3-Methyl-5-pentyl-2-furanundecanoic acid, 9CI
3-O-(?L-Mycarosyl)-8-hydroxyerythronolide B
3-O-?-D-Galactofuranosyl-D-galactose
3-O-?-D-Galactofuranosyl-D-mannose
3-O-?-D-Galactopyranosyl-D-galactose, 9CI, 8CI
3-O-?-D-Glucopyranosyl-D-fructose, 9CI
3-O-?-D-Glucopyranosyl-D-galactopyranose, 8CI
3-O-?-D-Glucopyranosyl-D-glucose, 9CI
3-O-?-D-Glucopyranosyl-D-mannose, 9CI
3-O-?-D-Mannopyranosyl-D-mannose, 9CI, 8CI
3-O-Caffeoylquinic acid; (E)-form, 3'-Me ether
3-Octadecenoic acid; (E)-form
3-O-?D-Galactopyranosyl-D-galactose, 9CI, 8CI
3-O-?D-Glucopyranosyl-D-glucose, 9CI, 8CI
3-O-?D-Glucopyranosyl-D-mannose, 9CI, 8CI
3-O-?D-Mannopyranosyl-D-galactose, 9CI
3-O-?D-Mannopyranosyl-D-glucose
3-O-?D-Mannopyranosyl-D-mannose, 9CI, 8CI
3-Oxo-12-oleanen-28-oic acid; Me ester
3-Pentadecyl-1,2-benzenediol, 9CI; 10',11',13',14'-Tetradehydro(10'Z,13'E)
3-Pentadecyl-1,2-benzenediol, 9CI; 7',8',10',11'-Tetradehydro
3-Pentadecyl-1,2-benzenediol, 9CI; 8',9',11',12'-Tetradehydro(Z,Z-)
4-(3,4-Dihydroxyphenyl)-5,7,8-trihydroxy-2H-1-benzopyran-2-one; 5,7-Di-Me ether
4,11,12-Trihydroxy-7-cembren-16,3-olide; (1S*,3S*,4R*,7E,11R*,12S*,15R*)-form, 15,17-Didehydro
4,15-Dihydroxy-11(13)-pseudoguaien-12,8-olide; (1?4?,5?,8?,10?)-form, 11?13-Dihydro
4,23-Dinor-3,4-seco-5(24)-filicen-3-al
4,4-Dimethylcholesta-6,20(22)-dien-3-ol, 9CI; 3?-form
4,4-Dimethylcholesta-8,24-dien-3-ol; (3?,5?-form
4',5,6,7,8-Pentahydroxyflavone; 4',6-Di-Me ether
4',5,6,7,8-Pentahydroxyflavone; 4',7-Di-Me ether
4',5,6,7,8-Pentahydroxyflavone; 4',8-Di-Me ether
4',5,6,7,8-Pentahydroxyflavone; 6,7-Di-Me ether
4',5,6,7,8-Pentahydroxyflavone; 6,8-Di-Me ether
4',5,6,7,8-Pentahydroxyflavone; 7,8-Di-Me ether
4',5,6,7,8-Pentahydroxyisoflavone; 6,8-Di-Me ether
4',5,6,7-Tetrahydroxyflavone; 6-O-?-D-Xylopyranoside, 7-O-?L-rhamnoside
4',5,6,7-Tetrahydroxyflavone; 7-O-[?-D-Xylopyranosyl-(1?4)-?L-rhamnopyranoside]
4,5,6-Trihydroxyaurone; 4,5-Methylene ether
4',5,7-Trihydroxy-3,3'-dimethoxyflavone
4',5,7-Trihydroxy-3',5'-dimethoxyflavone
4',5,7-Trihydroxy-3',6-dimethoxyflavone, 8CI
4',5,7-Trihydroxy-3,8-dimethoxyflavone, 8CI
4',5,7-Trihydroxy-3'-methoxyflavone, 8CI; 4',7-Di-O-?-D-xylopyranoside
4',5,7-Trihydroxy-6-methoxyflavone, 8CI; 7-O-[?-D-Xylopyranosyl-(1?2)-?-D-xylopyranoside]
4',5,7-Trihydroxy-6-xylosyl-8-glucosylflavone
4',5,7-Trihydroxyflavanone; (?)-form, 7-O-[?L-Rhamnopyranosyl-(1?2)-[?L-rhamnopyranosyl-(1?6)]-?-D-glucopyranoside]
4',5,7-Trihydroxyflavone; 4'-O-[?-D-Xylofuranosyl-(1?4)-?-D-glucopyranoside]
4',5,7-Trihydroxyflavone; 7-O-[Arabinosyl-(1??)-glucoside]
4',5,7-Trihydroxyflavone; 7-O-[Xylosyl-(1??)-glucoside]
4',5,7-Trihydroxyisoflavone; 4'-O-?-D-Apiofuranoside, 7-O-?-D-glucopyranoside
4',5,7-Trihydroxyisoflavone; 7-O-[?-D-Apiofuranosyl-(1?6)-?-D-glucopyranoside]
4,5-Dihydro-4-hydroxy-5-methyl-2-tetradecyl-2(3H)-furanone; (3R*,4R*,5R*)-form, Ac
4,5-Dihydro-4-hydroxy-5-methyl-2-tetradecyl-2(3H)-furanone; (3R,4S,5S)-form
4,5-Dihydroxyanthraquinone-2-carboxylic acid; Aldehyde, 5-Me ether
4,6,10-Hexadecatrien-1-ol, 9CI; Ac
4,6,10-Triethyl-4,6-dihydroxy-8-methyl-2,7,11-tetradecatrienoic acid
4,6,11-Hexadecatrien-1-ol, 9CI; (4E,6E,11Z)-form, Ac
4',6,7-Trihydroxyisoflavone; 4',6-Di-Me ether, 7-O-(6-O-malonyl-?-D-glucopyranoside)
4,6,8-Trihydroxy-11-capnosene-2,10-dione
4,6-Diethyl-6-(4-ethyl-2-methyl-1,5-octadienyl)-1,2-dioxane-3-acetic acid; (3S,4R,6S,7E,10?,11E)-form
4,6-Diethyl-6-(4-ethyl-2-methyl-1,5-octadienyl)-1,2-dioxane-3-acetic acid; (3S,4R,6S,7E,10?,11E)-form, 7,8-Dihydro
4,6-Diethyl-6-(4-ethyl-2-methyl-5-octenyl)-3,6-dihydro-1,2-dioxin-3-acetic acid, 9CI
4,6-Diethyl-6-(4-ethyl-2-methyl-5-octenyl)-3,6-dihydro-1,2-dioxin-3-acetic acid, 9CI; 11,12-Dihydro
4,6-Dihydroxy-11(13)-eudesmen-12-oic acid; (4?6?-form
4,6-Dihydroxy-12,8-eudesmanolide; (4?,6?8?11?H)-form
4,6-Dihydroxy-5-methyl-2H-1-benzopyran-2-one; 4-Me ether
4,7-Dihydroxy-5-methyl-2H-1-benzopyran-2-one, 9CI; 4-Me ether
4,7-Dihydroxy-5-methyl-2H-1-benzopyran-2-one, 9CI; 4-Me ether, 7-O-?-D-glucopyranoside
4,8,11-Trihydroxy-12-cembren-16,3-olide; (1R,3S,4S,8R,11R,12E)-form, 15,17-Didehydro
4,8-Dihydroxy-5-methyl-2H-1-benzopyran-2-one, 9CI; 4-Me ether
4,9,11,12a-Tetrahydroxyrotenoid; 9-Me ether
4,9-Dihydroxy-1(5),11(13)-xanthadien-12,6-olide; (4?,6?,9?10?)-form, 11?,13-Dihydro
4,9-Octadecadienoic acid, 8CI
4'-[[2-Butyl-4-chloro-5-(hydroxymethyl)-1H-imidazol-1-yl]methyl][1,1'-biphenyl]-2-carboxylic acid, 9CI
4'-Azidothymidine, 9CI
4-Eudesmene-3,6,7,11,15-pentol; (3?6?,7?)-form, 11-O-(3-Acetyl-2,4-diangeloyl-?-D-fucopyranoside), 15-Ac
4-Hydroperoxy-5-amorphen-12-oic acid; (4?11R)-form
4-Hydroxy-13-cleroden-15-oic acid; (ent-4?,13E)-form, Me ester
4-Hydroxy-5-(hydroxymethyl)-2H-1-benzopyran-2-one; 4-Me ether
4-Hydroxybenzoic acid, 9CI, 8CI; O-?-D-Glucopyranoside
4-Hydroxyoctadecanoic acid; (?-form, Lactone
4-Isopropyl-1,6-dimethylnaphthalene, 8CI
4-Keto-?-carotene
4-Methyl-3,8-dihydroxyergost-24(28)-en-23-one; (3?,4?5?8?)-form
4-Methyl-7,11-heptadecadienoic acid; (Z,Z)-form
4-Methylcholest-8-en-3-ol; (3?,4?-form, 3-Ketone
4-Methylcholesta-7,24-dien-3-ol; (3?,4?5?-form
4-Methylcholesta-8,14-dien-3-ol; (3?,4?,5?-form
4-Methylcholesta-8,22-dien-3-ol; (3?,4?5?22E)-form
4-Methylcholesta-8,24-dien-3-ol; (3?,4?5?-form
4-Methylergosta-7,22-dien-3-ol; (3?,4?5?22E,24S)-form
4-Methylergosta-7,23-dien-3-ol, 9CI; (3?,4?5?23E)-form
4-Methylergosta-7,24(28)-dien-3-ol; (3?,4?,5?-form
4-Methylergosta-7,24(28)-dien-3-ol; (3?,4?5?20S)-form
4-Methylergosta-7,24(28)-dien-3-ol; (3?,4?5?-form
4-Methylergosta-7,24(28)-diene-3,4-diol, 9CI; (3?,4R,5?-form
4-Methylergosta-7,25-dien-3-ol; (3?,4?5?24S)-form
4-Methylergosta-8(14),22-dien-3-ol; (3?,4?5?,22E,24?)-form
4-Methylergosta-8(14),22-dien-3-ol; (3?,4?5?22E,24S)-form
4-Methylergosta-8(14),25-dien-3-ol; (3?,4?5?24S)-form
4-Methylergosta-8,22-dien-3-ol; (3?,4?5?22E,24?)-form
4-Methylergosta-8,24(28)-dien-3-ol; (3?,4?5?14?)-form
4-Methylergosta-8,24(28)-dien-3-ol; (3?,4?5?14?-form
4-Methylergosta-8,24(28)-diene-3,4-diol, 9CI; (3?,4R,5?-form
4-O-?-D-Galactopyranosyl-D-galactose, 9CI, 8CI
4-O-?-D-Galactopyranosyl-D-mannose, 9CI
4-O-?-D-Galactopyranosyl-D-mannose, 9CI; ?-Pyranose-form
4-O-?-D-Glucopyranosyl-D-galactose, 8CI
4-O-?-D-Glucopyranosyl-D-mannose, 9CI, 8CI
4-O-?-D-Mannopyranosyl-D-glucose, 9CI
4-O-?-D-Mannopyranosyl-D-mannose, 9CI, 8CI
4-O-?-D-Mannopyranosyl-D-mannose, 9CI, 8CI; ?-Pyranose-form, Benzyl glycoside, hepta-Ac
4-O-?-D-Mannopyranosyl-L-gulose, 8CI
4-O-?-D-Psicofuranosylglucose
4-O-Caffeoylquinic acid; Me ester
4-O-?D-Galactopyranosyl-D-galactose, 9CI, 8CI
4-O-?D-Glucopyranosyl-D-galactose, 9CI
4-O-?D-Mannopyranosyl-D-mannose, 9CI, 8CI
5(10)-Halimene-3,15-diol; (ent-3?,8?H,13?)-form, 3-Ketone, 15-carboxylic acid, Me ester
5-(3,6-Heptadienyl)dihydro-2(3H)-furanone; (E)-form
5-(3-Buten-1-ynyl)-5' hydroxymethyl-2,2'-bithiophene; 3-Methylbutanoyl
5-(8-Heptadecenyl)dihydro-3-hydroxy-2(3H)-furanone, 9CI
5-(8-Tridecenyl)-1,3-benzenediol, 9CI; (Z)-form
5-(Methylthio)-1-phenyl-4-penten-2-yn-1-one, 9CI; (E)-form
5,11-Octadecadienoic acid; (all-Z)-form
5,12-Dihydroxy-6,8,10,14-eicosatetraenoic acid; (5S,6Z,8E,10E,12R,14Z)-form, 19-Hydroxy
5,12-Dihydroxy-6,8,10,14-eicosatetraenoic acid; (5S,6Z,8E,10E,12R,14Z)-form, 20-Hydroxy
5,14,15-Trihydroxy-6,8,10,12-eicosatetraenoic acid, 9CI; (5S,6E,8E,10E,12E,14R,15S)-form
5,14,15-Trihydroxy-6,8,10,12-eicosatetraenoic acid, 9CI; (5S,6E,8E,10E,12E,14S,15S)-form
5,14,15-Trihydroxy-6,8,10,12-eicosatetraenoic acid, 9CI; (5S,6E,8Z,10E,12E,14R,15S)-form
5,6,15-Trihydroxy-7,9,11,13-eicosatetraenoic acid; (5S,6R,7E,9E,11Z,13E,15S)-form
5,6,16-Octadecatrienoic acid; (R,E)-form
5,6,7,7a-Tetrahydro-4,4,7a-trimethyl-2(4H)-benzofuranone, 9CI
5,6,7,7a-Tetrahydro-4,4,7a-trimethyl-2(4H)-benzofuranone, 9CI; (S)-form
5,6,7,8-Tetrahydroxy-2H-1-benzopyran-2-one; 7-Me ether, 5-O-(6-O-malonyl-?-D-glucopyranoside)
5,6,7-Trihydroxy-4'-methoxyflavone; 7-O-[?-D-Mannopyranosyl-(1?2)-6''-O-?-4-hydroxycinnamoyl-?-D-glucopyranoside]
5,6,7-Trihydroxyflavone; 6,7-Methylene ether
5,6-Epoxy-6,10,14-trimethyl-9,13-pentadecadien-2-one
5,6-Epoxy-8-hydroxy-11-drimanoic acid; (5?6?8?9?,10?)-form
5,6-Octadecadienoic acid; (R)-form
5,7-Dihydroxy-2-(4,7,10,13,16-nonadecapentaenyl)-4H-1-benzopyran-4-one; (all-Z)-form
5,7-Dihydroxy-2,6-dimethyl-4H-1-benzopyran-4-one, 9CI
5,7-Dihydroxy-2,8-dimethyl-4H-1-benzopyran-4-one, 9CI
5,7-Dihydroxy-2H-1-benzopyran-2-one, 9CI; Di-Me ether
5,7-Dihydroxy-2-methyl-4H-1-benzopyran-4-one, 9CI; 5-Me ether
5,7-Dihydroxy-2-methyl-4H-1-benzopyran-4-one, 9CI; 7-Me ether
5,7-Dihydroxy-4H-1-benzopyran-4-one, 9CI; Di-Me ether
5,7-Dihydroxy-4'-methoxyisoflavone; 7-O-(6-O-Malonyl-?-D-glucopyranoside), Me ester
5,7-Dihydroxy-6,8-dimethyl-4H-1-benzopyran-4-one
5,7-Dihydroxy-6,8-dimethyl-4H-1-benzopyran-4-one; 7-O-?-D-Glucopyranoside
5,7-Dihydroxy-6-methyl-2-nonacosyl-4H-1-benzopyran-4-one, 9CI
5,8,11,14,17-Nonadecapentaenoic acid; (all-Z)-form, 17,18-Dihydro
5,8,12-Trihydroxy-9-octadecenoic acid
5,8-Dihydroxy-2H-1-benzopyran-2-one, 9CI; Di-Me ether
5,8-Epidioxy-23-norgorgost-6-en-3-ol; (3?,5?8?-form, Ac
5,8-Epidioxystigmasta-6,22-dien-3-ol; (3?,5?8?22E,24R)-form, 22,23-Dihydro
5,8-Epidioxystigmasta-6,22-dien-3-ol; (3?,5?8?22E,24S)-form, 22,23-Dihydro
5,9,12-Octadecatrienoic acid; (E,Z,Z)-form
5,9,12-Octadecatrienoic acid; (Z,Z,Z)-form
5,9,13-Trihydroxy-2,4,6,8,10,12,14,16,18-nonamethyl-2,6,10-eicosatrienoic acid; (2E,4S,5S,6E,8S,9S,10E,12S,13R,14S,16S,18S)-form, 13-O-(6-O-Acetyl-?-D-mannopyranoside), D-mannitol-1-yl ester
5,9-Epidioxy-8-hydroperoxy-6-daucene; (5?8?9?-form
5,9-Octadecadienoic acid
5,9-Octadecadienoic acid; (5E,9Z)-form
5,9-Octadecadienoic acid; (5Z,9Z)-form
5-Alkyl-1H-pyrrole-2-carboxaldehydes; !5-Pentadecyl-1H-pyrrole-2-carboxaldehyde
5-Alkyl-3,5-dimethyl-1,2-dioxolane-3-acetic acids; !3,5-Dimethyl-5-pentadecyl-1,2-dioxolane-3-acetic acid, 9CI
5-Amino-4-(ribitylamino)uracil; D-form
5-Azacytidine
5beta-Dihydrotestosterone
5-Dehydro-4-deoxy-D-glucarate
5'-Deoxyguanosine, 9CI
5-Hexadecyl-5-methoxy-2(5H)-furanone
5-Hexadecyl-5-methoxy-2(5H)-furanone; 12',13',14',15'-Tetradehydro (E,E-)
5-Hexadecyl-5-methoxy-2(5H)-furanone; 14',15'-Didehydro (E-)
5-Hydroperoxystigmasta-6,25-dien-3-ol; (3?,5?24S)-form
5-Hydroxy-14,15-dinor-13-labdanone
5-Hydroxy-3,14-viscidadien-19-oic acid; Me ester
5-Hydroxy-4',6,7-trimethoxyflavone; 5-O-[6-O-Acetyl-?-D-glucopyranosyl-(1?3)-?-D-galactopyranoside]
5-O-?-D-Galactofuranosyl-D-galactose
5-O-Caffeoylquinic acid; (E)-form, Me ester
5-Octadecenoic acid; (E)-form
5-Octadecenoic acid; (Z)-form
5-Octadecynoic acid, 9CI
5-O-?D-Galactofuranosyl-D-galactose, 9CI
5-O-?D-Glucopyranosyl-D-fructose, 9CI, 8CI
5-Oxoheneicosanoic acid
5-Pentadecyl-1,3-benzenediol, 9CI; 2'-Oxo
5-Pentadecyl-1,3-benzenediol, 9CI; 8',9'Z,11',12'Z-Tetradehydro
5-Tetradecen-1-ol; (Z)-form, Butanoyl
6-(3,4-Dihydroxyphenyl)-5,6-dihydro-2H-pyran-2-one; (S)-form, 4'-O-?-D-Glucopyranoside
6,10,14,18,22-Pentamethyl-5,9,13,17,21-tricosapentaen-2-one
6,10,14-Trimethyl-5,10-pentadecadiene-2,12-dione, 9CI
6,10,14-Trimethyl-5,9,13-pentadecatrien-2-one, 9CI; (5E,9E)-form, 13R,14-Epoxide
6,10,14-Trimethyl-5,9-pentadecadiene-2,12-dione, 9CI; (E,E)-form
6,10,14-Trimethyl-5,9-pentadecadiene-2,13-dione, 9CI; (E,E)-form
6,10,14-Trimethyl-5-pentadecene-2,12-dione; (E)-form
6,11-Hexadecadien-1-ol, 9CI; (6E,11Z)-form, Ac
6,11-Octadecadienoic acid; (6E,11Z)-form
6,11-Octadecadienoic acid; (Z,Z)-form
6,12,14-Octadecatrienoic acid, 9CI; (6Z,12Z,14Z)-form
6,7-Dihydroxy-11,12-drimanolide; (6?7?)-form
6,7-Dihydroxy-2H-1-benzopyran-2-one, 9CI; Di-Me ether
6,7-Dihydroxy-3-(2,3,4-trihydroxyphenyl)-2H-1-benzopyran-2-one; 2',4'-Di-Me ether
6,7-Dihydroxy-4H-1-benzopyran-4-one, 9CI; Di-Me ether
6,8,15-Labdanetriol; (6?,8?13S)-form, 6-Me ether
6,8-Dihydroxy-3-methyl-1H-2-benzopyran-1-one, 9CI; 6-Me ether
6,9,10-Trihydroxy-7-octadecenoic acid
6,9,12-Octadecatrienoic acid, 9CI; (Z,Z,Z)-form
6,9-Octadecadienoic acid; (6Z,9Z)-form
6a,12a-Dihydro-4,9,11,12a-tetrahydroxy[1]benzopyrano[3,4-b][1]benzopyran-12(6H)-one, 9CI; 9-Me ether
6-Chloro-2,8,9,12-tetrahydroxy-3,5(16),13-briaratrien-18,7-olide; (2?,3Z,6?7?9?,12?-form, 12-Ketone, 2,9-di-Ac
6-Docosenoic acid, 9CI; (Z)-form, Amide
6-Ethyl-3-(2-methylpropyl)-2H-pyran-2-one, 9CI
6-Hydroperoxy-3-hydroxy-1,7(14),10-farnesatrien-9-one; (3S,6?)-form
6-Hydroxy-2-nor-2,3-seco-1,3-allohimachalanedione; (6?7?-form, O-Formyl
6-Hydroxy-4-nonadecenoic acid; (Z)-form
6-Hydroxy-5-benzofuranpropanoic acid; O-?-D-Glucopyranoside
6-Hydroxystigmast-4-en-3-one; (6?, 24R)-form
6-Hydroxystigmast-4-en-3-one; (6?, 24R)-form, 6-Hydroperoxide
6-Hydroxystigmast-4-en-3-one; (6?24R)-form
6-Hydroxystigmast-4-en-3-one; (6?24R)-form, 6-Hydroperoxide
6-Hydroxystigmast-4-en-3-one; (6?24S)-form
6-Isopropenyl-3,9-dimethyl-3,9-decadien-1-ol; (3Z,6R)-form, Propanoyl
6-Methoxy-2-nonaprenyl(X-H2)-1,4-benzoquinone
6-Methyl-8-(2,2,6-trimethyl-3,6-epoxycyclohexyl)-5-octen-2-one; (E)-form
6-Methyl-9-heptadecenoic acid
6-O-?-D-Fructofuranosyl-D-fructose, 9CI, 8CI
6-O-?-D-Galactofuranosyl-D-galactose, 9CI
6-O-?-D-Galactofuranosyl-D-mannose
6-O-?-D-Galactopyranosyl-D-galactose, 9CI, 8CI
6-O-?-D-Galactopyranosyl-D-glucose
6-O-?-D-Galactopyranosyl-D-mannose, 8CI
6-O-?-D-Galactopyranosyl-D-mannose, 8CI; ?-Pyranose-form
6-O-?-D-Glucopyranosyl-D-galactose, 8CI
6-O-?-D-Glucopyranosyl-D-galactose, 8CI; ?Pyranose-form
6-O-?-D-Glucopyranosyl-D-glucose, 9CI
6-O-?-D-Glucopyranosyl-D-mannose
6-O-?-D-Mannopyranosyl-D-mannose, 9CI
6-Octadecenoic acid; (E)-form
6-Octadecenoic acid; (Z)-form
6-Octadecynoic acid, 9CI
6-O-?D-Galactopyranosyl-D-galactose, 9CI, 8CI
6-O-?D-Galactopyranosyl-D-glucose, 9CI
6-O-?D-Galactopyranosyl-D-mannose, 9CI, 8CI
6-O-?D-Glucopyranosyl-D-fructofuranose
6-O-?D-Glucopyranosyl-D-glucose, 9CI
6-O-?D-Glucopyranosyl-D-mannose, 9CI, 8CI
6-O-?D-Glucopyranosyl-D-mannose, 9CI, 8CI; Pyranose-form, 2-Benzyl, hepta-Ac
6-O-?D-Mannopyranosyl-D-mannose, 9CI, 8CI
6-Protoilludene-4,5,8,14-tetrol; (4?5?8?)-form
7,11-Octadecadienoic acid; (7Z,11Z)-form
7,12,14,18-Tetrahydroxy-15-kauranone; (ent-7?,12?,14?16?-form
7,15-Dihydroxy-8-labden-17-oic acid; (7?13?)-form, 7-Me ether
7,18-Dihydroxy-8(17)-labden-15-oic acid; (7?13R)-form, 18-Carboxylic acid
7,8,14-Trihydroxy-15-isopimaren-18-oic acid; (7?,8?,14?)-form
7,8:14,16-Diepoxy-2,3,15-pimaranetriol; (ent-2?3?,7?8?14?,15?-form
7,8:9,13-Diepoxy-17-hydroxy-15-labdanoic acid; (7?8?9?13S)-form
7,8-Didehydro-?,?carotene-3,3',6'-triol; (3R,3'S,6'R)-form
7,8-Dihydroxy-14,15-dinor-11-labden-13-one; (7?,8?11E)-form, 6?Acetoxy
7,8-Dihydroxy-14,15-dinor-11-labden-13-one; (7?,8?11E)-form, 6?Hydroxy, 7-Ac
7,8-Dihydroxy-2H-1-benzopyran-2-one; Di-Me ether
7,8-Dimethyl-7-hexadecenoic acid; (Z)-form
7,9,11-Trihydroxy-8(14)-abieten-18-oic acid; (7?9?11?13?-form
7,9-Dimethyl-6-hexadecenoic acid; (Z)-form
7a-Acetyl-3a,4,5,6-tetrahydro-3a-hydroxy-1,2,6-trimethyl-6-(4,8,12-trimethyltridecyl)cyclopent[b]pyran-3(1H)-one
7-Amino-2,8-bis(2,4-dihydroxyphenyl)-3H-phenoxazin-3-one, 9CI
7-Chloro-2,3-dihydro-2-(4-methoxy-2-methylphenyl)pyridazino[4,5-b]quinoline-1,4,10(5H)-trione, 9CI
7-Hexadecen-1-ol; (E)-form, Ac
7-Hydroperoxy-3-hydroxy-1,5,10-farnesatrien-9-one; (3S,5E,7?)-form
7-Hydroxy-14,15-dinor-8(17)-labden-13-one; 7?form
7-Hydroxy-2-(hydroxymethyl)-5-methyl-4H-1-benzopyran-4-one
7-Hydroxy-3',4'-methylenedioxyisoflavone
7-Hydroxy-6-(hydroxymethyl)-2H-1-benzopyran-2-one; O7-Me
7-Isopropyl-1,4-dimethylazulene
7-Isopropyl-2,4-dimethylazulene
7-Labdene-3,15-diol; (3?,13S)-form, 15-Formyl
7-Labdene-3,15-diol; (3?,13S)-form, 3-Formyl
7-Octadecen-9-ynoic acid, 9CI; (E)-form
7-Octadecen-9-ynoic acid, 9CI; (Z)-form
7-Octadecenoic acid; (E)-form
7-Octadecenoic acid; (Z)-form
7-Protoilludene-1,5,6,9,14-pentol; (1?5?)-form, 14-Aldehyde, 5-(3-chloro-6-hydroxy-4-methoxy-2-methylbenzoyl)
7-Ribofuranosyladenine; ?-D-form
7-Ribofuranosyladenine; ?D-form0
8(14)-Abietene-7,12,13,18-tetrol; (7?12?13?)-form, 18-Carboxylic acid
8(14)-Abietene-7,13,15,18-tetrol; (7?13?)-form, 18-Carboxylic acid
8(14)-Abietene-7,13,15,18-tetrol; (ent-7?13?)-form, 18-Carboxylic acid
8(17),13-Labdadiene-15,18-diol; (ent-13E)-form, 15-Carboxylic acid, Me ester
8(17),13-Labdadiene-15,19-diol; (13Z)-form, 19-Carboxylic acid, Me ester
8(17)-Labdene-15,19-diol; (13R)-form, 19-Aldehyde, 15-formyl
8(17)-Labdene-15,19-diol; (ent-13S)-form, 19-Carboxylic acid, 15-Me ether
8-(5-Hydroxy-2,6,6-trimethyl-2-cyclohexenyl)-6-methyl-5-octen-2-one; (3S,6S,9E)-form
8-(5-Hydroxy-2,6,6-trimethyl-2-cyclohexenyl)-6-methyl-5-octen-2-one; (3S,6S,9E)-form, ?5,18-Isomer
8-(5-Hydroxy-2,6,6-trimethyl-2-cyclohexenyl)-6-methyl-5-octen-2-one; (3S,6S,9E)-form, ?5-Isomer
8,10,12-Octadecatrienoic acid; (8E,10E,12Z)-form
8,10,12-Octadecatrienoic acid; (8Z,10E,12Z)-form
8,10-Dihydroxy[2]benzopyrano[4,3-b][1]benzopyran-7(5H)-one
8,10-Dihydroxy-5-[(6-hydroxy-4-oxo-4H-pyran-2-yl)methyl]-2-methyl-4H-naphtho[1,2-b]pyran-4-one, 9CI
8,10-Dihydroxy-5-[(6-hydroxy-4-oxo-4H-pyran-2-yl)methyl]-2-methyl-4H-naphtho[1,2-b]pyran-4-one, 9CI; 2,3-Dihydro, 2?-hydroxy
8,11,12-Trihydroxy-9-octadecenoic acid
8,11,13-Abietatriene-11,12-diol; 12-Me ether
8,11,13-Abietatriene-3,12-diol; 3?form, 12-Me ether
8,11,13-Icetexatriene-10,12-diol; 10?-form, 12-Me ether
8,11,13-Totaratriene-12,13-diol; 12-Me ether
8,13:13,17-Diepoxy-14,15-dinorlabdane; (8?,13R)-form
8,13:13,17-Diepoxy-14,15-dinorlabdane; (8?13S)-form
8,13-Epoxy-14,15-dinor-12-labden-3-ol; (3?,8?)-form
8,13-Epoxy-14-labden-3-ol; (ent-3?,8?13S)-form, Formyl
8,13-Epoxy-2,3-seco-14-labdene-2,3-dioic acid; (8?13R)-form
8,13-Epoxy-2,3-seco-14-labdene-2,3-dioic acid; (ent-8?13S)-form
8,13-Epoxy-3-nor-14-colensen-2-one; (8?13R)-form
8,13-Epoxy-3-nor-14-colensen-2-one; (ent-8?13S)-form
8,13-Epoxy-6,7,9-trihydroxy-14-labden-11-one; (6?,7?,8?9?13R)-form
8,14,15-Trihydroxy-13(16)-labden-19-oic acid; (8?14?)-form, 14-Ketone
8,16-Dihydroxyhexadecanoic acid; (+)-form, Me ester
8,9-Epoxy-8,9-secoergosta-7,9(11)-dien-3-ol; (3?,24R)-form, Me ether
8-Acetonyldihydronitidine; 10,11-Di-O-de-Me, 10,11-methylene ether
8-Acetonyldihydrosanguinarine
8-Galactopyranosyl-4',5,7-trihydroxyflavone; 2''-O-?-D-Xylopyranosyl
8-Glucopyranosyl-4',5,7-trihydroxyisoflavone; 6''-O-Apiosyl
8-Hydroxy-14,15-dinor-11-labden-13-one; (8?11E)-form
8-Hydroxy-18-labdanoic acid; (8? 13?)-form, Me ether
8-Hydroxy-3,4-bis(hydroxymethyl)-1H-2-benzopyran-1-one, 9CI; 1'-Deoxy
8-Hydroxy-3,4-bis(hydroxymethyl)-1H-2-benzopyran-1-one, 9CI; 2'-Deoxy
8-Hydroxyanthraquinone-2-carboxylic acid; Me ester
8-Labdene-3,7,15-triol; (3?,7?,13S)-form, 3-Me ether
8-Labdene-3,7,15-triol; (3?,7?13S)-form, 7-Me ether
8-Octadecenoic acid; (E)-form
8-Octadecenoic acid; (Z)-form
8'-Oxo-6,8'-diapo-6-carotenoic acid; (9Z)-form, Me ester
9(12)-Capnellene-2,5,8,10-tetrol; (2?,5?8?,10?-form
9(12)-Capnellene-3,8,10,14-tetrol; (3?,8?,10?-form
9-(3-Furanyl)-2,6-dimethyl-6-nonene-2,3,5-triol; (3S,5R,6E)-form
9,10,13-Trihydroxy-11-octadecenoic acid; (E)-form
9,10,18-Trihydroxy-12-octadecenoic acid; (9R*,10R*,12Z)-form
9,10-Dihydro-3,6,8-trihydroxy-9,10-dioxo-1-(1-oxopropyl)-2-anthraceneacetic acid; Me ester
9,10-Epoxy-11-hydroxy-12,15-octadecadienoic acid; (9R,10R,11S,12Z,15Z)-form, 15,16-Dihydro, Me ester
9,10-Secoergosta-5(10),6,8,22-tetraen-3-ol, 9CI
9,10-Secoergosta-5(10),6,8,22-tetraen-3-ol, 9CI; (3S,6E,22E)-form
9,10-Secoergosta-5(10),6,8,22-tetraen-3-ol, 9CI; (3S,6Z,22E)-form
9,10-Secoergosta-5,7,10(19),22-tetraen-3-ol, 9CI
9,10-Secoergosta-5,7,10(19),22-tetraen-3-ol, 9CI; (3R,5Z,7E,22E)-form
9,10-Secoergosta-5,7,10(19),22-tetraen-3-ol, 9CI; (3S,5E,7E,22E)-form
9,10-Secoergosta-5,7,10(19),22-tetraen-3-ol, 9CI; (3S,5Z,7E,22E)-form
9,10-Secoergosta-5,7,10(19)-trien-3-ol; (3S,5Z,7E)-form
9,10-Secoergosta-5,7,22-trien-3-ol, 9CI; (3S,5E,7E,10S,22E)-form
9,11,13-Octadecatrienoic acid; (9E,11E,13Z)-form
9,11,13-Octadecatrienoic acid; (9Z,11E,13E)-form
9,11,13-Octadecatrienoic acid; (9Z,11E,13Z)-form
9,11,15-Trihydroxyprost-5-en-13-ynoic acid
9,11-Dihydroxy-15-oxo-5,13-prostadienoic acid, 9CI
9,11-Dodecadien-1-ol; (E)-form, Hexanoyl
9,12,13-Trihydroxy-10,15-octadecadienoic acid, 9CI; (9S,10E,12S,13S,15Z)-form, 15,16-Dihydro
9,12,15-Octadecatrienoic acid, 9CI; (E,E,E)-form
9,12,15-Octadecatrienoic acid, 9CI; (Z,Z,Z)-form
9,12,17-Octadecatrienoic acid; (9Z,12Z)-form
9,12-Dihydroxy-15-nonadecenoic acid
9,12-Octadecadienoic acid, 9CI; (9Z,12E)-form
9,12-Octadecadienoic acid, 9CI; (E,E)-form
9,12-Octadecadienoic acid, 9CI; (Z,Z)-form
9,13:15,16-Diepoxy-6,15-dihydroxy-7-labdanone; (6?,8?9?13R,15R)-form
9,13:15,16-Diepoxy-6,15-dihydroxy-7-labdanone; (6?,8?9?13R,15S)-form
9,13:15,16-Diepoxy-7,15-dihydroxy-6-labdanone; (7?,8?9?13R,15R)-form
9,13:15,16-Diepoxy-7,15-dihydroxy-6-labdanone; (7?,8?9?13R,15S)-form
9,13-Epoxy-3,18-dihydroxy-15,16-labdanolide; (3?,8?H,9?13S)-form
9,15-Dihydroxy-11-oxo-5,13-prostadienoic acid; (5Z,9S,13E,15S)-form
9,15-Octadecadienoic acid; (Z,Z)-form
9,16,17-Trihydroxy-19-kauranoic acid; (ent-16?OH)-form
9,19-Cyclo-14,24-dimethylcholestan-3-ol; (3?,5?9?,14?24?)-form, 3-Ketone
9-Arabinofuranosyladenine, 8CI; ?-D-form
9-Grayanotoxene-3,5,6,14,16-pentol; (1?3?,5?,6?,14?,16?-form
9-Hexadecen-1-ol; (Z)-form, Ac
9-Hydroxyoctadecanedioic acid
9-Octadecen-12-ynoic acid; (Z)-form
9-Octadecen-18-olide; (Z)-form
9-Octadecen-6-ynoic acid; (Z)-form
9-Octadecenoic acid, 9CI; (E)-form
9-Octadecenoic acid, 9CI; (Z)-form
9-Octadecynoic acid, 9CI
Abierixin; ?3-Isomer, O-de-Me
Abietospiran
Acadesine, BAN, INN, USAN; 5'-Phosphate
Acanthoaustralide; 17-Hydroxy
Acoric acid
Ademetionine, INN
Adenosine
Adenosine, 9CI, 8CI, BAN, USAN
Adipedatol
Adonixanthin
Aeginetic acid
Aflatoxin B1; (-)-form, 15,16-Dihydro, 16-hydroxy
Aflatoxin G1; 15,16-Dihydro
Aflatoxin M1; 15,16-Dihydro
Afzelin; 7-O-?L-Arabinopyranoside
Afzelin; O''-?-D-Xylopyranosyl
Agarobiose, 9CI
Alterlosin I
Amarouciaxanthin B; 4,5?-Dihydro
Ambolic acid; 3-Ketone
Amphiasterin B1
Amphisterol
Androst-5-ene-3,17-diol, 9CI; (3?,17?)-form
Androst-5-ene-3,17-diol, 9CI; (3?,17?-form
Androst-5-ene-3,17-diol, 9CI; (3?17?)-form
Androsterone
Anhydrosepedonin
Annojahnin
Antibiotic 17927D
Antibiotic 2158
Antibiotic C 112-III; 1'-Oxo
Antibiotic CP 47433
Antibiotic FR 65814
Antibiotic KPN
Antibiotic L 697318
Antibiotic L 697318; Deoxy, 18?-hydroxy
Antibiotic Q 6402A; Homologue (n = 4)
Antibiotic RF 3192A; 4'-Deoxy
Antibiotic S 685
Antibiotic Sch 49211
Antibiotic Sch 64877
Antibiotic WB 3559A
Antibiotic WB 3559C
Antibiotic WS 5995A
Antibiotic X 206
Anziaic acid; 3,5-Dichloro, 2,2'-di-Me ether
Aphidicolin
Aragusterol B
Aragusterol G; 3-Ketone
Araneosol
Aranotin, INN, USAN
Arenarin B
Argimicin A
Arginine, INN, USAN
Arginine, INN, USAN; (S)-form
Arizonin C1; 7-O-De-Me
Arizonin C1; 8-O-De-Me
Arnottin II
Arteannuin M
Artemoin A
Artemoin B
Artemoin C
Artemoin D
Aspidoalbine
Aspidospermiose
Asteriacerebroside B
Asteriacerebroside C
Aureofungin; !Aureofungin B
Auroxanthin
Auroxanthin; (8R,8'R)-form
Auroxanthin; (8R,8'R,9Z)-form
Auroxanthin; (8R,8'S)-form
Auroxanthin; (8S,8'S)-form
Australinol A; 2-Aldehyde
Australinol B; 2-Aldehyde
Australinol C; 2-Aldehyde
Australinol D; 2-Aldehyde
Australinol E; ?20(30)-Isomer, 2-aldehyde
Australinol E; 2-Aldehyde
Avermectin B1a; 3''-O-De-Me
Avermectin B1b
Azaftozine, INN
Baclinic acid
Bactobolin A
Bactobolin C
Bafilomycin A1; O7-(2-Methylpropanoyl), O21-(2-O-methyl-?L-rhamnopyranoside)
Balaenol; 22-Oxo
Benthocyanin A
Benthocyanin A; 11-Carboxy isomer
Betanidin; 15-Epimer, 5-O-[?-D-apiofuranosyl-(1?2)-6-O-malonyl-?-D-glucopyranoside]
Betanidin; 5-O-[?-D-Apiofuranosyl-(1?2)-6-O-malonyl-?-D-glucopyranoside]
Biclotymol, INN
Bicoumol; 7-Me ether
Bikaverin
Bishopantholide; 2?,3?-Epoxide
Bistramide A; 39-Ac
Blestriarene C; 9,10-Dihydro
Blestrin C
Blestrin D
Camporic acid
Cannabigerol
Capsanthin; 3'-Ketone
Capsanthin; 5?6?Epoxide
Capsochrome
Capsoneoxanthin
Capsorubin
Carpetimycin A; 1',2'-Dihydro, O-sulfate
Carrabiose
Cartasteine
Cassia Alkaloid D
Catalpol; 6-O-[(3-Hydroxy-4-methoxycinnamoyl)-(?3)-2-O-acetyl-?L-rhamnopyranoside]
Celaxanthin
Cellobiose
Cellobiose
Cerarvensin; 7-O-?-D-Glucopyranoside
Chalmicrin
chiro-Inositol, 9CI, 8CI; D-form, 2-O-?D-Galactopyranoside
Chlorobactene; 1',2'-Dihydro, 1'-hydroxy
Chlorophyll a
Cholest-24-ene-3,4,5,6,7,8,14,15,26-nonol; (3?,4?,5?6?7?,15?24E)-form
Cholestane-3,5,6-triol; (3?,5?6?)-form, 6-Ac
Cholestane-3,6,14-triol; (3?,5?6?,14?-form, 6-Ac
Cimigenol; 25-Deoxy, 25,26-didehydro, 15-Me ether
Cinncassiol D1
Cinncassiol D4
Citbismine B; N10'-Me
Citrate
Citreomontanin
Citric acid
Cladobotrin I
Cladocrocin A
Clavepictine B
Conicasterol
Coriacyclodienin
Corylinal
Corymboside
Cosmosiin; 2''-?-D-Apiofuranosyl
Cosmosiin; 2''-O-?-D-Xylopyranosyl
Cosmosiin; 6''-O-?-D-Apiofuranosyl
Cosmosiin; 6''-O-?-D-Xylopyranosyl
Cosmosiin; 6''-O-?L-Arabinofuranosyl
Cosmosiin; 6''-O-?L-Arabinopyranosyl
Cosmosiin; O''-?L-Arabinopyranosyl
Coumestrol; 3-Me ether
Coumestrol; 9-Me ether
Coumetarol, INN
Crassostreaxanthin A
Crassostreaxanthin B
Crinatusins; !Crinatusin A1
Crinatusins; !Crinatusin A2
Crombeone; 3'-Deoxy, 5'-hydroxy, O5-Me
Crombeone; 5-Me ether
Crustaxanthin
?Cryptoeutreptiellanone
Cucurbita-5,24-diene-3,7,23-triol; (3?,7?,22?)-form, 7-O-?-D-Glucopyranoside
Cucurbitaxanthin A; 5'?6'?Epoxide
Cumindyoside B
Cunninghamic acid A
Cunninghamic acid A; 13-Epimer
Cycloartane-3,6,16,24,25-pentol; (3?,6?16?,24S)-form, 3-O-(4-O-Acetyl-?-D-xylopyranoside), 6-O-?-D-glucopyranoside
Cycloartane-3,6,16,24,25-pentol; (3?,6?16?,24S)-form, 3-O-?-D-Xylopyranoside, 6-O-(6-O-acetyl-?-D-glucopyranoside)
Cycloartane-3,6,16,24,25-pentol; (3?,6?16?,24S)-form, 3-O-[2-O-Acetyl-?-D-xylopyranosyl-(1?6)-?-D-glucopyranoside]
Cyclodione
Cyclograndisolide
Cyclograndisolide; 23-Epimer
Cycloheptamycin
Cyclonervilasterol; 22,23-Dihydro
Cyclonervilasterol; 24-Epimer, 22,23-dihydro
Cyclopregnol, INN
Cycloviolaxanthin
Daechuine S7
Dammar-24-ene-3,12,20-triol, 9CI; (3?,12?,20R)-form, 3-O-?-D-Glucopyranoside
Dammar-24-ene-3,12,20-triol, 9CI; (3?,12?,20S)-form, 3-O-?-D-Glucopyranoside
Dammara-20(22),24-diene-3,6,12-triol; (3?,6?12?,20E)-form, 6-O-?-D-Glucopyranoside
D-Arginine
Deacetyldihydrobotrydial; 15-Oxo, 10-deoxy
Dehydroaverufin
Deoxyguanosine
Deprostil, INN, USAN
Derriobtusone B
Dethiotetra(methylthio)chetomin
D-Galactonate
D-Gluconic acid
?D-Glucopyranosyl ?-D-sorbopyranoside
Diadinochrome
Diadinoxanthin A
Diadinoxanthin A; 5,6-Diepimer
Dianemycin, 9CI; 10-Demethyl
Dianemycin, 9CI; 6-Demethyl
Diatoxanthin
Dicoumarol, INN
Dictyomedin A
Dictyopyrone B
Dicumarol
Didymocalyxin C
Dieporeticanin; !Dieporeticanin 1
Dieporeticanin; !Dieporeticanin 2
Dieporeticenin
Diepoxyrollin
Dihydrocalysterol; (3?,23R,24R,28R)-form
Dihydrocalysterol; (3?,23S,24R,28R)-form
Dinaphthimine
Diphyllin
Diphyllin; O-[4-O-Methyl-?-D-xylopyranoside]
Discobahamin B
D-Mannonate
Docosanedioic acid, 9CI
Dolastatin 11
Dolineone
?Doradexanthin
?Doradexanthin; 3'-Epimer
Doxaprost, INN, USAN
Dryopterin
Ebelactone B
Echinenone
Echinenone; 2-Hydroxy
Echinenone; 3',4'-Didehydro, 4-alcohol
Echinenone; 3'-Hydroxy
Echinenone; 3S-Hydroxy
Echinenone; 4'-Hydroxy
Echissaposterol
Edgeworthin; Di-Me ether
Epimelibiose
Erdin; (R)-form, Bis(dechloro), Me ester
Erdin; (S)-form, Bis(dechloro), Me ester
Ergost-4-en-3-one; (24R)-form
Ergost-4-en-3-one; (24S)-form
Ergost-7-en-3-ol; (5?24R)-form, 3-Ketone
Ergosta-16,20(22)-dien-3-ol; (3?,24?)-form
Ergosta-17(20),22-dien-3-ol; (3?,24?)-form
Ergosta-4,22-dien-3-one; (22E,24R)-form
Ergosta-4,22-dien-3-one; (22E,24S)-form
Ergosta-4,6,22E-trien-3-one
Ergosta-4,6,22E-trien-3-one; (22E)-form
Ergosta-4,6,8(14),22-tetraen-3-ol; (3?,22E,24R)-form
Ergosta-4,6,8(14),24(28)-tetraen-3-one; 24,28?-Dihydro
Ergosta-4,7,22-trien-3-one; (22E)-form
Ergosta-5,20,24(28)-trien-3-ol; 3?-form
Ergosta-5,20,25-trien-3-ol; (3?,24?)-form
Ergosta-5,20-dien-3-ol, 9CI; (3?,24?)-form
Ergosta-5,22,25-trien-3-ol
Ergosta-5,22,25-trien-3-ol; (3?,22E,24R)-form
Ergosta-5,22,25-trien-3-ol; (3?,22E,24S)-form
Ergosta-5,23-dien-3-ol; 3?-form
Ergosta-5,24(28)-dien-3-ol
Ergosta-5,24(28)-dien-3-ol; 3?-form
Ergosta-5,24(28)-diene-3,7-diol; (3?,7?-form, 7-Me ether
Ergosta-5,24-dien-3-ol; 3?-form
Ergosta-5,25-dien-3-ol, 9CI; (3?,24R)-form
Ergosta-5,7,14,22-tetraen-3-ol; (3?,22E,24S)-form
Ergosta-5,7,22,24(28)-tetraen-3-ol; (3?,22E)-form
Ergosta-5,7,22,25-tetraen-3-ol; (3?,22E,24S)-form
Ergosta-5,7,22-trien-3-ol; (3?,10?22E,24R)-form
Ergosta-5,7,22-trien-3-ol; (3?,22E,24R)-form
Ergosta-5,7,22-trien-3-ol; (3?,9?,10?22E,24R)-form
Ergosta-5,7,25-trien-3-ol; (3?,24S)-form
Ergosta-5,7,9(11),22-tetraen-3-ol; (3?,22E,24R)-form
Ergosta-5,7-dien-3-ol; (3?,24S)-form
Ergosta-5,8,17(20)-trien-3-ol; (3?,17(20)?,24?)-form
Ergosta-5,8,22-trien-3-ol; (3?,22E,24R)-form
Ergosta-7,14,22-trien-3-ol
Ergosta-7,14,22-trien-3-ol; (3?,5?22E,24R)-form
Ergosta-7,22,24(28)-trien-3-ol; (3?,5?-form
Ergosta-7,22-dien-3-ol; (3?,5?22E,24R)-form
Ergosta-7,22-dien-3-ol; (3?,5?22E,24S)-form
Ergosta-7,22-dien-3-one
Ergosta-7,22-dien-3-one; (5?24S)-form
Ergosta-7,22-diene-2,3,9-triol; (2?,3?9?24R)-form, 2-Me ether
Ergosta-7,22-diene-3,5,6-triol; (3?,5?6?,22E,24R)-form, 6-Me ether
Ergosta-7,23-dien-3-ol; (3?,5?-form
Ergosta-7,24(28)-dien-3-ol; (3?,5?-form
Ergosta-7,25-dien-3-ol; (3?,5?24?)-form
Ergosta-7,25-dien-3-ol; (3?,5?24S)-form
Ergosta-8(14),22-dien-3-ol, 9CI; (3?,5?22E,24R)-form
Ergosta-8,14,22-trien-3-ol; (3?,5?,22E,24R)-form
Ergosta-8,23-dien-3-ol; (3?,5?23E)-form
Ergosta-8,24(28)-dien-3-ol; (3?,5?-form
Ergosterol
Ervahanine A; 3'-Hydroxy, N-de-Me
Ervahanine B; 3'-Hydroxy, N-de-Me
Eschscholtzxanthin
Eupha-7,24-diene-3,21,26-triol; (3?,24Z)-form, 21-Carboxylic acid, 3-ketone, Me ester
Falipamil, INN
Fasciculic acid B; 12-Deoxy
Fazarabine, INN, USAN
Felodipine, BAN, INN, USAN
Ficisterol
Flexixanthin
Flexixanthin; 2'-Hydroxy
Flexixanthin; 3-Deoxy
Flexixanthin; 3-Deoxy, 2'R-hydroxy
Formycin A
Foromacidin A
Foromacidin A; Mixt. with Foromacidins B and C
Fostedil, INN, USAN
Frutinone A; 11-Hydroxy
Fukiic acid; (2S,3R)-form, Di-Me ester
Furaltadone, BAN, INN
Furost-25(27)-ene-3,12,22,26-tetrol; (3?,12?,22?)-form, 3-O-[?-D-Galactopyranosyl-(1?2)-?-D-glucopyranoside], 26-O-?-D-glucopyranoside, 22-Me ether
Galactaric acid, 9CI, 8CI; 1,4-Lactone, 3,5-bis-O-(3,4,5-trihydroxybenzoyl)
Galactinol
Gallopamil, BAN, INN
Gamatin
Garhwalin
GDP-4-dehydro-6-deoxy-D-mannose
GDP-4-dehydro-6-deoxy-L-mannose
GDP-4-oxo-L-fucose
Gelliusine D; (?-form
Gelliusine E; (?-form
Gingerdiols; ![10]-Gingerdiol
Gingerdiols; ![4]-Gingerdiol
Gingerglycolipid A
Gingerglycolipid A; 15',16'-Dihydro
Glaciolide
Glisoprenin D; 6,7-Epoxide
Glycerol 1,3-dialkanoates; !Glycerol 1,3-di-(9Z,12Z,15Z-octadecatrienoate)
Glycerol 1-alkanoates; !Glycerol 1-(10-methyl-9Z-octadecenoate)
Glycerol 1-alkanoates; !Glycerol 1-(14-methylpentadecanoate)
Glycerol 1-alkanoates; !Glycerol 1-(9Z,12Z,15Z-octadecatrienoate)
Glycerol 1-alkanoates; !Glycerol 1-(9Z,12Z-octadecadienoate)
Glycerol 1-alkanoates; !Glycerol 1-tetradecanoate
Glycerol tri-6-octadecenoate; (all-Z)-form
Glycerol tri-9,12-octadecadienoate; (9Z,12Z)-form
Glycerol tri-9-octadecenoate; (Z,Z,Z)-form
Gracilin A; 16-Deacetoxy, O15-de-Ac
Grandone
Guanosine
Guanosine
Guarabin
Halocynthiaxanthin
Hanalpinol; 9-Hydroperoxide
Hebelophyllene D
Hemsleyanol E
Henryoside; 6-Benzoyl
Heptelidic acid chlorohydrin
Heteroxanthin
Hiascic acid; 2,4,5-Tri-Me ether
Huratoxin; 12?-Acetoxy, 20-hexadecanoyl
Hydroxydavanone; 11-Hydroperoxide
Hydroxyhexamide
Hydroxyversicolorone
igmasta-4,6,8(14),22-tetraen-3-one; (22E,24?)-form, 22,23-Dihydro
Indanonaphthol B
Indanonaphthol B; Isomer
Inulobiose
Ipomopsin
Irbesartan, BAN, INN, USAN
Irispurinol
Isocitrate
Isocitric acid; (1R,2R)-form
Isocitric acid; (1R,2S)-form
Isocitric acid; (1S,2S)-form
Isoguanosine
Isoguarabin
Isomaltose
Isomollupentin; 2''-O-?-D-Glucopyranoside
Isomollupentin; 4'-O-?-D-Glucopyranoside
Isomollupentin; 7-O-?-D-Glucopyranoside
Isoschaftoside
Isoscoparin; 2''-O-[4-Hydroxycinnamoyl-(?6)-?-D-glucopyranosyl]
Isotrichodiol; 8?Hydroxy
Isovitexin; 2''-O-(4-Hydroxy-3-methoxycinnamoyl), 4'-O-glucopyranoside
Isovitexin; 2''-O-?-D-Xylopyranosyl
Isovitexin; 2''-O-?L-Arabinopyranosyl
Isovitexin; 4'-O-Arabinoside
Isovitexin; 6''-O-Arabinosyl
Isovitexin; 7-O-[4-Hydroxy-3-methoxycinnamoyl-(??)-?-D-glucopyranoside]
Isovitexin; 7-O-[4-Hydroxy-3-methoxy-E-cinnamoyl-(?6)-?-D-glucopyranoside]
Isovitexin; 7-O-Xyloside
Jasmololone; (Z)-form
Jasmolone
Jusneesiinol
Justisolin; O-[?-D-Glucopyranosyl-(1?2)-?-D-glucopyranoside]
Kinamycin F; 2-Ac
Kinamycin F; 3-Ac
Kinamycin F; 4-Ac
Koellikerigenin; 25-Me ether
Kulonic acid; Me ester
Lactose
Lactose
Lactulose, BAN, INN, JAN, USAN
lanine
L-Arginine
Lasiocephalin
Lecideoidin; Bis(dechloro)
Leptophyllin A
Leptosin D
Leurosidine; Nb'-Oxide
Leuseramycin B
Levuglandin D2
Levuglandin E2
L-Gulonate
Lilixanthin
Lilixanthin; 4-Ketone
Limonenecarboxylic acid
Lincomycin, BAN, INN; N,S-Di-de-Me, N,S-di-Et
Lonomycin A; 23-Demethoxy
Lutein; 3'-Ketone
Maclafungin
Macrotetrolide B
Macrotetrolide C
Majusculamide C
Malic acid, 8CI
Malic acid, 8CI; (R)-form
Malic acid, 8CI; (S)-form
Maltose
Maltose, 9CI, 8CI
Maltulose
Malvalic acid
Melibiose
Membrenone B
Metoserpate, BAN, INN
Micromonol; 19'-Aldehyde, 3'-deoxy, 3',4'-didehydro
Mimulaxanthin
Momofulvenone A; 4-Ac
Monadoxanthin
Monadoxanthin; 3'-Deoxy
Monocarpin
Monocyclofarnesoic acid; (1-Acetoxy-3-hydroxy-2-propyl) ester (S-)
Montecristin
Moreollin; Carboxylic acid, O10-de-Et, O10-Me
Murolic acid; (-)-form, O-[?L-Rhamnopyranosyl-(1?4)-?-D-glucopyranoside]
Murolic acid; (+)-form, O-[?L-Rhamnopyranosyl-(1?6)-?-D-glucopyranoside]
Murrayacarpin A
Mutisifurocoumarin
myo-Inositol, 9CI, 8CI; 1-O-?-D-Glucopyranoside
Mytiloxanthin
N-(2-Cyanoethyl)-2-(1,1-dimethylethyl)-6-nitro-4-quinolinecarbothioamide, 9CI
Nairaiamide B
Narbomycin; Aglycone
Neoagarobiose
Neocalyxin A
Neocalyxin A; 2-Epimer
Neocorymboside
Neoisoschaftoside
Neoliacinolide C
Neorustmicin C
Neorustmicin D
Neotenone; (?-form, 2,3-Didehydro
Neoxanthin
Neoxanthin; (9'Z)-form
Nidurufin
Norboletone, INN
Norecasantalol; Carboxylic acid
Norisonotatic acid
Nostoxanthin
Notatic acid; O-De-Me
Nuclotixene, INN
Octenidine, BAN, INN
Oganomycin GG
Oligomycin A, 9CI, 8CI; 12-Deoxy
Oligomycin A, 9CI, 8CI; 21?-Hydroxy
Oreojasmin
Oreojasmin; 6-Demethoxy
Ornibactin C4
Ornibactin C4
Oscillol; 2,2'-Di-O-?-L-rhamnopyranoside
Osirisyne A; 19-Deoxo, 21-oxo, 31-deoxy
Osirisyne A; 31-Deoxy
Osirisyne A; 6-Hydroxy, 19-deoxo, 21-oxo
Osirisyne E
Pachyrrhizin
Pachyrrhizin; 9-Methoxy
Pachyrrhizone; (+)-form
Palmarumycin C15; 3-Ketone
Palmarumycin C15; 4,5-Dihydro, 3,7-diketone
Panaxadiol; 3-O-?-D-Glucopyranoside
Pannaric acid; 2-Me ester
Pannaric acid; 6-Me ester
Paradol; ![10]Paradol
Parathylone
Parviflorol
Pectenol
Pectenotoxin 1; 43-Deoxy
Pectinatone
Pectinatone; (Z)-Isomer
Pedicellatin
Peliomycin, INN, USAN
Periplocagenin; 20-O-(2,6-Dideoxy-3-O-methoxymethyl-arabino-hexapyranoside)
Petrostanol; 5,6-Didehydro
Phenacizol
Phenylmethyl [1-[[[4-[(2,3-dihydro-2-hydroxy-1H-inden-1-yl)amino]-2-hydroxy-3-[[(4-methoxyphenyl)methyl]amino]-4-oxo-1-(phenylmethyl)butyl]amino]carbonyl]-2,2-dimethylpropyl]carbamate
Phlebiarubrone; 4',4''-Dihydroxy
Phosphatidylcholine; !Glycerol 1-hexadecanoate 2-(9-octadecenoate) 3-phosphocholine
Phosphatidylcholine; !Glycerol 2-(5,8,11,14-eicosatetraenoate) 1-octadecanoate 3-phosphocholine
Phytosterol
Pisolactone; 3-Ketone
Plakortic acid; 6-Et analogue, Me ester
Plakortone B
Plakortone B; 7,8,11,12-Tetrahydro
Plakortone C
Plectaniaxanthin; (R)-form, 2'-Ketone
p-Mentha-1,3,5-triene-2,8-diol; 2-Me ether
Polyporenic acid A; 3-Ac
Pongaglabrone; 5'-Methoxy
Pongapin
Pongapin; 5'-Methoxy
Portulal; 5?Hydroxy
Portulene; ?2-Isomer, 4?-hydroxy
Prasinoxanthin
Prasinoxanthin; 3'-Deoxy, 3',4'-didehydro
Prednisone, BAN, INN, USAN; 21-Hexadecanoyl
Pregn-5-ene-3,11,12,14,20-pentol; (3?,11?12?,14?,20R)-form, 3-O-[6-Deoxy-3-O-methyl-?-D-allopyranosyl-(1?4)-?-D-oleandropyranosyl-(1?4)-?-D-cymaropyranosyl-(1?4)-?-D-cymaropyranoside]
Pregn-5-ene-3,8,12,14,17,20-hexol; (3?,12?,14?,17?OH,20S)-form, 3-O-[?-D-Cymaropyranosyl-(1?4)-?-D-oleandropyranosyl-(1?4)-?-D-cymaropyranosyl-(1?4)-?-D-cymaropyranoside]
Pregn-5-ene-3,8,12,14,17,20-hexol; (3?,12?,14?,17?OH,20S)-form, 3-O-[?-D-Oleandropyranosyl-(1?4)-?-D-oleandropyranosyl-(1?4)-?-D-cymaropyranosyl-(1?4)-?-D-cymaropyranoside]
Pregn-6-ene-3,17,20-triol
Pregn-9(11)-ene-3,6,20-triol; (3?,5?6?20R)-form
Pregna-5,14-diene-3,20-diol; (3?,20S)-form
Pregnane-2,3,16,20-tetrol
Pregnane-3,16,20-triol, 9CI; (3?,5?16?20R)-form
Pregnane-3,16,20-triol, 9CI; (3?,5?16?20S)-form, 16-Ketone
Pregnane-3,16,20-triol, 9CI; (3?5?,16?20S)-form
Pregnane-3,16,20-triol, 9CI; (3?5?16?20S)-form
Pregnane-3,16,20-triol, 9CI; (3?5?16?20S)-form, 16-Ketone
Pregnane-3,17,20,21-tetrol
Pregnane-3,17,20-triol, 9CI
Pregnane-3,20-dione; 5?-form
Pregnenolone
Prepasinoxanthin
Pretomentol
Preussomerin A
Preussomerin A; 2',3'-Dihydro, 1-ketone
Preussomerin A; 3?3'?Dihydroxy, 2,3-deepoxy, 2',3'-dihydro, 1,1'-diketone
Preussomerin A; 3'?Hydroxy, 2',3'-dihydro, 1-epimer
Prezoapatanol
Prosopine
Prostacyclin
Prostaglandin E2
Prostaglandin H2
Prostaglandin H2
Pycnocomolide; 4''-Methoxy
Pycnocomolide; 4''-Methoxy
Pyrrolidine, 9CI, 8CI; N-(3,6-Hexadecadienoyl)
Pyrrolidine, 9CI, 8CI; N-Octadecanoyl
Quercimeritrin; 6''-O-Tigloyl
Raspailynes; !Isoraspailyne A
Raspailynes; !Raspailyne A
Remerin
Reticulatain 1
Reticulatain 1; 21-Epimer
Reticulatain 1; 22-Epimer
?Rhamnoisorobin; 3-O-?-D-Xylopyranoside
?Rhamnoisorobin; 3-O-?L-Arabinofuranoside
?Rhamnoisorobin; 3-O-?L-Arabinopyranoside
Rhinacanthin Q
Rhodopinol; 1-Deoxy, 3,4-didehydro, 20-aldehyde
Ribavirin, INN, USAN
Rioprostil, BAN, INN, USAN
Ritrosulfan, INN
Roxburghiadiol A
Roxburghiadiol A; 6-Epimer
Salmoxanthin
Sangivamycic acid; Me ester
Sanguidimerine
Sanguidimerine; (8R*,8'R*)-form
Sanguidimerine; (8RS,8'SR)-form
Saptarangiquinone A
Sarcotol; 4-Me ether
Sativanine G
Schaftoside
Schaftoside; 1''',4'''-Diepimer
Schaftoside; 1'''-Epimer
Schaftoside; 2''',3''',4'''-Triepimer
Scortechinone B
Secofloribundione
Secomartinelline
Secoplakortide H
Segetalin G
Siphonaxanthin
Sitaxentan, INN
Solamin; 15-(9-Octadecenoyl)(Z-)
Solanochromene
Somamide A
Sormosterol
Squamosinin A
Stemphyltoxin I
Sterculynic acid
Sterigmatocystin; 10,11-Dimethoxy
Stigmast-24(28)-en-3-one; (5?24(28)E)-form
Stigmast-24(28)-en-3-one; (5?24(28)Z)-form
Stigmast-24(28)-ene-2,3,22,23-tetrol, 9CI; (2?3?5?22R,23R,24(28)E)-form
Stigmast-4-en-3-one
Stigmast-5-en-3-one, 9CI
Stigmast-5-ene-3,4-diol; (3?,4?,24S)-form, 25,26-Didehydro
Stigmast-5-ene-3,7,15-triol; (3?,7?,15?,24?)-form, 3-(4-Hydroxy-3-methoxybenzoyl)
Stigmast-5-ene-3,7,22-triol; (3?,7?22R,24R)-form, 7-Ketone
Stigmast-5-ene-3,7-diol; (3?,7?,24?)-form, 7-Ketone
Stigmast-5-ene-3,7-diol; (3?,7?,24R)-form, 7-Ketone
Stigmast-5-ene-3,7-diol; (3?,7?,24S)-form, 7-Ketone
Stigmast-7-en-3-one; (5?,24R)-form
Stigmast-7-en-3-one; (5?24?)-form
Stigmast-7-en-3-one; (5?24R)-form
Stigmast-7-ene-3,5,6,9-tetrol; (3?,5?6?,9?24?)-form
Stigmast-7-ene-3,5,6-triol; (3?,5?24?)-form, 6-Ketone
Stigmast-9(11)-en-3-ol; (3?,5?24R)-form, Ketone
Stigmasta-22,25-dien-3-ol
Stigmasta-22,25-dien-3-ol; (3?,5?22E,24S)-form
Stigmasta-24(28),25-dien-3-ol; (3?,5?24(28)Z)-form
Stigmasta-3,5,24(28)-trien-7-one; (24E)-form
Stigmasta-4,25-diene-3,6-diol; (3?,6?,24S)-form
Stigmasta-4,6,24-trien-3-one, 9CI
Stigmasta-4,6,8(14),22-tetraen-3-one; (22E,24?)-form
Stigmasta-5,11-dien-3-ol; (3?,24R)-form
Stigmasta-5,17(20)-dien-3-ol; 3?-form
Stigmasta-5,20-dien-3-ol, 9CI; (3?,24?)-form
Stigmasta-5,22-dien-3-ol; (3?,22E,24R)-form
Stigmasta-5,22-dien-3-ol; (3?,22E,24S)-form
Stigmasta-5,22-diene-3,7,16-triol; (3?,7?16?,22E,24?)-form
Stigmasta-5,22-diene-3,7-diol; (3?,7?,22E,24S)-form
Stigmasta-5,22-diene-3,7-diol; (3?,7?22E,24S)-form
Stigmasta-5,23-dien-3-ol; (3?,23E)-form
Stigmasta-5,23-dien-3-ol; (3?,23Z)-form
Stigmasta-5,24(28)-dien-3-ol, 9CI; (3?,20R,24Z)-form
Stigmasta-5,24(28)-dien-3-ol, 9CI; (3?,20S,24E)-form
Stigmasta-5,24(28)-dien-3-ol, 9CI; (3?,24?)-form
Stigmasta-5,24(28)-dien-3-ol, 9CI; (3?,24E)-form
Stigmasta-5,24(28)-dien-3-ol, 9CI; (3?,24E)-form, 24S,28S-Epoxide
Stigmasta-5,24(28)-diene-3,29-diol; (3?,24(28)E)-form, 29-Hydroperoxide
Stigmasta-5,24(28)-diene-3,7-diol; (3?,7?24E)-form
Stigmasta-5,24-dien-3-ol; 3?-form
Stigmasta-5,25-dien-3-ol; (3?,24S)-form
Stigmasta-5,25-diene-3,7-diol; (3?,7?,24S)-form
Stigmasta-5,25-diene-3,7-diol; (3?,7?24S)-form
Stigmasta-5,25-diene-3,7-diol; (3?,7?24S)-form, 7-Hydroperoxide
Stigmasta-5,28-diene-3,20-diol; (3?,20S,24R)-form
Stigmasta-5,28-diene-3,24-diol, 9CI; 3?-form
Stigmasta-5,9(11)-dien-3-ol
Stigmasta-5,9(11)-dien-3-ol; (3?,24?)-form
Stigmasta-5,9(11)-dien-3-ol; 3?-form
Stigmasta-7,22-dien-3-ol; (3?,5?22E,24R)-form
Stigmasta-7,22-dien-3-ol; (3?,5?22E,24S)-form
Stigmasta-7,22-dien-3-ol; (3?5?22E,24R)-form
Stigmasta-7,22-diene-3,5,6-triol, 9CI; (3?,5?6?,24?)-form
Stigmasta-7,24(28)-dien-3-ol; (3?,5?24(28)E)-form
Stigmasta-7,24(28)-dien-3-ol; (3?,5?24(28)E)-form, 24R,28R-Epoxide
Stigmasta-7,24(28)-dien-3-ol; (3?,5?24(28)E)-form, 24S,28S-Epoxide
Stigmasta-7,24(28)-dien-3-ol; (3?,5?24(28)Z)-form
Stigmasta-7,24(28)-diene-3,5,6-triol; (3?,5?6?-form
Stigmasta-7,24-dien-3-ol; (3?,5?-form
Stigmasta-7,25-dien-3-ol; (3?,5?24S)-form
Stigmasta-7,25-diene-2,3-diol; (2?3?,24S)-form
Stigmasta-7,28-diene-3,24-diol; (3?,5?24R)-form
Stigmasta-7,28-diene-3,24-diol; (3?,5?24S)-form
Stigmasta-8(14),22-dien-3-ol; (3?,5?24S)-form
Stigmasta-8(14),24(28)-diene-3,7-diol; (3?,5?7?24(28)E)-form
Stigmasta-8(14),24(28)-diene-3,7-diol; (3?,5?7?24(28)Z)-form
Stigmasta-8,22-dien-3-ol; (3?,5?,22Z,24R)-form
Stigmasta-9(11),22-dien-3-ol; (3?,5?22E)-form
Stigmastane-3,6-diol; (3?,5?6?,24R)-form, Diketone
Stowardolic acid
Streptonigrin, USAN; 10'-O-De-Me
Streptonigrin, USAN; 6-O-De-Me
Strictanonoic acid
Strychnosilidine; O-De-Ac
Subnotatic acid
Sucrose
Sucrose, 9CI, 8CI
Sucrose, 9CI, 8CI; 3',6'-Bis-O-(4-hydroxy-3-methoxy-E-cinnamoyl)
Sucrose, 9CI, 8CI; 3',6-Bis-O-(4-hydroxy-3-methoxy-E-cinnamoyl)
Sucrose, 9CI, 8CI; 3'-O-(4-Hydroxy-3,5-dimethoxycinnamoyl)(E-), 6-O-(4-hydroxycinnamoyl)(E-)
Sulfenosine; S-Oxide
Surianol
Tantazole A
Tantazole A; 4''-Epimer
Tantazole F
Tartaric acid; (2RS,3SR)-form, 2-O-(4-Hydroxy-E-cinnamoyl), 3-Ac
Ternstroemiaxanthin
Tetracenomycin D
Tetracenomycin D3; 5-Deoxo
Tetracenomycin F2
Tetrahydro-2-(1-hydroxy-9-nonenyl)-5-pentyl-3-furanol; (1'R,2S,3S,5R)-form
Tetrahydro-2-(1-hydroxy-9-nonenyl)-5-pentyl-3-furanol; (1'R,2S,3S,5R)-form, 1'-O-Hexadecanoyl
Tetrahydro-2-(1-hydroxy-9-nonenyl)-5-pentyl-3-furanol; (1'R,2S,3S,5R)-form, 3-O-(5,8,11,14-Eicosatetraenoyl)(all-Z)
Tetrahydro-2-(1-hydroxy-9-nonenyl)-5-pentyl-3-furanol; (1'R,2S,3S,5R)-form, 3-O-Hexadecanoyl
Tetrahydro-2-(1-hydroxy-9-nonenyl)-5-pentyl-3-furanol; (1'S,2S,3S,5S)-form
Tetrahydro-4-methyl-5-oxo-2-tridecyl-3-furancarboxylic acid, 9CI; (2R,3S,4S)-form
Tetrahydro-4-methyl-5-oxo-2-tridecyl-3-furancarboxylic acid, 9CI; (2S,3S,4R)-form
Tetranorcacospongionolide B
Thevetiogenin; 3-O-[?-D-Glucopyranosyl-(1?4)-?L-rhamnopyranoside]
Thiamine, BAN, INN
Thromboxane A2
?Tocopherol; 8',12'-Dihydroxy
Tomentanol
Tomentol
Tomentol; ?13-Isomer
Topostin D 640
Torreyaflavonoloside
??Trehalose
Trichotriol
Tricyclodictyofuran A; 9-Deoxy, 19?-methoxy
Triornicin
Triornicin; !Isotriornicin
Trollichrome; (8'R)-form
Trollichrome; (8'S)-form
Tunaxanthin; (3R,3'R,6S,6'S)-form, Monoketone
Turanose, 9CI, 8CI
Uriolide; Deepoxy
Usambarensine; 19,20?-Dihydro
Usambarensine; 3',4'-Dihydro
Uvariamicin I
Uvariamicin I; 19,20-Diepimer
Uvariamicin I; 23,24-Didehydro(Z-)
Uvariamicin III
Uvariamicin III; 24-Epimer
Uvariamicin IV
Uvariamicin IV; 17,18-Diepimer
Vapiprost, BAN, INN
Variabilin; (6E,10E,15R,16Z)-form, 18-Hexadecanoyl
VE-FPL
Vicenin 1
Villalstonine; 4'-N-Oxide
Vinblastine, BAN, INN; 14'-Hydroxy
Vinblastine, BAN, INN; 15'?-Hydroxy
Vinblastine, BAN, INN; 15'?Hydroxy
Violaxanthin; (13Z)-form
Violaxanthin; (15Z)-form
Violaxanthin; (9Z,13Z)-form
Violaxanthin; (9Z,13'Z)-form
Violaxanthin; (9Z,15Z)-form
Violaxanthin; (9Z,9'Z)-form
Violaxanthin; (all-E)-form
Vitamin D2
Vitexin; 2''-O-?-D-Xylopyranosyl
Vitexin; 2''-O-?D-Arabinofuranosyl
Vitexin; 4'-O-D-Xyloside
Vitexin; 6''-O-Xylosyl
Webbiaxanthin
Zanamivir, BAN, USAN
Zeaxanthin; Di-O-?-D-glucopyranoside
Zidovudine, BAN, INN, USAN
Zizyphus mucronata Alkaloid
Zygosporin D; 17-Deoxo, 18-deoxy, 21-Ac
【産業上の利用分野】
【００３７】
本発明によれば、イネ抽出物より得られる情報によって、品種改良等を行なうことができ農学に、また、同定された分子、誘導体を用いて、医学、薬学などの幅広い分野において利用することが可能である。